(57)【要約】  本明細書では、回転弁、並びに回転弁を使用、製造、及び保管する方法について記載する。回転弁は回転子及び固定子を含み、これらは互いに向かって付勢されて流体密封封止を形成する。幾つかの実施態様では、回転子は、多孔質固体支持体を含む流路が組み込まれている。多くの場合、回転子と固定子の間の境界面は、ガスケットを使用して流体密封される。回転弁の幾つかの実施態様は、運用前にガスケットが回転子及び固定子の少なくとも一方を封止することを妨げるずらし可能なスペーサを含み、このスペーサがずらされると、ガスケットは回転子及び固定子を一緒に流体密封封止する。
2021514454.tif 000002
【特許請求の範囲】
【請求項１】
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と回転子弁面１２と流路４０とを含み、前記流路は前記回転子弁面に入口４１及び出口４２を有し、前記流路は多孔質固体支持体４５を含む、前記回転子１０と、
ｃ．保持要素９０であって、回転子と固定子の境界面０２において前記固定子及び前記回転子を一緒に付勢して流体密封封止を形成する前記保持要素９０と、
を含む回転弁００。
【請求項２】
前記流路４０の断面が前記回転軸１６と同心ではない、請求項１に記載の回転弁。
【請求項３】
前記多孔質固体支持体はポリマーである、請求項１に記載の回転弁。
【請求項４】
前記多孔質固体支持体は、アルミナ、シリカ、シーライト、セラミック、金属酸化物、多孔質ガラス、制御された細孔ガラス、炭水化物ポリマー、多糖類、アガロース、セファロース（商標）、セファデックス（商標）、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項１に記載の回転弁。
【請求項５】
前記回転子弁面１２は、回転子と固定子の前記境界面０２に介在するガスケット８０を含む、請求項１に記載の回転弁。
【請求項６】
前記ガスケット８０は、前記ガスケット８０を貫通するアパーチャ８３を含み、前記固定子は、前記ガスケットを横方向に拘束する弧状レール７０を含む、請求項５に記載の回転弁。
【請求項７】
前記回転子弁面は流体コネクタ８６を含み、第１の回転子位置においては、前記固定子の第１のポート５３ａが前記流体コネクタ８６を介して前記固定子の第２のポート５３ｂに流体接続されている、請求項１に記載の回転弁。
【請求項８】
前記第１のポートは前記回転軸から第１の半径方向距離に位置し、前記第２のポートは第２の（異なる）半径方向距離に位置する、請求項７に記載の回転弁。
【請求項９】
第２の回転子位置においては、第３のポート５３ｃが前記流体コネクタ８６を介して第４のポート５３ｄに流体接続されている、請求項７に記載の回転弁。
【請求項１０】
前記回転子弁面は流体セレクタ８７を含み、前記流体セレクタ８７は、中心線が前記回転軸から等距離に弧を描く弧状部分と、前記弧状部分から前記回転軸に向かって放射状に延びるか、前記回転軸から遠ざかるように延びる放射状部分と、を有する、請求項１に記載の回転弁。
【請求項１１】
第１の回転子位置においては、前記回転軸１６から第１の半径方向距離にある第１のポート５３ａが、前記流体セレクタ８７を介して、前記回転軸から第２の半径方向距離にある第２のポート５３ｂに流体接続されており、第２の回転子位置においては、前記第１のポートは、前記流体セレクタを介して、前記回転軸から前記第２の半径方向距離にある第３のポート５３ｃに流体接続されており、前記回転子が前記第１の回転子位置と前記第２の回転子位置との間で回転している間、前記第１のポートは前記流体セレクタに流体接続されたままである、請求項１０に記載の回転弁。
【請求項１２】
前記回転子は複数の流路４０を含み、各流路は入口４１と出口４２と多孔質固体支持体４５とを含む、請求項１に記載の回転弁。
【請求項１３】
前記回転子は、本体１１と、前記本体に作用的に接続されたキャップ３０と、を含み、前記流路４０の１つの壁が前記キャップによって定義される、請求項１に記載の回転弁。
【請求項１４】
前記固定子面５２と前記回転子弁面１２との間にガスケット８０を更に含み、前記固定子は、前記ガスケットが前記回転子１０及び前記固定子５０の少なくとも一方を封止することを妨げるずらし可能スペーサ６０を含み、前記スペーサがずらされると、前記ガスケットは前記回転子及び前記固定子を一緒に流体密封封止する、請求項１に記載の回転弁。
【請求項１５】
前記保持要素９０は保持リング９１及び付勢要素９６を含む、請求項１に記載の回転弁。
【請求項１６】
前記保持リング９１は前記固定子５０に固定的に結合されており、前記付勢要素９６は、前記回転子及び前記固定子を一緒に付勢するばねである、請求項１５に記載の回転弁。
【請求項１７】
ａ．回転子１０であって、回転子弁面１２と、前記回転子弁面の反対側にある外面１３と、回転軸１６と、を含む前記回転子１０と、
ｂ．固定子５０と、
ｃ．前記固定子と前記回転子弁面との間に介在するガスケット８０と、
ｄ．前記ガスケットが前記回転子及び前記固定子の少なくとも一方を封止することを妨げるずらし可能スペーサ６０と、
を含み、
前記スペーサがずらされると、前記ガスケットは前記回転子及び前記固定子を一緒に流体密封封止する。
回転弁。
【請求項１８】
前記回転子と前記固定子とを互いに向けて付勢する保持要素９０を更に含む、請求項１７に記載の弁。
【請求項１９】
前記保持要素９０は保持リング９１及び付勢要素９６を含む、請求項１８に記載の弁。
【請求項２０】
前記保持リング９１は前記固定子に固定的に結合されており、前記付勢要素９６はばねである、請求項１９に記載の弁。
【請求項２１】
前記回転子１０は少なくとも１つのリップ２１を含み、前記ずらし可能スペーサ６０は、保管構成から運用構成へとずらし可能な複数のタブ６１を含み、前記タブ６１のそれぞれは、前記少なくとも１つのリップ２１と接触することによって、前記保管構成において前記ガスケットが前記回転子及び前記固定子を封止することを妨げ、前記タブが前記保管構成から前記運用構成へとずらされると、前記少なくとも１つのリップとの係合が解除される、請求項１７に記載の弁。
【請求項２２】
前記少なくとも１つのリップ２１は内側リップ２３であり、前記回転子は更に、前記内側リップに近接するずらしスロット２８を含み、前記ずらしスロットは、前記運用構成までずらされた前記タブ６３を収容する、請求項２１に記載の弁。
【請求項２３】
前記回転子１０は湾曲外壁１４を含み、前記少なくとも１つのリップ２１は、前記外壁上に位置する周辺リップ２２である、請求項２１に記載の弁。
【請求項２４】
前記回転子は１つ以上のカム２４を含み、前記カム２４は、前記回転子が回転すると、前記複数のタブ６０を前記保管構成から前記運用構成へとずらし、これによって前記複数のタブ６１が前記少なくとも１つのリップ２１から係合解除される、請求項２１に記載の弁。
【請求項２５】
前記ガスケット８０は、前記ガスケット８０を貫通するアパーチャ８３を含み、前記固定子は、前記ガスケットを横方向に拘束する弧状レール７０を含む、請求項１７に記載の弁。
【請求項２６】
前記回転子は更に、流路４０を含み、前記流路４０は前記回転子弁面に入口４１及び出口４２を有し、前記流路は多孔質固体支持体４５を含む、請求項１７に記載の弁。
【請求項２７】
前記外面１３は、スプラインと係合する開口部を含む、請求項１７に記載の弁。
【請求項２８】
回転弁の保管方法であって、
ａ．請求項１７に記載の弁を保管容器に入れるステップと、
ｂ．前記弁を一定期間にわたって保管するステップと、
を含む方法。
【請求項２９】
前記弁を保管する前記ステップは、前記弁を保管ポジションで保持することを含み、前記保管ポジションでは、前記ガスケットは前記回転子及び前記固定子の少なくとも一方から間隔を置かれる、請求項２８に記載の方法。
【請求項３０】
ａ．回転子１０であって、回転軸１６と、外面１３及び前記外面１３の反対側にある回転子弁面１２と、前記回転子弁面１２を貫通するアパーチャ４１、４２のペアと、を有する前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、内側ガスケット封止面８１ｉと、外側ガスケット封止面８１ｏと、アパーチャ４２、４３の前記ペアと一直線に並ぶガスケット開口部８３のペアと、を有する前記ガスケット８０と、
ｄ．保持要素９０であって、前記回転子と前記固定子が互いに向かって付勢されるようにして、前記内側ガスケット封止面８１ｉ及び前記外側ガスケット封止面８１ｏを前記固定子面５２の前記複数の固定子ポート５３との流体密封構成に置く前記保持要素９０と、
を含む回転弁。
【請求項３１】
前記複数の固定子ポート５３は、前記回転軸１６から第１の半径方向間隔にある複数の固定子ポート、並びに前記回転軸１６から第２の半径方向間隔にある複数の固定子ポートとして構成されており、前記第１の半径方向間隔にある前記複数の固定子ポートのうちの１つの固定子ポートと、前記第２の半径方向間隔にある前記複数の固定子ポートのうちの１つの固定子ポートと、の間の流体連通が、前記内側ガスケット封止面８１ｉと前記外側ガスケット封止面８１ｏとの間を延びる流体コネクタ８６によって実現される、請求項３０に記載の回転弁。
【請求項３２】
前記複数の固定子ポート５３は、前記回転軸１６から第１の半径方向間隔にあって前記回転軸１６を中心とする円周方向に位置する複数の固定子ポート、並びに前記回転軸１６から第２の半径方向間隔にあって前記回転軸１６を中心とする円周方向に位置する複数の固定子ポートとして構成されており、前記第１の半径方向間隔にある前記複数の固定子ポートのうちの１つの固定子ポートと、前記第２の半径方向間隔にある前記複数の固定子ポートのうちの１つ以上の固定子ポートと、の間の流体連通が、前記内側ガスケット封止面８１ｉと前記外側ガスケット封止面８１ｏとの間を前記外側ガスケット封止面８１ｏの一部分に沿って延びる流体セレクタ８７によって実現される、請求項３０に記載の回転弁。
【請求項３３】
前記複数の固定子ポート５３は、前記回転軸１６から第１の半径方向間隔にあって前記回転軸１６を中心とする円周方向に位置する複数の固定子ポートとして構成されており、前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含み、前記第１の半径方向間隔にある前記複数の固定子ポートのうちの１つの固定子ポートと、前記回転軸１６から第２の（異なる）半径方向間隔にあって、前記第１の半径方向間隔にある前記複数の固定子ポートのうちの前記１つの固定子ポートと異なる円周方向位置にある複数の固定子ポートのうちの１つ以上の固定子ポートと、の間の流体連通が、前記流体セレクタ８７によって実現される、請求項３０に記載の回転弁。
【請求項３４】
前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含む、請求項３０に記載の回転弁。
【請求項３５】
前記ガスケット８０は更に、前記内側ガスケット封止面８１ｉと前記外側ガスケット封止面８１ｏとの間を延びる流体コネクタ８６を含む、請求項３０に記載の回転弁。
【請求項３６】
前記ガスケットは更に、流体セレクタ８７及び流体コネクタ８６を含み、使用時には各固定子ポート５３は、前記流体セレクタ８７、前記流体コネクタ８７、前記内側ガスケット封止面８１ｉ、前記外側ガスケット封止面８１ｏ、又はガスケット開口部８３のいずれかと連通する、請求項３０に記載の回転弁。
【請求項３７】
前記ガスケットは更に、流体コネクタ８６を含み、使用時には、各固定子ポート５３は、前記流体コネクタ８７、前記内側ガスケット封止面８１ｉ、前記外側ガスケット封止面８１ｏ、又はガスケット開口部８３のいずれかと連通する、請求項３０に記載の回転弁。
【請求項３８】
前記回転子弁面１２を貫通するアパーチャ４１、４２の前記ペアは、多孔質固体支持体４５を含む流路４０のそれぞれ入口及び出口である、請求項３０に記載の回転弁。
【請求項３９】
前記回転子弁面１２を貫通するアパーチャ４１、４２の前記ペアは、第１の固体支持体チャンバ４６を有する第１の流路４０と連通するアパーチャの第１のペアであり、前記回転子弁面１２を貫通するアパーチャ４１、４２の第２のセットは、第２の固体支持体チャンバ４６を有する第２の流路４０と連通しており、前記第１及び前記第２の固体支持体チャンバ４６は多孔質固体支持体４５を含む、請求項３０に記載の回転弁。
【請求項４０】
前記多孔質固体支持体４５はポリマーである、請求項３８又は３９に記載の回転弁。
【請求項４１】
前記多孔質固体支持体４５は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項３８又は３９に記載の回転弁。
【請求項４２】
ａ．回転子１０であって、外面１３及び前記外面１３の反対側にある回転子弁面１２と、前記回転子弁面１２を貫通するアパーチャ４１、４２のペアと、を含む前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、前記ガスケット内の開口部８３のペアがアパーチャ４１、４２の前記ペアと一直線に並び、前記ガスケットは、保管状態の間は前記固定子面５２から間隔を置かれており、前記保管状態から解放されると、保持要素９０によって前記固定子面との流体密封関係に置かれて保持される、前記ガスケット８０と、
を含む回転弁。
【請求項４３】
前記回転子は更に、前記回転子の周囲にあって前記固定子と結合されている保持リングを含み、前記保持リングは、前記回転子に近接する面に沿って弧形状のペアを有し、前記回転子は、前記保持リングの弧形状の前記ペアに対応する相補的な弧形状のペアを有し、弧形状の前記ペアが相補的な弧形状の前記ペアと係合することによって、前記回転弁が前記保管状態で保持される、請求項４２に記載の回転弁。
【請求項４４】
前記回転弁は、前記回転子に近接する前記面に沿う弧形状の前記ペアを、前記回転子上の相補的な弧形状の前記ペアから係合解除するのに十分な、前記回転子と前記保持リングとの間の相対運動によって前記保管状態から解放される、請求項４３に記載の回転弁。
【請求項４５】
前記回転子は更に、前記回転子の周囲にあって前記固定子と結合されている保持リングを含み、前記保持リングは、前記保持リングの、前記回転子に近接する一部分の周囲に複数の溝を有し、前記回転子は、前記保持リングの前記複数の溝と嵌合対応する複数の相補的形状を有し、前記複数の溝が前記回転子の前記複数の相補的形状と係合することによって、前記回転弁が前記保管状態で保持される、請求項４２に記載の回転弁。
【請求項４６】
前記回転弁は、前記保持リングの一部分の周囲の前記複数の溝を、前記回転子上で嵌合対応する前記複数の相補的形状から係合解除するのに十分な、前記回転子と前記保持リングとの間の相対運動によって、前記保管状態から解放される、請求項４５に記載の回転弁。
【請求項４７】
ガスケット封止面に沿って配置されたスペーサを更に含み、前記スペーサは、前記ガスケット封止面と前記固定子面との間のギャップを保持し、前記回転弁を前記保管状態で保持する、請求項４２に記載の回転弁。
【請求項４８】
前記回転弁は、前記スペーサをずらして前記ガスケット封止面と前記固定子面との係合を可能にするのに十分な、前記回転子と前記固定子との間の相対運動によって、前記保管状態から解放される、請求項４７に記載の回転弁。
【請求項４９】
前記回転弁と係合して、前記ガスケット封止面と前記固定子面との間のギャップを保持し、前記回転弁を前記保管状態で保持するクリップを更に含む、請求項４２に記載の回転弁。
【請求項５０】
前記クリップが取り外されて、前記保持要素が前記ガスケットを動かして前記固定子面との流体密封関係に置くことが可能になると、前記回転弁が前記保管状態から解放される、請求項４９に記載の回転弁。
【請求項５１】
回転子１０であって、回転軸１６と、回転子弁面１２と、前記回転子弁面の反対側にある外面１３と、を含む前記回転子１０と、
固定子５０であって、前記回転子弁面の反対側に位置する固定子弁面を有する前記固定子５０と、
前記回転子と前記固定子とを互いに向けて付勢する保持要素９０であって、保持リング９１及び付勢要素９６を含み、前記保持リングのねじ山付き部分が前記回転子のねじ山付き部分と係合している間、前記回転弁は保管状態で保持される、前記保持要素９０と、
を含む回転弁。
【請求項５２】
前記回転子と前記固定子との間の相対運動によって、前記回転子弁面と前記固定子弁面との間に流体密封構成が形成される、請求項５１に記載の回転弁。
【請求項５３】
前記回転子と前記固定子との間の前記相対運動は、前記回転子が回転することによって、前記回転子が前記保持リングの前記ねじ山付き部分に沿って動くことである、請求項５２に記載の回転弁。
【請求項５４】
前記回転弁を前記保管状態から係合解除する為の前記回転子の回転は１回転未満、半回転、４分の１回転、又は８分の１回転である、請求項５１に記載の回転弁。
【請求項５５】
前記回転子弁面と前記固定子弁面との間に配置されたガスケットを更に含み、前記回転弁が前記保管状態である間は、前記ガスケットは前記固定子弁面との流体密封封止を形成しない、請求項５１に記載の回転弁。
【請求項５６】
前記回転子と前記固定子との間の相対運動によって、前記ガスケットと前記回転子弁面と前記固定子弁面との間に流体密封構成が形成される、請求項５５に記載の回転弁。
【請求項５７】
前記回転子と前記固定子との間の前記相対運動は、前記回転子が回転することによって、前記回転子が前記保持リングの前記ねじ山付き部分に沿って動くことである、請求項５５に記載の回転弁。
【請求項５８】
前記回転弁を前記保管状態から移行させる為の前記回転子の回転は１回転未満、半回転、４分の１回転、又は８分の１回転である、請求項５５に記載の回転弁。
【請求項５９】
前記回転子が前記保管状態から移行して、前記回転子と前記固定子との間に封止済み関係が形成されると、前記回転子の前記ねじ山付き部分は、前記回転弁の他のどのねじ山付き部分からも自由である、請求項５１〜５８のいずれか一項に記載の回転弁。
【請求項６０】
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と、回転子弁面１２と、前記回転子弁面に入口４１及び出口４２を有する流路４０と、前記入口４１及び前記出口４２と連通する固体支持体チャンバと、前記固体支持体チャンバ４５内にある多孔質固体支持体４５と、を含む前記回転子１０と、
ｃ．保持要素９０であって、回転子と固定子の境界面０２において前記固定子及び前記回転子を一緒に付勢して流体密封封止を形成する前記保持要素９０と、
を含む回転弁００。
【請求項６１】
前記固体支持体チャンバは、底面と、側壁と、前記底面に沿う少なくとも１つの流路スペーサと、を有する、請求項６０に記載の回転弁。
【請求項６２】
前記少なくとも１つの流路スペーサは、前記チャンバの前記底面から持ち上げられている、請求項６１に記載の回転弁。
【請求項６３】
前記少なくとも１つの流路スペーサは、前記チャンバの前記底面に埋め込まれている、請求項６１に記載の回転弁。
【請求項６４】
前記少なくとも１つの流路スペーサは、前記出口４２及び前記チャンバ側壁から間隔を置かれている、請求項６１に記載の回転弁。
【請求項６５】
前記少なくとも１つの流路スペーサは、前記出口４２に直接隣接している、請求項６１に記載の回転弁。
【請求項６６】
前記少なくとも１つの流路スペーサは、前記チャンバ側壁の曲率に対応する弧形状を有する、請求項６１に記載の回転弁。
【請求項６７】
前記少なくとも１つの流路スペーサは、前記出口４２から前記側壁に向かって延びる、請求項６１に記載の回転弁。
【請求項６８】
前記チャンバ底面は平坦である、請求項６０〜６７のいずれか一項に記載の回転弁。
【請求項６９】
前記チャンバ底面は、前記チャンバ側壁から前記出口４２に向かって傾斜している、請求項６０〜６７のいずれか一項に記載の回転弁。
【請求項７０】
前記多孔質固体支持体はポリマーである、請求項６０〜６９のいずれか一項に記載の回転弁。
【請求項７１】
前記多孔質固体支持体は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項６０〜７０のいずれか一項に記載の回転弁。
【請求項７２】
前記回転弁は、前記保持要素が前記回転子及び前記固定子を付勢して流体密封封止構成にするまでは、前記回転子と前記固定子との間に流体密封封止がない初期の積み込まれた状態にとどまるように構成されている、請求項６０〜７１のいずれか一項に記載の回転弁。
【請求項７２】
前記回転子１０の各支持体チャンバ４６を覆う回転子カバー３０を有する、請求項１〜２７又は３０〜７２のいずれか一項に記載の回転弁。
【請求項７４】
前記回転子外面１３全体を覆うが、１つ以上の開口部１７に対応する部分は覆わない回転子カバー３０を含む、請求項１〜２７又は３０〜７２のいずれか一項に記載の回転弁。
【請求項７５】
前記流路４０の一部分を完成させるのに十分なように各固体支持体チャンバ４６を封止するように底面３４が配置された回転子カバー３０を含む、請求項１〜２７又は３０〜７２のいずれか一項に記載の回転弁。
【請求項７６】
回転弁を使用する流体処理方法であって、
回転軸１６を中心に前記回転弁を回転させて、ガスケット８０のガスケット入口８４及びガスケット出口８５を、それぞれ、回転子１０内に多孔質固体支持体４５を有する流路４０の入口４１及び出口４２と一直線に並べ、前記ガスケット入口８４及び前記ガスケット出口８５を、固定子弁面５２の固定子ポート５３の第１のペアと一直線に並べるステップと、
前記固定子弁面５２の固定子ポート５３の第２のペアを前記ガスケット８０の一部分で封止するステップと、
を含む方法。
【請求項７７】
前記回転軸１６を中心に前記回転弁を回転させて、前記固定子弁面５２の固定子ポート５３の前記第１のペアを、前記ガスケット８０内に形成された流路８６と一直線に並べるか、前記固定子弁面５２の固定子ポート５３の前記第２のペアを、前記ガスケット８０内に形成された前記流路８６と一直線に並べるステップ
を更に含む、請求項７６に記載の流体処理方法。
【請求項７８】
前記回転軸１６を中心に前記回転弁を回転させて、前記固定子弁面５２の固定子ポート５３の前記第１のペアの少なくとも一方の固定子ポート、又は固定子ポートの前記第２のペアの少なくとも一方の固定子ポート５３を、前記ガスケット８０内に形成された流路８７と一直線に並べるステップ
を更に含む、請求項７６に記載の流体処理方法。
【請求項７９】
前記回転軸１６を中心に前記回転弁を回転させて、前記固定子弁面５２の固定子ポート５３の前記第１のペアの少なくとも一方の固定子ポート、又は固定子ポートの第３のペアの少なくとも一方の固定子ポート５３を、前記ガスケット８０内に形成された流路８７と一直線に並べるステップ
を更に含む、請求項７６に記載の流体処理方法。
【請求項８０】
前記回転軸１６を中心に前記回転弁を回転させて、流体を、前記流路４０に流す前に、固定子ポート５３の前記第１のペア、又は固定子ポート５３の前記第２のペアに流すステップ
を更に含む、請求項７６に記載の流体処理方法。
【請求項８１】
前記回転軸１６を中心に前記回転弁を回転させて、流体を、前記流路４０に流す前に、前記ガスケット８０に形成された前記流路８６、又は前記ガスケット８０に形成された前記流路８７に流すステップ
を更に含む、請求項７６に記載の流体処理方法。
【請求項８２】
前記回転軸１６を中心に前記回転弁を回転させて、流体を、前記流路４０に流してから、固定子ポート５３の前記第１のペア、又は固定子ポート５３の前記第２のペアに流すステップ
を更に含む、請求項７６に記載の流体処理方法。
【請求項８３】
前記回転軸１６を中心に前記回転弁を回転させて、流体を、前記流路４０に流してから、前記ガスケット８０に形成された前記流路８６、又は前記ガスケット８０に形成された前記流路８７に流すステップ
を更に含む、請求項７６に記載の流体処理方法。
【請求項８４】
流体を、前記流路４０に流してから、第１の流体通路５４又は第２の流体通路５４に流すステップ
を更に含む、請求項７６に記載の流体処理方法。
【請求項８５】
流体を、前記流路４０に流す前に、第１の流体通路５４又は第２の流体通路５４に流すステップ
を更に含む、請求項７６に記載の流体処理方法。
【請求項８６】
流体を前記流路４０に流すように前記回転弁をポジショニングしてから、流体を、前記ガスケット８０に形成された前記流路８６に通して流体通路５４に流すか、前記ガスケット８０に形成された前記流路８７に通して、流体通路５４に流すように前記回転弁をポジショニングするステップ
を更に含む、請求項７６に記載の流体処理方法。
【請求項８７】
流体を、前記ガスケット８０に形成された前記流路８６に通すか、前記ガスケット８０に形成された前記流路８７に通して、流体通路５４に流すように前記回転弁をポジショニングするステップと、
前記流体の一部を、前記流体通路５４と連通している保管チャンバに保管するステップと、
を更に含む、請求項７６に記載の流体処理方法。
【請求項８８】
流体を、前記ガスケット８０に形成された前記流路８６に通すか、前記ガスケット８０に形成された前記流路８７に通して、流体通路５４に流すように前記回転弁をポジショニングするステップと、
前記流体の一部を、溶解緩衝液と混合するステップと、
を更に含む、請求項７６に記載の流体処理方法。
【請求項８９】
前記混合ステップからの前記流体を、前記ガスケット８０に形成された前記流路８６に通すか、前記ガスケット８０に形成された前記流路８７に通して、前記流路４０に流すように前記回転弁をポジショニングするステップ
を更に含む、請求項８８に記載の流体処理方法。
【請求項９０】
前記混合ステップからの前記流体を、前記多孔質固体支持体４５に通して流すように前記回転弁をポジショニングするステップ
を更に含む、請求項８８に記載の流体処理方法。
【請求項９１】
流体を、前記ガスケット８０に形成された前記流路８６に通すか、前記ガスケット８０に形成された前記流路８７に通して、廃棄物チャンバに流すように前記回転弁をポジショニングするステップ
を更に含む、請求項７６に記載の流体処理方法。
【請求項９２】
空気源を、前記ガスケット８０に形成された前記流路８６、又は前記ガスケット８０に形成された前記流路８７と一直線に並べるように前記回転弁をポジショニングするステップ
を更に含む、請求項７６に記載の流体処理方法。
【請求項９３】
空気源を前記流路４０と一直線に並べるように前記回転弁をポジショニングするステップ
を更に含む、請求項７６に記載の流体処理方法。
【請求項９４】
前記流路４０に水を流すように前記回転弁をポジショニングするステップ
を更に含む、請求項７６に記載の流体処理方法。
【請求項９５】
前記ガスケット８０に形成された前記流路８６、又は前記ガスケット８０に形成された前記流路８７に水を流すように前記回転弁をポジショニングするステップ
を更に含む、請求項７６に記載の流体処理方法。
【請求項９６】
陽性試料を陽性計量チャネルに流すように、且つ、陰性試料を陰性計量チャネルに流すように前記回転弁をポジショニングするステップ
を更に含む、請求項７６に記載の流体処理方法。
【請求項９７】
前記固定子弁面５２の固定子ポート５３の前記第１のペアを介して第１の流体通路５４にアクセスするか、固定子ポート５３の前記第２のペアを介して第２の流体通路５４にアクセスするステップを更に含む、請求項７６に記載の流体処理方法。
【請求項９８】
前記固定子弁面５２の固定子ポート５３の前記第３のペアを介して第３の流体通路にアクセスするステップを更に含む、請求項７７に記載の流体処理方法。
【請求項９９】
前記固定子弁面５２のうちの固定子ポート５３がない一部分に対して前記ガスケット入口８４及び前記ガスケット出口８５を位置決めするステップを更に含む、請求項７６〜９８のいずれか一項に記載の流体処理方法。
【請求項１００】
前記回転弁を、回転させるステップの前に、保管状態から使用準備完了状態まで動かすステップ
を更に含む、請求項７６に記載の流体処理方法。
【請求項１０１】
前記回転弁を保管状態から使用準備完了状態まで動かす前記ステップは更に、
前記ガスケット８０を動かして前記固定子弁面５２と接触させること
を含む、
請求項１００に記載の流体処理方法。
【請求項１０２】
前記回転弁を保管状態から使用準備完了状態まで動かす前記ステップは更に、
前記回転子と前記固定子の間のギャップを保持するずらし可能スペーサ６０をそらすことと、
前記ガスケット８０を動かして前記固定子弁面５２との流体密封関係に置くことと、
を含む、
請求項１００に記載の流体処理方法。
【請求項１０３】
前記回転弁を保管状態から使用準備完了状態まで動かす前記ステップは更に、
前記回転子をねじ山付き保持リングに対して回転させることと、
前記ガスケット８０を動かして前記固定子弁面５２と接触させることと、
を含む、
請求項１００に記載の流体処理方法。
【請求項１０４】
前記回転弁を保管状態から使用準備完了状態まで動かす前記ステップは更に、
前記回転弁を動かして前記ガスケット８０の犠牲エッジ１８０をずらすことと、
前記ガスケット８０を動かして前記固定子弁面５２と接触させることと、
を含む、
請求項１００に記載の流体処理方法。
【発明の詳細な説明】
【技術分野】
【０００１】
関連出願の相互参照
本出願は、参照により完全な形で本明細書に組み込まれている、２０１８年２月１５日に出願された米国特許出願第１５／８９８，０６４号、件名「回転弁（ＲＯＴＡＲＹ  ＶＡＬＶＥ）」の利益を主張するものである。
連邦支援の研究又は開発に関する陳述
【０００２】
本発明は、合衆国国防総省（ＤＡＲＰＡ）によって授与された契約番号ＨＲ００１１−１１−２−０００６の下に、政府支援を受けてなされたものである。米国政府は本発明における一定の権利を有する。
【０００３】
本発明は回転弁の分野に関し、例えば、マイクロ流体診断デバイスに流体を流し込むことに使用される回転弁の分野に関する。
【背景技術】
【０００４】
マイクロ流体コンポーネントを使用して生物試料のリアルタイム分析を実施するラボオン弁又は他の診断システムは、広い範囲の科学研究や診断の用途での応用に関して大きなポテンシャルを有する。そのようなシステムの機能にとって鍵となるのは、デバイス（特にマイクロ流体デバイス）の正しい区画に流体を方向付ける方法である。
【０００５】
本明細書に記載のデバイス及び方法は、流体を輸送すること、及び／又は流体からの１つ以上の分析対象物を隔離することの効果的な方法を提供する。そのようなデバイスは、流体を混合又は計量して、例えば、化学的又は生化学的な精製、合成、及び／又は分析を実施することに利用されてよい。本発明のデバイスは、試料を評価して、特定の分析対象物（例えば、有機体）が試料中に存在するかどうかを判定することに使用されてよい。流体デバイスは、陽性又は陰性のアッセイ結果を出すことに使用されてよい。そのようなデバイスは、例えば、試料中の分析対象物の濃度、又は分析対象物の他の特性を調べることにも使用されてよい。
【０００６】
流体デバイスは、特に生物学的アッセイにも利用される。デバイスは、溶液から分析対象物を（例えば、濾過により）捕捉することに使用されてよい。そのような捕捉は、溶液中の分析対象物を多孔質固体支持体、選択的マトリックス、又は選択的メンブレンの上に通して分析対象物を濃縮することを含んでよい。すると、この選択的要素は、分析対象物の動きを選択的要素から離すように制限し、一方、残りの溶液の動きを制限しない。分析対象物の捕捉の一実用的応用は、核酸を濾過濃縮して増幅反応に適する体積にすることである。そのような状況では、初期濃度が低い分析対象物であっても、溶液から捕捉して濃縮することが可能である。本明細書に記載の単軸作動弁デバイスは、既存の一般的な弁に比べて機器のコスト及び複雑さを低減する。更に、回転子にゼロ、１つ、又は複数の流路及び／又は多孔質固体支持体を組み込むことにより、既存の一般的な弁に比べて、流体レイアウトの要件が緩和され、デバイス全体の設計が簡略化される。
【０００７】
別の、可動部分を有する流体デバイスは、構造の点で保管に難がある場合がある。例えば、ガスケットのような可撓材料が保管や輸送で長期間にわたって圧縮されていると、変形したり、且つ／又は弾性が低下したりする可能性がある。圧縮された状態での保管が更に長引くと、可撓材料が、押し付けられている表面に粘着するに至る可能性がある。このような状況は、弁の運用性に悪影響を及ぼす可能性があり、例えば、流体を収容すること、方向付けること、及び／又は輸送することに悪影響を及ぼす可能性がある。ガスケットが粘着すると、弁の作動に大きな力を必要とする弁の動きが妨げられるか、場合によっては、弁が拘束されて動作不能になる可能性がある。本発明のデバイス及び方法は、デバイスが活性化されるまで、変位可能なスペーサが回転子を固定子から離して保持する保管構成を含む。従って、圧力下での保管による圧縮永久ひずみ及び弁の劣化の問題は、保管構成によって回避される。従って、本発明の弁は、表面を封止するガスケットエラストマの要件を緩和し、それによって、既存の一般的な弁に比べて、圧力定格をより引き上げ、動作寿命及び保管寿命を延ばすことを可能にする。
【発明の概要】
【発明が解決しようとする課題】
【０００８】
本発明は、上記従来技術における課題を解決するためになされたものである。
【課題を解決するための手段】
【０００９】
本明細書では、回転弁、並びに回転弁デバイスを使用、製造、及び保管する方法について記載する。弁デバイスは回転子を含んでよく、回転子は、固定子に接続され、回転子弁面と、多孔質固体支持体を含む流路とを含む。弁デバイスの変形形態は、ガスケットが回転子及び固定子の少なくとも一方を封止することを妨げるずらし可能なスペーサを含み、このスペーサがずらされると、ガスケットは回転子及び固定子を一緒に流体密封封止する。
【００１０】
一態様では、本発明は回転弁００を提供し、回転弁００は、（ａ）固定子５０であって、固定子面５２及び複数の通路５４を含み、各通路は固定子面にポート５３を含む、固定子５０と、（ｂ）回転子１０であって、固定子に作用的に接続されて、回転軸１６と回転子弁面１２と流路４０とを含み、流路４０は回転子弁面に入口４１及び出口４２を有し、流路４０は多孔質固体支持体４５を含む、回転子１０と、（ｃ）保持要素９０であって、回転子と固定子の境界面０２において固定子及び回転子を一緒に付勢して流体密封封止を形成する保持要素９０と、を含む。
【００１１】
好ましい一実施態様では、流路４０の断面は、回転軸１６と同心ではない。特定の実施態様では、回転子弁面１２は、回転子と固定子の境界面０２に介在するガスケット８０を含む。そのようなガスケット８０は、ガスケット８０を貫通するアパーチャ８３を含んでよく、ガスケットは、固定子上の弧状レール７０によって横方向に拘束されてよい。代替として、固定子面５２が、回転子と固定子の境界面０２に介在するガスケット８０を含んでよい。
【００１２】
幾つかの実施態様では、回転子弁面は流体コネクタ８６を含み、第１の回転子位置においては、固定子の第１のポート５３ａが流体コネクタ８６を介して固定子の第２のポート５３ｂに流体接続されている。回転弁は更に、第２の固定子位置を含んでよく、第２の回転子位置においては、第３のポート５３ｃが流体コネクタ８６を介して第４のポート５３ｄに流体接続されている。固定子は、回転軸から第１の半径方向距離にある複数の近位ポートと、第２の（より長い）半径方向距離にある複数の遠位ポートと、を含んでよい。
【００１３】
幾つかの実施態様では、回転子弁面は流体セレクタ８７を含み、流体セレクタ８７は、中心線が回転軸から等距離に弧を描く弧状部分と、弧状部分から回転軸に向かって放射状に延びるか、回転軸から遠ざかるように延びる放射状部分と、を有する。そのような実施態様では、第１の回転子位置においては、回転軸１６から第１の半径方向距離にある第１のポート５３ａが、流体セレクタ８７を介して、回転軸から第２の半径方向距離にある第２のポート５３ｂに流体接続されてよく、第２の回転子位置においては、第１のポートは、流体セレクタを介して、回転軸から第２の半径方向距離にある第３のポート５３ｃに流体接続されており、回転子が第１の回転子位置と第２の回転子位置との間で回転している間、第１のポートは流体セレクタに流体接続されたままである。
【００１４】
幾つかの実施態様では、回転子は複数の流路４０を含み、各流路は入口４１と出口４２と多孔質固体支持体４５とを含む。特定の実施態様では、回転子は、本体１１と、本体に作用的に接続されたキャップ３０と、を含み、流路４０の１つの壁がキャップによって定義される。回転子は、回転子弁面の反対側に外面１３を含み、外面１３は、スプラインと係合する開口部を含んでよい。
【００１５】
幾つかの実施態様では、回転弁は、固定子面５２と回転子弁面１２との間にガスケット８０を更に含み、固定子は、ガスケットが回転子１０及び固定子５０の少なくとも一方を封止することを妨げるずらし可能スペーサ６０を含み、このスペーサがずらされると、ガスケットは回転子及び固定子を一緒に流体密封封止する。保持要素９０は、保持リング９１及び付勢要素９６を含んでよい。好ましい一実施態様では、保持リング９１は固定子５０に固定的に結合されており、付勢要素９６は、回転子及び固定子を一緒に付勢するばねである。
【００１６】
本発明の別の態様は回転子を提供し、回転子は、（ａ）回転子の回転軸１６に垂直な回転子弁面１２であって、平坦な固定子面と流体密封接触するように構成された回転子弁面１２と、（ｂ）多孔質固体支持体４５を含むように構成された流路４０であって、回転子弁面に入口４１及び出口４２を有する流路４０と、を含む。流路４０は、固体支持体４５を含む多孔質固体支持体チャンバ４６を含んでよい。特定の実施態様では、回転子弁面は流体コネクタ８６を含む。幾つかの実施態様では、回転子弁面は流体セレクタ８７を含み、流体セレクタ８７は、中心線が回転軸から等距離に弧を描く弧状部分と、弧状部分から回転軸に向かって放射状に延びるか、回転軸から遠ざかるように延びる放射状部分と、を有する。回転子は複数の流路４０を含んでよく、各流路は多孔質固体支持体４５を含む。回転子は更に、回転子弁面１２に作用的に接続されたガスケット８０を含んでもよい。
【００１７】
本発明の別の態様は回転弁を提供し、回転弁は、（ａ）回転子１０であって、回転子弁面１２と、回転子弁面の反対側にある外面１３と、回転軸１６と、を含む回転子１０と、（ｂ）固定子５０と、（ｃ）固定子と回転子弁面との間に介在するガスケット８０と、（ｄ）ガスケットが回転子及び固定子の少なくとも一方を封止することを妨げるずらし可能なスペーサ６０であって、このスペーサがずらされると、ガスケットは回転子及び固定子を一緒に流体密封封止する、スペーサ６０と、を含む。回転弁は更に、回転子と固定子とを互いに向けて付勢する保持要素９０を更に含んでよい。幾つかの実施態様では、保持要素９０は保持リング９１及び付勢要素９６を含む。幾つかの実施態様では、保持リング９１は固定子に固定的に結合されており、付勢要素９６はばねである。特定の実施態様では、回転子１０は少なくとも１つのリップ２１を含み、ずらし可能スペーサ６０は、保管構成から運用構成へとずらし可能な複数のタブ６１を含み、タブ６１のそれぞれは、少なくとも１つのリップ２１と接触することによって、保管構成においてガスケットが回転子及び固定子を封止することを妨げ、タブが保管構成から運用構成へとずらされると、少なくとも１つのリップとの係合が解除される。少なくとも１つのリップ２１は内側リップ２３であってよく、回転子は更に、内側リップに近接するずらしスロット２８を含み、ずらしスロットは、運用構成までずらされた内側タブ６３を収容する。幾つかの実施態様では、回転子１０は湾曲外壁１４を含み、少なくとも１つのリップ２１は、外壁上に位置する周辺リップ２２である。好ましい一実施態様では、回転子は１つ以上のカム２４を含み、カム２４は、回転子が回転すると、複数のタブ６０を保管構成から運用構成へとずらし、これによって複数のタブ６１が少なくとも１つのリップ２１から係合解除される。
【００１８】
本発明の別の態様はマイクロ流体ネットワークを提供し、これは、（ａ）本明細書に記載の弁と、（ｂ）それぞれがポート５３の１つに流体接続されている複数のマイクロ流体導管５５と、を含む。
【００１９】
本発明の更に別の態様は、分析対象物を精製する方法を提供し、本方法は、（ａ）本明細書に記載の回転弁を用意するステップと、（ｂ）分析対象物を含む試料を流路に流し、分析対象物の少なくとも一部を多孔質固体支持体上に保持させて、拘束された分析対象部分と放出される試料部分とを生成するステップと、を含む。幾つかの実施態様では、試料を流路に流すステップは、回転子を第１の回転位置に置いて、第１のポートと流路と第２のポートとを流体接続することを含む。試料は第１のポートを通って流路に流入してよく、放出される試料部分は第２のポートを通って流路から出てよい。本方法の好ましい一実施態様は、回転子を第２の回転位置まで回転させて、第３のポートと流路と更なるポートとを流体接続し、その後、溶離剤を第３のポートから流路に流し込んで、分析対象物の少なくとも一部を多孔質固体支持体から解放して、分析対象試料を生成することを含み、この分析対象試料は第４のポートから流路を出る。
【００２０】
本発明の別の態様は回転弁の製造方法を提供し、本方法は、（ａ）固定子面を含む固定子を固定子本体材料から形成するステップと、（ｂ）固定子内に複数の通路を形成するステップであって、各通路は固定子面にポートを含む、通路を形成するステップと、（ｃ）回転子弁面を含む回転子を回転子本体材料から形成するステップと、（ｄ）回転子内に流路を形成するステップであって、流路は回転子弁面に入口及び出口を含む、流路を形成するステップと、（ｅ）多孔質固体支持体を流路に挿入するステップと、を含む。
【００２１】
本発明の一態様は回転弁の保管方法を提供し、本方法は、（ａ）本明細書に記載の弁を保管容器内に置くステップと、（ｂ）その弁を一定期間にわたって保管するステップと、を含む。幾つかの実施態様では、弁を保管するステップは、弁を保管ポジションで保持することを含み、保管ポジションでは、ガスケットは回転子及び固定子の少なくとも一方から間隔を置かれる。好ましくは、一定期間は３０日以上であり、より好ましくは、一定期間は９０日以上である。
【００２２】
概して、一実施形態では、回転弁００は、固定子５０、回転子１０、及び保持要素９０を含む。固定子５０は固定子面５２及び複数の通路５４を含み、各通路は固定子面にポート５３を含む。回転子１０は、固定子に作用的に接続されて、回転軸１６と回転子弁面１２と流路４０とを含み、流路４０は回転子弁面に入口４１及び出口４２を有し、流路４０は多孔質固体支持体４５を含む。保持リング９０は、回転子と固定子の境界面０２において固定子及び回転子を一緒に付勢して流体密封封止を形成する。
【００２３】
この実施形態及び他の実施形態は、以下の特徴のうちの１つ以上を含んでよい。流路４０の断面は、回転軸１６と同心でなくてよい。多孔質固体支持体はポリマーであってよい。多孔質固体支持体は、アルミナ、シリカ、シーライト、セラミック、金属酸化物、多孔質ガラス、制御された細孔ガラス、炭水化物ポリマー、多糖類、アガロース、セファロース（商標）、セファデックス（商標）、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択されてよい。回転子弁面１２は、回転子と固定子の境界面０２に介在するガスケット８０を含んでよい。ガスケット８０は、ガスケット８０を貫通するアパーチャ８３を含んでよく、固定子は、ガスケットを横方向に拘束する弧状レール７０を含んでよい。回転子弁面は流体コネクタ８６を含んでよく、第１の回転子位置においては、固定子の第１のポート５３ａが流体コネクタ８６を介して固定子の第２のポート５３ｂに流体接続されてよい。第１のポートは回転軸から第１の半径方向距離に位置してよく、第２のポートは第２の（異なる）半径方向距離に位置する。第２の回転子位置においては、第３のポート５３ｃが流体コネクタ８６を介して第４のポート５３ｄと流体接続されてよい。回転子弁面は流体セレクタ８７を含んでよく、流体セレクタ８７は、中心線が回転軸から等距離に弧を描く弧状部分と、弧状部分から回転軸に向かって放射状に延びるか、回転軸から遠ざかるように延びる放射状部分と、を有する。第１の回転子位置においては、回転軸１６から第１の半径方向距離にある第１のポート５３ａが、流体セレクタ８７を介して、回転軸から第２の半径方向距離にある第２のポート５３ｂに流体接続されてよく、第２の回転子位置においては、第１のポートは、流体セレクタを介して、回転軸から第２の半径方向距離にある第３のポート５３ｃに流体接続されてよく、回転子が第１の回転子位置と第２の回転子位置との間で回転している間、第１のポートは流体セレクタに流体接続されたままであってよい。回転子は複数の流路４０を含んでよく、各流路は入口４１と出口４２と多孔質固体支持体４５とを含む。回転子は、本体１１と、本体に作用的に接続されたキャップ３０と、を含んでよく、流路４０の１つの壁がキャップによって定義されてよい。回転弁は更に、固定子面５２と回転子弁面１２との間にガスケット８０を含んでよく、固定子は、ガスケットが回転子１０及び固定子５０の少なくとも一方を封止することを妨げるずらし可能スペーサ６０を含んでよく、スペーサがずらされると、ガスケットは回転子及び固定子を一緒に流体密封封止する。保持要素９０は、保持リング９１及び付勢要素９６を含んでよい。保持リング９１は固定子５０に固定的に結合されてよく、付勢要素９６は、回転子及び固定子を一緒に付勢するばねである。
【００２４】
概して、一実施形態では、回転弁は、回転子１０であって、回転子弁面１２と、回転子弁面の反対側にある外面１３と、回転軸１６と、を含む回転子１０と、固定子５０と、固定子と回転子弁面との間に介在するガスケット８０と、ガスケットが回転子及び固定子の少なくとも一方を封止することを妨げるずらし可能なスペーサ６０であって、このスペーサがずらされると、ガスケットは回転子及び固定子を一緒に流体密封封止する、スペーサ６０と、を含む。
【００２５】
この実施形態及び他の実施形態は、以下の特徴のうちの１つ以上を含んでよい。弁は更に、回転子と固定子とを互いに向けて付勢する保持要素９０を更に含んでよい。保持要素９０は、保持リング９１及び付勢要素９６を含んでよい。保持リング９１は固定子に固定的に結合されてよく、付勢要素９６はばねである。回転子１０は少なくとも１つのリップ２１を含んでよく、ずらし可能スペーサ６０は、保管構成から運用構成へとずらし可能な複数のタブ６１を含み、タブ６１のそれぞれは、少なくとも１つのリップ２１と接触することによって、保管構成においてガスケットが回転子及び固定子を封止することを妨げることが可能であり、タブが保管構成から運用構成へとずらされると、少なくとも１つのリップとの係合が解除されることが可能である。少なくとも１つのリップ２１は内側リップ２３であってよく、回転子は更に、内側リップに近接するずらしスロット２８を含んでよく、ずらしスロットは、運用構成までずらされたタブ６３を収容する。回転子１０は湾曲外壁１４を含んでよく、少なくとも１つのリップ２１は、外壁上に位置する周辺リップ２２である。回転子は１つ以上のカム２４を含んでよく、カム２４は、回転子が回転すると、複数のタブ６０を保管構成から運用構成へとずらし、これによって複数のタブ６１が少なくとも１つのリップ２１から係合解除される。ガスケット８０は、ガスケット８０を貫通するアパーチャ８３を含んでよく、固定子は、ガスケットを横方向に拘束する弧状レール７０を含んでよい。回転子は更に、流路４０を含み、流路４０は回転子弁面に入口４１及び出口４２を有し、流路４０は多孔質固体支持体４５を含む。外面１３は、スプラインと係合する開口部を含んでよい。
【００２６】
概して、一実施形態では、回転弁の保管方法が、（ａ）弁を保管容器内に置くステップと、（ｂ）その弁を一定期間にわたって保管するステップと、を含む。
【００２７】
この実施形態及び他の実施形態は、以下の特徴のうちの１つ以上を含んでよい。弁を保管するステップは、弁を保管ポジションで保持することを含み、保管ポジションでは、ガスケットは回転子及び固定子の少なくとも一方から間隔を置かれてよい。
【００２８】
概して、一実施形態では、回転弁は、回転子１０、固定子５０、ガスケット８０、及び保持要素９０を含む。回転子１０は、回転軸１６と、外面１３及び外面１３の反対側にある回転子弁面１２と、回転子弁面１２を貫通するアパーチャ４１、４２のペアと、を有する。固定子５０は、固定子面５２を有し、固定子面に複数の固定子ポート５３を有し、複数の固定子ポート５３のそれぞれは流体通路５４と連通している。ガスケット８０は、固定子面５２と前記回転子弁面１２との間に介在し、内側ガスケット封止面８１ｉと、外側ガスケット封止面８１ｏと、アパーチャ４２、４３のペアと一直線に並ぶガスケット開口部８３のペアと、を有する。保持要素９０は、回転子と固定子とを互いに向けて付勢し、内側ガスケット封止面８１ｉ及び前記外側ガスケット封止面８１ｏを固定子面５２の複数の固定子ポート５３との流体密封構成に置く。
【００２９】
この実施形態及び他の実施形態は、以下の特徴のうちの１つ以上を含んでよい。複数の固定子ポート５３は、回転軸１６から第１の半径方向間隔にある複数の固定子ポート、並びに回転軸１６から第２の半径方向間隔にある複数の固定子ポートとして構成されてよく、第１の半径方向間隔にある複数の固定子ポートのうちの１つの固定子ポートと、第２の半径方向間隔にある複数の固定子ポートのうちの１つの固定子ポートと、の間の流体連通が、内側ガスケット封止面８１ｉと外側ガスケット封止面８１ｏとの間を延びる流体コネクタ８６によって実現される。複数の固定子ポート５３は、回転軸１６から第１の半径方向間隔にあって回転軸１６を中心とする円周方向に位置する複数の固定子ポート、並びに回転軸１６から第２の半径方向間隔にあって回転軸１６を中心とする円周方向に位置する複数の固定子ポートとして構成されてよく、第１の半径方向間隔にある複数の固定子ポートのうちの１つの固定子ポートと、第２の半径方向間隔にある複数の固定子ポートのうちの１つ以上の固定子ポートと、の間の流体連通が、内側ガスケット封止面８１ｉと外側ガスケット封止面８１ｏとの間を外側ガスケット封止面８１ｏの一部分に沿って延びる流体セレクタ８７によって実現される。複数の固定子ポート５３は、回転軸１６から第１の半径方向間隔にあって回転軸１６を中心とする円周方向に位置する複数の固定子ポートとして構成されてよく、ガスケット８０は更に、内側ガスケット封止面８１ｉと外側ガスケット封止面８１ｏとの間を外側ガスケット封止面８１ｏの一部分に沿って延びる流体セレクタ８７を含み、第１の半径方向間隔にある複数の固定子ポートのうちの１つの固定子ポートと、回転軸１６から第２の（異なる）半径方向間隔にあって、第１の半径方向間隔にある複数の固定子ポートのうちのその１つの固定子ポートと異なる円周方向位置にある複数の固定子ポートのうちの１つ以上の固定子ポートと、の間の流体連通が、流体セレクタ８７によって実現される。回転弁のガスケット８０は更に、内側ガスケット封止面８１ｉと外側ガスケット封止面８１ｏとの間を外側ガスケット封止面８１ｏの一部分に沿って延びる流体セレクタ８７を含んでよい。回転弁のガスケット８０は更に、内側ガスケット封止面８１ｉと外側ガスケット封止面８１ｏとの間を延びる流体セレクタ８６を含んでよい。回転弁のガスケット８０は更に、流体セレクタ８７及び流体コネクタ８６を含んでよく、使用時には各固定子ポート５３は、流体セレクタ８７、流体コネクタ８７、内側ガスケット封止面８１ｉ、外側ガスケット封止面８１ｏ、又はガスケット開口部８３のいずれかと連通する。回転弁のガスケット８０は更に、流体コネクタ８６を含んでよく、使用時には、各固定子ポート５３は、流体コネクタ８７、内側ガスケット封止面８１ｉ、外側ガスケット封止面８１ｏ、又はガスケット開口部８３のいずれかと連通する。回転子弁面１２を貫通するアパーチャ４１、４２のペアは、多孔質固体支持体４５を含む流路４０のそれぞれ入口及び出口であってよい。回転子弁面１２を貫通するアパーチャ４１、４２のペアは、第１の固体支持体チャンバ４６を有する第１の流路４０と連通するアパーチャの第１のペアであり、回転子弁面１２を貫通するアパーチャ４１、４２の第２のセットは、第２の固体支持体チャンバ４６を有する第２の流路４０と連通しており、第１及び第２の固体支持体チャンバ４６は多孔質固体支持体４５を含む。多孔質固体支持体４５はポリマーであってよい。多孔質固体支持体４５は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択されてよい。
【００３０】
概して、回転弁は、回転子１０、固定子５０、及びガスケット８０を含む。回転子１０は、外面１３及び外面１３の反対側にある回転子弁面１２と、回転子弁面１２を貫通するアパーチャ４１、４２のペアと、を含む。固定子５０は、固定子面５２を有し、固定子面に複数の固定子ポート５３を有し、複数の固定子ポート５３のそれぞれは流体通路５４と連通している。ガスケット８０は、固定子面５２と回転子弁面１２との間に介在し、ガスケット内の開口部８３のペアがアパーチャ４１、４２のペアと一直線に並び、ガスケットは、保管状態の間は固定子面５２から間隔を置かれており、保管状態から解放されると、保持要素９０によって固定子面との流体密封関係に置かれて保持される。
【００３１】
この実施形態及び他の実施形態は、以下の特徴のうちの１つ以上を含んでよい。回転子４２は更に、回転子の周囲にあって固定子と結合されている保持リングを含んでよく、保持リングは、回転子に近接する面に沿って弧形状のペアを有してよく、回転子は、保持リングの弧形状のペアに対応する相補的な弧形状のペアを有し、弧形状のペアが相補的な弧形状のペアと係合することによって、回転弁が保管状態で保持される。回転弁は、回転子に近接する面に沿う弧形状のペアを、回転子上の相補的な弧形状のペアから係合解除するのに十分な、回転子と保持リングとの間の相対運動によって保管状態から解放されることが可能である。回転弁は更に、回転子の周囲にあって固定子と結合されている保持リングを含んでよい。保持リングは、保持リングの、回転子に近接する一部分の周囲に複数の溝を有してよく、回転子は、保持リングの複数の溝と嵌合対応する複数の相補的形状を有し、複数の溝が回転子の複数の相補的形状と係合することによって、回転弁が保管状態で保持される。回転弁は、保持リングの一部分の周囲の複数の溝を、回転子上で嵌合対応する複数の相補的形状から係合解除するのに十分な、回転子と保持リングとの間の相対運動によって保管状態から解放されることが可能である。回転弁は更に、ガスケット封止面に沿って配置されたスペーサを含んでよく、スペーサは、ガスケット封止面と固定子面との間のギャップを保持し、回転弁を保管状態で保持する。回転弁は、スペーサをずらしてガスケット封止面と固定子面との係合を可能にするのに十分な、回転子と固定子との間の相対運動によって、保管状態から解放されることが可能である。              回転弁は更に、回転弁と係合して、ガスケット封止面と固定子面との間のギャップを保持し、回転弁を保管状態で保持するクリップを含んでよい。クリップが取り外されて、保持要素がガスケットを動かして固定子面との流体密封関係に置くことが可能になると、回転弁が保管状態から解放されることが可能である。
【００３２】
概して、一実施形態では、回転弁は、回転子１０であって、回転軸１６と、回転子弁面１２と、回転子弁面の反対側にある外面１３と、を有する回転子１０と、固定子５０であって、回転子弁面の反対側に位置する固定子弁面を有する固定子５０と、回転子と固定子とを互いに向けて付勢する保持要素９０であって、保持リング９１及び付勢要素９６を含む保持要素９０と、を含み、保持リングのねじ山付き部分が回転子のねじ山付き部分と係合している間、回転弁は保管状態で保持される。
【００３３】
この実施形態及び他の実施形態は、以下の特徴のうちの１つ以上を含んでよい。回転子と固定子との間の相対運動によって、回転子弁面と固定子弁面との間に流体密封構成が形成されることが可能である。回転子と固定子との間の相対運動は、回転子が回転することによって、回転子が保持リングのねじ山付き部分に沿って動くことであってよい。回転弁を保管状態から係合解除する為の回転子の回転は１回転未満、半回転、４分の１回転、又は８分の１回転である。回転弁は更に、回転子弁面と固定子弁面との間に配置されたガスケットを含んでよく、回転弁が保管状態である間は、ガスケットは固定子弁面との流体密封封止を形成しない。回転子と固定子との間の相対運動によって、ガスケット、回転子弁面、及び固定子弁面との間に流体密封構成が形成されることが可能である。回転子と固定子との間の相対運動は、回転子が回転することによって、回転子が保持リングのねじ山付き部分に沿って動くことであってよい。回転弁を保管状態から移行させる為の回転子の回転は１回転未満、半回転、４分の１回転、又は８分の１回転である。回転子が保管状態から移行して、回転子と固定子との間に封止済み関係が形成されると、回転子のねじ山付き部分は、回転弁の他のどのねじ山付き部分からも自由であることが可能である。
【００３４】
概して、回転弁００は、固定子５０であって、固定子面５２及び複数の通路５４を含み、各通路は固定子面にポート５３を含む、固定子５０と、回転子１０であって、固定子に作用的に接続されて、回転軸１６と、回転子弁面１２と、回転子弁面に入口４１及び出口４２を有する流路４０と、入口４１及び出口４２と連通する固体支持体チャンバと、固体支持体チャンバ４５内にある多孔質固体支持体４５と、を含む回転子１０と、保持要素９０であって、回転子と固定子の境界面０２において固定子及び回転子を一緒に付勢して流体密封封止を形成する保持要素９０と、を含む。
【００３５】
この実施形態及び他の実施形態は、以下の特徴のうちの１つ以上を含んでよい。回転弁の固体支持体チャンバは、底面と、側壁と、底面に沿う少なくとも１つの流路スペーサと、を有してよい。少なくとも１つの流路スペーサは、チャンバの底面から持ち上げられてよい。少なくとも１つの流路スペーサは、チャンバの底面に埋め込まれてよい。少なくとも１つの流路スペーサは、出口４２及びチャンバ側壁から間隔を置かれてよい。少なくとも１つの流路スペーサは、出口４２に直接隣接してよい。少なくとも１つの流路スペーサは、チャンバ側壁の曲率に対応する弧形状を有してよい。少なくとも１つの流路スペーサは、出口４２から側壁に向かって延びてよい。チャンバ底面は平坦であってよい。チャンバ底面は、チャンバ側壁から出口４２に向かって傾斜してよい。多孔質固体支持体はポリマーであってよい。多孔質固体支持体は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択されてよい。回転弁は、保持要素が回転子及び固定子を付勢して流体密封封止構成にするまでは、回転子と固定子との間に流体密封封止がない初期の積み込まれた状態にとどまるように構成されてよい。回転弁は、回転子１０の各支持体チャンバ４６を覆う回転子カバー３０を有してよい。回転弁は、回転子外面１３全体を覆うが、１つ以上の開口部１７に対応する部分は覆わない回転子カバー３０を含んでよい。回転弁は、流路４０の一部分を完成させるのに十分なように各固体支持体チャンバ４６を封止するように底面３４が配置された回転子カバー３０を含んでよい。
【００３６】
概して、一実施形態では、回転弁を使用する流体処理方法は、回転軸１６を中心に回転弁を回転させて、ガスケット８０のガスケット入口８４及びガスケット出口８５を、それぞれ、回転子１０内に多孔質固体支持体４５を有する流路４０の入口４１及び出口４２と一直線に並べ、ガスケット入口８４及びガスケット出口８５を、固定子弁面５２の固定子ポート５３の第１のペアと一直線に並べるステップと、固定子弁面５２の固定子ポート５３の第２のペアをガスケット８０の一部分で封止するステップと、を含む。
【００３７】
この実施形態及び他の実施形態は、以下の特徴のうちの１つ以上を含んでよい。流体処理方法は更に、回転軸１６を中心に回転弁を回転させて、固定子弁面５２の固定子ポート５３の第１のペアを、ガスケット８０内に形成された流路８６と一直線に並べるか、固定子弁面５２の固定子ポート５３の第２のペアを、ガスケット８０内に形成された流路８６と一直線に並べるステップを含んでよい。流体処理方法は更に、回転軸１６を中心に回転弁を回転させて、固定子弁面５２の固定子ポート５３の第１のペアの少なくとも一方の固定子ポート、又は固定子ポートの第２のペアの少なくとも一方の固定子ポート５３を、ガスケット８０内に形成された流路８７と一直線に並べるステップを含んでよい。流体処理方法は更に、回転軸１６を中心に回転弁を回転させて、固定子弁面５２の固定子ポート５３の第１のペアの少なくとも一方の固定子ポート、又は固定子ポートの第３のペアの少なくとも一方の固定子ポート５３を、ガスケット８０内に形成された流路８７と一直線に並べるステップを含んでよい。流体処理方法は更に、回転軸１６を中心に回転弁を回転させて、流体を、流路４０に流す前に、固定子ポート５３の第１のペア、又は固定子ポート５３の第２のペアに流すステップを含んでよい。流体処理方法は更に、回転軸１６を中心に回転弁を回転させて、流体を、流路４０に流す前に、ガスケット８０に形成された流路８６、又はガスケット８０に形成された流路８７に流すステップを含んでよい。流体処理方法は更に、回転軸１６を中心に回転弁を回転させて、流体を、流路４０に流してから、固定子ポート５３の第１のペア、又は固定子ポート５３の第２のペアに流すステップを含んでよい。流体処理方法は更に、回転軸１６を中心に回転弁を回転させて、流体を、流路４０に流してから、ガスケット８０に形成された流路８６、又はガスケット８０に形成された流路８７に流すステップを含んでよい。流体処理方法は更に、流体を、流路４０に流してから、第１の流体通路５４又は第２の流体通路５４に流すステップを含んでよい。流体処理方法は更に、流体を、流路４０に流す前に、第１の流体通路５４又は第２の流体通路５４に流すステップを含んでよい。流体処理方法は更に、流体を流路４０に流すように回転弁をポジショニングしてから、流体を、ガスケット８０に形成された流路８６に通して流体通路５４に流すか、ガスケット８０に形成された流路８７に通して流体通路５４に流すように回転弁をポジショニングするステップを含んでよい。流体処理方法は更に、流体を、ガスケット８０に形成された流路８６に通すか、ガスケット８０に形成された流路８７に通して、流体通路５４に流すように回転弁をポジショニングするステップと、流体の一部を、流体通路５４と連通している保管チャンバに保管するステップと、を含んでよい。流体処理方法は更に、流体を、ガスケット８０に形成された流路８６に通すか、ガスケット８０に形成された流路８７に通して、流体通路５４に流すように回転弁をポジショニングするステップと、流体の一部を、溶解緩衝液と混合するステップと、を含んでよい。流体処理方法は更に、混合ステップからの流体を、ガスケット８０に形成された流路８６に通すか、ガスケット８０に形成された流路８７に通して、流路４０に流すように回転弁をポジショニングするステップを含んでよい。流体処理方法は更に、混合ステップからの流体を、多孔質固体支持体４５に通して流すように回転弁をポジショニングするステップを含んでよい。流体処理方法は更に、流体を、ガスケット８０に形成された流路８６に通すか、ガスケット８０に形成された流路８７に通して、廃棄物チャンバに流すように回転弁をポジショニングするステップを含んでよい。流体処理方法は更に、空気源を、ガスケット８０に形成された流路８６、又はガスケット８０に形成された流路８７と一直線に並べるように回転弁をポジショニングするステップを含んでよい。流体処理方法は更に、空気源を流路４０と一直線に並べるように回転弁をポジショニングするステップを含んでよい。流体処理方法は更に、流路４０に水を流すように回転弁をポジショニングするステップを含んでよい。流体処理方法は更に、ガスケット８０に形成された流路８６、又はガスケット８０に形成された流路８７に水を流すように回転弁をポジショニングするステップを含んでよい。流体処理方法は更に、陽性試料を陽性計量チャネルに流すように、且つ、陰性試料を陰性計量チャネルに流すように回転弁をポジショニングするステップを含んでよい。流体処理方法は更に、固定子弁面５２の固定子ポート５３の第１のペアを介して第１の流体通路５４にアクセスするか、固定子ポート５３の第２のペアを介して第２の流体通路５４にアクセスするステップを含んでよい。流体処理方法は更に、固定子弁面５２の固定子ポート５３の第３のペアを介して第３の流体通路にアクセスするステップを含んでよい。流体処理方法は更に、固定子弁面５２のうちの固定子ポート５３がない一部分に対してガスケット入口８４及びガスケット出口８５を位置決めするステップを含んでよい。流体処理方法は更に、回転弁を、回転させるステップの前に、保管状態から使用準備完了状態まで動かすステップを含んでよい。流体処理方法は更に、回転弁を保管状態から使用準備完了状態まで動かすステップを含んでよく、このステップは更に、
【００３８】
ガスケット８０を動かして固定子弁面５２と接触させることを含む。流体処理方法は更に、回転弁を保管状態から使用準備完了状態まで動かすステップを含んでよく、更に、回転子と固定子の間のギャップを保持するずらし可能スペーサ６０をそらすことと、ガスケット８０を動かして固定子弁面５２との流体密封関係に置くことと、を含んでよい。流体処理方法は更に、回転弁を保管状態から使用準備完了状態まで動かすステップを含んでよく、更に、回転子をねじ山付き保持リングに対して回転させることと、ガスケット８０を動かして固定子弁面５２と接触させることと、を含んでよい。流体処理方法は更に、回転弁を保管状態から使用準備完了状態まで動かすステップを含んでよく、更に、回転弁を動かしてガスケット８０の犠牲エッジ１８０をずらすことと、ガスケット８０を動かして固定子弁面５２と接触させることと、を含んでよい。
【００３９】
上述及び他の目的、特徴、及び利点は、以下の本発明の具体的な実施形態の説明から明らかになるであろう。それらは添付図面において示されており、添付図面では、類似の参照符号は、異なる複数の図の全てを通して同じ部分を参照している。図面は、縮尺が必ずしも正確ではなく、むしろ、本発明の様々な実施形態の原理を示すことに重点を置いている。
【図面の簡単な説明】
【００４０】
【図１Ａ】乃至
【図１Ｂ２】本明細書に記載の本発明による一回転弁の様々な図である。図１Ａは回転弁の部分切り欠き図である。図１Ｂ１及び１Ｂ２は、同じ弁を上から見下ろした分解斜視図（図１Ｂ１）及び下から見上げた分解斜視図（図１Ｂ２）である。
【図２Ａ】乃至
【図２Ｃ】回転子の幾つかの斜視図である。図２Ａは、回転子本体を外面側から見た斜視図である。図２Ｂは、同じ回転子本体を弁面側から見た図である。図２Ｃは、ガスケットが取り付けられた回転子本体を弁面側から見た斜視図である。
【図３Ａ】乃至
【図３Ｂ】図３Ａは、複数の流路を含む回転子の斜視図である。図３Ｂは、流路の１つの中にある１つの固体支持体チャンバの拡大図である。
【図４】本発明の一実施形態による、回転子と固定子の境界面を示す、弁の断面斜視図である。
【図５Ａ】乃至
【図５Ｂ】図５Ａは、回転子に中心円柱がある弁の一実施形態の、下から見上げた分解斜視図である。図５Ｂは、図５Ａの回転子の回転子キャップの拡大図である。
【図５Ｃ】図５Ａの底面斜視図に対応する上面分解斜視図である。
【図５Ｄ】図５Ａ〜５Ｃの弁の組み立て後の部分断面図である。
【図６】図１Ｂ１に示された回転弁の、弧状レール及び幾つかのポートを含む固定子の斜視図である。
【図７Ａ】乃至
【図７Ｂ１】固定子と摺動可能に係合するガスケットの実施形態の斜視図である。
【図７Ｂ２】回転子に取り付けられた図７Ｂ１のガスケットの斜視図である。
【図８Ａ】乃至
【図８Ｂ】保管ポジションにある図５Ｄの弁の、それぞれ、斜視図及び断面図である。
【図９Ａ】乃至
【図９Ｂ】運用ポジションに移行した図８Ａ及び８Ｂの弁の、それぞれ、斜視図及び断面図である。
【図１０Ａ】回転弁のねじ山付き回転子の斜視図である。
【図１０Ｂ】図１０Ａのねじ山付き回転子の側面図である。
【図１０Ｃ】図１０Ａのねじ山付き回転子が保管状態でねじ山付き保持リング内にある回転弁の断面図である。
【図１１Ａ】乃至
【図１１Ｂ】ねじ山付き回転子が保管状態である回転弁の斜視断面図及び断面図である。
【図１２Ａ】乃至
【図１２Ｂ】ねじ山付き回転子が保管状態から移行して使用準備完了状態にあり、ガスケットが固定子と流体密封封止を形成している、図１１Ａ及び１１Ｂの回転弁の斜視断面図及び断面図である。
【図１３】回転子と固定子の間にスペーサがある、保管状態の回転弁の部分断面図である。
【図１４Ａ】乃至
【図１４Ｂ】ノッチ付き回転子を有する回転弁の、保管状態（図１４Ａ）及び封止済み／使用準備完了状態（図１４Ｂ）での斜視図である。
【図１５】回転子が保持リングの上方且つ外側に間隔を開けて存在する、回転弁の分解図である。
【図１６】回転弁を保管状態で保持する為に使用されるクリップの、下から見上げた断面図である。クリップはプロングのペアを含み、これらは、回転弁内で固定子と回転子の間の所望のギャップを保持する位置で示されている。
【図１７Ａ】固体支持体チャンバ内の流路スペーサの代替構成の、上から見下ろした等角図である。
【図１７Ｂ】図１７Ａの流路スペーサを有する固体支持体チャンバの断面図である。
【図１７Ｃ】乃至
【図１７Ｄ】テーパ状又はウェッジ状の流路スペーサが載っている平坦な底面（図１７Ｃ）又は傾斜付き底面（図１７Ｄ）を有する固体支持体チャンバの断面図である。
【図１７Ｅ】固体支持体チャンバ内の流路スペーサの代替構成の、上から見下ろした等角図である。
【図１８Ａ】乃至
【図１８Ｃ】支持体チャンバ出口の周囲に配列された複数の流路スペーサが、図１７Ａ〜１７Ｄに関して上述されたものとよく似ているものの、支持体チャンバの底面に埋め込まれている流れチャンバの、それぞれ、上面図及び断面図である。
【図１９】本明細書に記載の回転弁を使用する、生物学的アッセイの分析用生物学的試料の調製の為に行われてよい一連の試料処理ステップを示す表である。
【図２０Ａ】乃至
【図３０Ｃ】図１９の表に示された各例示的ステップを実施するように運用される回転弁のポジション及び動作を示す図である。
【発明を実施するための形態】
【００４１】
本明細書の以下では、本発明の様々な実施形態の詳細を説明する。本発明の他の特徴、目的、及び利点については、本明細書及び図面から、そして特許請求項から明らかになるであろう。
【００４２】
本明細書では、回転弁、並びに回転弁を使用、製造、及び保管する方法について記載する。回転弁は回転子及び固定子を含み、これらは互いに向かって付勢されて流体密封封止を形成する。幾つかの実施態様では、回転子は、多孔質固体支持体を含む流路が組み込まれている。多くの場合、回転子と固定子の間の流体密封境界面はガスケットにより強化される。回転弁の幾つかの実施態様は、運用前にガスケットが回転子及び固定子の少なくとも一方を封止することを妨げるずらし可能なスペーサを含み、このスペーサがずらされると、ガスケットは回転子及び固定子を一緒に流体密封封止する。
【００４３】
本発明の詳細な説明の前に、本発明は、記載される特定の実施形態に限定されず、従って、当然のことながら多様であってよいことを理解されたい。更に、本明細書において使用される術語が、特定の実施形態のみを記載する為のものであって、限定的であることを意図されたものではないことを理解されたい。これは、本明細書の範囲が添付の特許請求の範囲によってのみ限定される為である。
【００４４】
ある範囲の値が与えられた場合、その範囲の上限値と下限値の間にある、文脈が明らかに別の意味でない限り、下限値の単位の１０分の１までの各介在値、並びにその述べられた範囲にある他の任意の述べられた値又は介在値が、本発明に包含されることを理解されたい。これらのより小さい範囲の上限値及び下限値は、そのより小さい範囲に独立して含まれうるものであり、やはり本発明に包含され、述べられた範囲にある任意の特に排除される限界値になることもある。述べられた範囲が一方又は両方の限界値を含む場合、それらの含まれる限界値の一方又は両方を排除する範囲も又、本発明に包含される。
【００４５】
本明細書では、特定の測定値又は範囲を提示する場合に、数値の前に「約」という言葉を付けることがある。本明細書では「約」という言葉は、「約」の後に来る数値そのものに加えて、「約」の後に来る数値に近い数値、又はほぼその数値である数値を文字通りサポートする。ある数値が具体的に記載された数値に近いかどうか、或いはほぼその具体的に記載された数値かどうかを判定する際には、その具体的に記載された数値に近いか、ほぼその具体的に記載された数値である未記載の数値は、その未記載の数値が提示される文脈において、その具体的に記載された数値と実質的に等価である数値であってよい。
【００４６】
マイクロ流体用途又はメソ流体用途の為の可撓且つロバストな弁について開示する。この弁は、「流体プログラミング」が容易に変更可能であるように設計される。この弁は又、弁の回転子に固相抽出要素の濾過を組み込むことが可能であり、これによって、流体回路設計に関連する設計及びレイアウトの要件が緩和される。更に、この弁は、弁の表面におけるポリマーの圧縮永久ひずみの問題を回避する任意選択の輸送ポジションを含む。
【００４７】
回転弁
本明細書では、１つ以上の流体又は流体成分を移動、測定、処理、濃縮、及び／又は混合することに有用な回転弁について記載する。回転弁は、少なくとも１つの回転可能な弁コンポーネントである回転子を含み、回転子は、固定されたコンポーネントである固定子に対して回転することが可能である。固定子という用語は、回転子系内での動きを評価する為の基準座標系を意味する。固定子は静的なままであり、回転子は弁の基準座標系内を動くが、固定子は、より大きな機器に対しては、又は世界全体に対しては動いてよい。
【００４８】
一態様では、本発明が提供する回転弁は、流体ストリーム中の分析対象物を濾過、バインド、及び／又は精製する為の多孔質固体支持体を保持することが可能な流路が組み込まれている。一実施態様では、回転弁は、固定子５０であって、固定子面５２及び複数の通路５４を含み、各通路は固定子面にポート５３を含む、固定子５０と、回転子１０であって、固定子に作用的に接続されて、回転軸１６、回転子弁面１２、及び流路４０を含み、流路４０は回転子弁面に入口４１及び出口４２を有し、流路４０は多孔質固体支持体４５を含む、回転子１０と、保持要素９０であって、回転子と固定子の境界面において固定子及び回転子を一緒に付勢して流体密封封止を形成する保持要素９０と、を含む。
【００４９】
動作中の回転弁内では、回転子が、付勢要素の動作によって固定子に作用的に結合される。本明細書では「作用的に接続されている」及び「作用的に結合されている」は、本開示のデバイスが動作すること、及び／又は本開示の方法が本明細書に記載のように有効に実施されることを可能にする特定の方法で接続されていることを意味する。例えば、作用的に結合することは、２つ以上の側面を取り外し可能に結合すること、又は固定的に結合することを含んでよい。従って、作用的に接続されている各側面は、互いに対して固定的に接続されてよく、且つ／又は、デバイスの運用時に互いの少なくとも１つの面に沿って摺動可能であるように、互いに対して摺動可能に接続されてよい。作用的に接続されている側面は、１つの側面（例えば、回転子）が別の側面（例えば、固定子）に対して回転するように、回転可能に結合されてもよい。作用的な結合は、２つ以上のコンポーネントを流体的に、且つ／又は電気的に、且つ／又は嵌合可能に、且つ／又は粘着可能に結合することを含んでもよい。又、本明細書では「取り外し可能に結合されている」は、２つ以上の結合されたコンポーネントが繰り返し結合解除されて再結合されることが可能なように結合されている（例えば、物理的に、且つ／又は流体的に、且つ／又は電気的に結合されている）ことを意味する。
【００５０】
本明細書では「流体連通」という用語は、任意のダクト、チャネル、チューブ、パイプ、又は、経路が開いているときに物質（例えば、液体、気体、又は固体）がほぼ無制限に通り抜けられる経路を意味する。この経路が閉じられると、物質は通り抜けることをほぼ制限される。
【００５１】
図１Ａ及び１Ｂは本発明の回転弁を示しており、この回転弁は、回転子１０と、固定子５０と、回転子と固定子の流体密封接触を保持する付勢要素９６とを含む。回転子及び固定子はそれぞれが、流体ストリームのハンドリング及び再方向付けの為の構造を含む。図１Ａに示された部分切り欠き図では、流路が部分的に露出していて、固体支持体チャンバ４６と、その中に収容された多孔質固体支持体４５とが見えている。図１Ｂ１及び１Ｂ２は回転弁の分解図を示しており、ここでは、（回転子キャップ３０で密封される）外面上に流路４０が露出しており、入口４１及び出口４２が弁面に見えている。図１Ｂ１及び１Ｂ２の回転弁は、回転子と固定子との間の封止を強化する為に、回転子弁面にガスケット８０を含む。図５Ａ〜５Ｄは、４つの流路を有する別の回転弁実施形態の更なる詳細を示す。更に、この回転弁実施形態は、内側付勢要素９６ａ及び外側付勢要素９６ｂが使用される様子を示している。
【００５２】
回転子
一態様では、回転弁は回転子を含み、回転子には、分析対象物を精製、抽出、及び／又は濃縮する為の固体支持体を保持する流路が組み込まれている。図２Ａ、２Ｂ、２Ｃ、及び３は、本明細書に記載の回転弁において有用な典型的な回転子を示している。図２Ａ、２Ｂ、及び２Ｃは、単一流路を含む回転子を示している。固体支持体チャンバ４６は、図２Ａにおいて最もはっきり見える。図２Ｂは、回転子弁面１２の側から見た回転子を示しており、流路の入口４１及び出口４２が見えている。図２Ｃは、弁面にガスケット８０を含む回転子を示している。代替として、図３に示されるように、回転子は複数の流路を含んでよい。図３の回転子は、４つの流路（４６ａ〜４６ｄ）を含み、これらの流路はサイズが互いに異なっていてよい。
【００５３】
回転子は、回転軸１６を中心に回転するように構成されている。例えば、回転子は、固定子に対して回転軸を中心に回転してよい。回転子は、回転軸を中心として対称又はほぼ対称であることが好ましい。本明細書では「ほぼ」は、「ほとんど完全」或いは「ほとんど全体」のように、大きな程度又はかなり大きな態度であることを意味する。様々な態様では、回転子は円筒形、又はほぼ円筒形である。回転子の本体は回転軸に関して対称であることが好ましいが、ずらし可能スペーサ境界面、推進係合開口部、流体ハンドリング要素等のフィーチャの配置は、回転軸に関して対称又はほぼ対称でなくてよい。
【００５４】
本明細書に記載のデバイス及び方法で使用可能な回転子は、典型的には、第１の面（例えば、弁面１２）と、第１の面の反対側にある第２の面（例えば、外面１３）とを含む。弁面及び／又は外面はそれぞれが平坦であってよく、又は平坦な部分を有してよい。そのような状況では、回転子の回転軸は、弁面及び／又は外面に垂直又はほぼ垂直である。又、円筒形の回転子では、回転軸は、回転子の最も外側の半径方向エッジ上、又は回転子及び／又は外面の最も外側の半径方向エッジ上にある全ての点から等距離又はほぼ等距離に位置する回転子の一部分によって定義されるか、且つ／又はその一部分であってよい。回転子弁面１２は、任意選択でガスケット８０を含む。弁面は、典型的には更に、１つ以上の流体ハンドリングフィーチャを含み、例えば、流路に対する入口及び／又は出口、流体コネクタ、又は流体セレクタを含む。回転子弁面がガスケットを含む場合、流体ハンドリングフィーチャは、典型的にはガスケットに含まれる。
【００５５】
幾つかの実施形態では、回転子は任意選択で、固定子の１つ以上の部分（例えば、回転子がそれを中心として回転できる固定子中心突起）を受ける中心開口部１５を含む。回転子の中心開口部は更に、付勢要素及び／又は１つ以上のずらし可能スペーサを収容できるように構成されてよい。
【００５６】
回転子（例えば、円筒形の回転子）は、直径（例えば、断面直径）を含む寸法が３〜１００ｍｍ、５〜７５ｍｍ、又は１０〜５０ｍｍの範囲であってよい。そのような直径は、３〜５０ｍｍ、５〜４０ｍｍ、又は１０〜３０ｍｍの範囲であってもよい。
【００５７】
回転子は、回転推進要素（例えば、回転子と作用的に結合可能なスプライン）とともに回転するように構成されている。幾つかの態様では、回転子の外面は、凹部である推進係合開口部１７のエッジを定義する開口部を含む。回転子とスプラインとを作用的に結合することは、この開口部をスプラインと係合させることを含む。そのような係合は、スプラインの少なくとも一部分（例えば、突起）を開口部に挿入することを含み、それにより、突起を回転運動させると、回転子にも力がかかって回転子が回転軸を中心に回転する。スプラインのその一部分は、固定子に向かう方向に、且つ／又は回転子の回転軸に平行に、開口部に挿入されてよい。更に、様々な実施形態では、回転子は推進突起を含み、回転推進要素は、回転子突起を受けて回転子と推進要素とを係合させる開口部（例えば、凹部のエッジを定義する開口部）を回転推進要素の中に含む。
【００５８】
図２Ａ及び３に示された弁を含む幾つかの実施態様では、回転子１０は、推進要素を係合させる為の複数の（例えば、２つ、３つ、４つ、又はそれ以上の）推進係合開口部１７を含む。そのような開口部は、回転推進要素（例えば、手動及び／又は自動及び／又は電動の推進要素）の一部分（例えば、スプライン）をその中で受けるように構成されてよく、それによって、推進要素がその後、回転子に力をかけて回転子を回転させることが可能なように構成されてよい。典型的には、推進係合開口部は、回転子の回転軸と同心になるように配置される。別の実施態様では、回転子は、必須ではないが典型的には回転軸と同心である単一の推進係合開口部を含む。そのような中心に位置する推進係合開口部は、好ましくは、回転子を固定子に対して回転させるのに必要なトルクを生成するのに十分な、推進要素との相互作用を可能にする為に非円形である。
【００５９】
幾つかの変形形態では、本発明の弁は複数の推進突起を含み、例えば、回転子（例えば、回転子の最も外側の周辺壁又はエッジ）から突出する一連の歯を形成する突起を含む。そのような突起は、回転子を回転させる為に、回転推進要素上の歯に対する一連のレセプタクルと作用的に係合するように構成されてよい。様々な実施形態では、この構成は反転され、回転子は、回転推進要素上の歯のような突起に対する一連のレセプタクルを含む。従って、幾つかの変形形態では、回転子の一部分が、推進要素又はその一部分と噛み合うギヤを形成し、ギヤの相互作用が回転子の回転を駆動する。
【００６０】
様々な実施形態では、回転子は１つ以上の流路を含み、これらの流路は１つ以上の流体（例えば、試料又は試料を含む流体）を流すように構成される。図４に示されるように、各流路４０は、入口４１、回転子弁面１２にある出口４２、及び固体支持体チャンバ４６を含む。様々な実施態様では、流路４０は更に、第１の導管４３を含み、第１の導管４３は入口４１から固体支持体チャンバ４６までの橋渡しを行う。そのような実施態様は更に、第２の導管４４を含んでよく、第２の導管４４は固体支持体チャンバ４６から出口４２までの橋渡しを行う。第１及び第２の導管４３、４４は、寸法（例えば、長さ、体積、又は断面積）が同じであっても異なってもよい。第１及び第２の導管の断面は、均一であってよく、或いは導管の長さ方向に変化してよい。幾つかの実施態様では、１つの導管が回転子の厚さいっぱい（又はほぼ厚さいっぱい）に、即ち、弁面１２から外面１３まで延びる。
【００６１】
図４の断面図は、固定子ポート５３ａ、５３ｂを介する固定子流体通路５４と、多孔質固体支持体４５を収容するチャンバ４６との間の流体経路を確立する、回転子と固定子の向きを示している。固定子流体通路５４は、この図には示されていないが、固定子本体５１内にある（図１Ｂ２を参照）。その結果、回転子本体１１内の流路４０が、チャンバ４６内の多孔質固体支持体４５との流体連通を実現する。ガスケットポート８４及び８５が２つの固定子ポート５３と一直線に並ぶと流路４０がアクセスされ、これが起こるのは、この実施形態では、ガスケットポート８４、８５が固定子ポート５３ａ、５３ｂと一直線に並ぶときである。
この図では、固体支持体チャンバ４６を通る流体流経路も見えている。一例示的流路は、固定子５０の第１のポート５３ａから始まる。次に、ガスケット入口ポート８４を介してガスケット８０を通り抜ける経路がある。次に、流体は入口４１から第１の流体導管４３を通って回転子本体１１に入る。第１の導管４３の出口は、回転子上面１３とキャップカバー３０の底面３４との間の空間によって定義される流体経路につながる。上面１３のこの領域は、第１の流体導管４３とチャンバ４６との間の所望の流路の一部分になるように成形される。この部分流路は、キャップカバー３０が回転子上面１３に固定された時点で完成する。次に流体は、多孔質固体支持体４５を収容しているチャンバ４６に入る。次に流体は、チャンバ４６の底部に進み、第２の導管４４に進み、そして回転子出口４２に進む。流体は回転子出口４２から回転子を出て、出口ポート８５からガスケット８０を通り抜けて固定子開口部５３ｂに至る。固定子開口部５３ｂから出た流体は、図１Ｂ１に示されるように、固定子流体経路５４を通って先へ進む。
【００６２】
図４を見れば最もよく分かるように、流路４０の実施形態は、回転子本体１１内に存在してよい。流路４０が設けられると、流路４０は、回転子弁面１２の１つ以上のポートと固体支持体チャンバ４６との間に流体経路を提供する。図４に示されるように回転子と固定子が一直線に並ぶと、固定子開口部５３ａ、５３ｂからアクセスされる固定子の流体経路５４は、上述のように流体経路４０の実施形態を介して多孔質固体支持体４５と連通する。
【００６３】
回転子の不可欠な部分として、流路が、他の弁側面（例えば、固定子）に対して、回転子の他の部分とともに回転する回転運動を行うように構成される。好ましい一実施態様では、流路は、回転子の回転軸と同心ではない。図４に示されるように、流路は、１つ以上の入口４１と１つ以上の出口４２とを含んでよく、その入口と出口とを流体連通させてよい。好ましい一実施態様では、各流路は１つの入口と１つの出口とを含む。入口及び出口は、必須ではないが典型的には、その入口又は出口に直接隣接した流路の断面と同じ形状を採用する。この入口及び／又は出口は、円形、矩形、又は他の任意の、弁境界面内に流体密封流体接続を形成することに適合するしかるべき形状であってよい。
【００６４】
多くの実施態様において本発明のデバイスは使い捨てであり、且つ／又は１回限りの使用を意図されており、一方、他の弁はそうでななく、何度も使用されることを意図されている。更に、本発明のデバイスは、既存の弁設計に比べて、より狭い空間でより一層複雑な回路をサポートすることが可能である。更に、多孔質固体支持体を弁回転子に組み込むことにより、弁の使用に関連する流体レイアウトが改善される。
【００６５】
様々な実施形態では、多孔質固体支持体４５を中に保持する多孔質固体支持体チャンバ４６が流路４０に含まれる。多孔質固体支持体チャンバ４６は、円筒形であってよく、又は他の任意の、本明細書に記載の多孔質固体支持体４５の任意の構成に対応する形状を採用してよい。支持体チャンバ４６の別の形状として、多角形状又は他の多辺形状があり、これには複数の曲線辺、又は曲線辺と直線辺の組み合わせを有する形状が含まれる。更に、又は任意選択で、支持体チャンバの側壁は直線的であってよく、又は角度が付いていてよい。角度が付いた一構成では、チャンバ４６は、第１の導管４３に近い部分ほど広くなり、第２の導管４４に近接する部分では狭くなる。多孔質固体支持体チャンバは、多孔質固体支持体に加えて更に、多孔質固体支持体内を流れる前にチャンバ内を流れる流体を収容する為の予備的空間を含んでよい。例えば、図４のチャンバ４６内の、多孔質固体支持体４５の上部にできた、多孔質固体支持体４５の上面とキャップ底面３４との間の空間を参照されたい。予備的空間の体積は、多孔質固体支持体４５の体積に比べて同じであっても小さくても大きくてもよい。流路４０及び固体支持体チャンバ４６は、（例えば、図４のように）チャンバを通る流体の流れが回転軸とほぼ平行になるように構成されてよい。構成によっては、第１の導管４３及び第２の導管４４は、流路が回転子の回転軸１６と平行になるように回転子内で配置される。代替として、流路及び固体支持体チャンバは、チャンバを通る流体の流れが回転子弁面と平行になるように構成されてよい。回転子の本体内では固体支持体チャンバの体積が大部分を占めており、固体支持体チャンバの１つ以上の壁が別々の要素（例えば、回転子キャップ３０）で形成されてよい。
【００６６】
図３Ａに示された実施形態を含む様々な実施形態では、２つ以上の（例えば、全ての）流路又はその一部分（例えば、多孔質固体支持体チャンバ）が異なる断面直径を有する。例えば、固体支持体チャンバ４６ａは直径が固体支持体チャンバ４６ｃより狭い。幾つかの変形形態では、流路又はその一部分（例えば、多孔質固体支持体チャンバ）はいずれも断面直径が同じではない。別の実施形態では、複数の流路又はその一部分（例えば、多孔質固体支持体チャンバ）の２つ以上が同じ断面直径を有する。流路の場合と同様に、固体支持体チャンバも、回転子の回転軸と同心でないことが好ましい。当然のことながら、流路内の流体流路スペーサ２９は回転弁上の流路間で様々であってよく、これについては図１７Ａ〜１８Ｃに関して詳述する。１つの回転子上の様々な流体スペーサの一具体例を図１８Ａに示す。
【００６７】
回転子の一部分の拡大図を図３に示す。回転子は流路４６ｂを含む。任意選択で、流路は更に、多孔質固体支持体と多孔質固体支持体チャンバの面（例えば、底面）との間に間隔を置く為の流路スペーサ４９を含む。様々な実施形態では、流路スペーサは三日月形であってよく、その長さ方向に弧状に延びてよい。流路スペーサは、多孔質固体支持体（例えば、ビード又はファイバ）が固体支持体チャンバの出口を物理的に塞がないようにすることによって、出口を通る流体の流れを容易にすることが可能である。
【００６８】
固体支持体チャンバ４６は、１つ以上の多孔質固体支持体４５を保持するように構成されている。多孔質固体支持体は、分析対象物を捕捉して濃縮するように構成されてよく、例えば、本明細書に記載のいずれかの時間以内に（例えば３０分以内、例えば１時間以内に）多孔質固体支持体内を流れる試料中の分析対象物を第１の濃度から第２の濃度に、分析対象物濃度の倍率で（例えば、１０００倍以上）濃縮するように構成されてよい。様々な実施形態では、多孔質固体支持体に境界がつけられ、例えば、上流面及び／又は下流面においてフリットで境界がつけられる。
【００６９】
幾つかの態様では、多孔質固体支持体は選択的メンブレン又は選択的マトリックスであってよい。本明細書では「選択的メンブレン」又は「選択的マトリックス」という用語は、本明細書で参照されているように、複数の物質が多孔質固体支持体に曝露されて、少なくとも１つの物質の少なくとも一部が多孔質固体支持体内を通って移動する場合に、１つの物質（例えば、分析対象物）を、別の物質（例えば、試料のうちの分析対象物以外の部分及び／又は水及び／又は緩衝液等の液体）より効果的に（例えば、実質的により効果的に）保持するメンブレン又はマトリックスである。例えば、生物学的試料を中に流す多孔質固体支持体（例えば、選択的マトリックス）は、試料のうちの分析対象物以外が多孔質固体支持体を通過する間、分析対象物（例えば、核酸）を保持することが可能である。
【００７０】
多孔質固体支持体の例として、アルミナ、シリカ、シーライト、セラミック、金属酸化物、多孔質ガラス、制御された細孔ガラス、炭水化物ポリマー、多糖類、アガロース、セファロース（商標）、セファデックス（商標）、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、又はこれらの任意の組み合わせがあり、これらに限定されない。マトリックス材料の選択は、親和性リガンド対の化学的性質、所望の特定の結合にマトリックスがいかに容易に適合されうるか等の考察に基づく。
【００７１】
幾つかの実施形態では、多孔質固体支持体は、ポリマー固体支持体であり、ポリビニルエーテル、ポリビニルアルコール、ポリメタクリル酸、ポリアクリラート、ポリスチレン、ポリアクリルアミド、ポリメタクリルアミド、ポリカーボネート、又はこれらの任意の組み合わせから選択されるポリマーを含む。一実施形態では、固体支持体は、グラスファイバベースの固体支持体であり、任意選択で官能化可能なガラスファイバを含む。幾つかの実施形態では、固体支持体はゲル及び／又はマトリックスである。幾つかの実施形態では、固体支持体はビード、粒子、又はナノ粒子の形態である。
【００７２】
様々な態様では、多孔質固体支持体は複数の磁気ビードを含む。そのようなビードは、試料が流路及び／又は多孔質固体支持体に流されるローディングステップの間にビードが流路で保持されるようなサイズであってよい。ビードは、緩衝液が流路及び／又は多孔質固体支持体に流される洗浄ステップの間も流路に保持されることが可能である。ビードは更に、溶離ステップの間に流路から解放されることが可能であるようなサイズ及び／又は磁気含有量であってよい。そのような解放は、ビードが流路に保持されている磁場を変化させるか除去することによって可能である。溶離ステップでは、ビードは、その後の溶離に備えて回転子から流出すること、及び／又は固定子に流入することが可能である。
【００７３】
試料の分析対象物又はリガンドの多孔質固体支持体への付着を推進する為に、無数の官能基が本発明の実施形態とともに使用されてよい。多孔質固体支持体上にあることが可能な、そのような官能基の非限定的な例として、アミン、チオール、フラン、マレイミド、エポキシ、アルデヒド、アルケン、アルキン、アジド、アズラクトン、カルボキシル、活性化エステル、トリアジン、及び塩化スルフォニルがある。一実施形態では、アミン基が官能基として使用される。多孔質固体支持体は、１つ以上の適切なリガンドの支持体への固定化を推進する、用意された官能基のうちの１つ以上を含有する為の改質及び／又は活性化も行われてよい。
【００７４】
幾つかの実施形態では、多孔質固体支持体の表面に、表面モイアティ（例えば、試料の分析対象物又はリガンドの表面モイアティ）を固体支持体に付着させる表面改質剤と反応することが可能な反応性化学基が含まれる。表面改質剤は、表面モイアティを固体支持体に付着させることに適用可能である。本発明の実施時には、所望の表面モイアティを固体支持体に付着させることが可能な任意の表面改質剤が使用されてよい。表面改質剤と固体支持体との反応については、開示内容全体があらゆる目的の為に参照により本明細書に組み込まれている「最新液体クロマトグラフィ入門（Ａｎ  Ｉｎｔｒｏｄｕｃｔｉｏｎ  ｔｏ  Ｍｏｄｅｒｎ  Ｌｉｑｕｉｄ  Ｃｈｒｏｍａｔｏｇｒａｐｈｙ）」、Ｌ．Ｒ．スナイダー、カークランド，Ｊ．Ｊ．（Ｌ．  Ｒ．  Ｓｎｙｄｅｒ  ａｎｄ  Ｋｉｒｋｌａｎｄ，  Ｊ．  Ｊ．）著、第７章、ジョン・ワイリー・アンド・サンズ（Ｊｏｈｎ  Ｗｉｌｅｙ  ａｎｄ  Ｓｏｎｓ）、ニューヨーク州ニューヨーク（１９７９年）において論じられている。表面改質剤と多孔質固体支持体との反応については、開示内容全体があらゆる目的の為に参照により本明細書に組み込まれている「多孔質シリカ（Ｐｏｒｏｕｓ  Ｓｉｌｉｃａ）」、Ｋ．Ｋ．ウンガー（Ｋ．  Ｋ．  Ｕｎｇｅｒ）著、１０８頁、エルゼビエール・サイエンティフィック・パブリッシング・カンパニー（Ｅｌｓｅｖｉｅｒ  Ｓｃｉｅｎｔｉｆｉｃ  Ｐｕｂｌｉｓｈｉｎｇ  Ｃｏ．）、ニューヨーク州ニューヨーク（１９７９年）に記載されている。表面改質剤と様々な固体支持体材料との反応については、開示内容全体があらゆる目的の為に参照により本明細書に組み込まれている「シリコーンの化学と技術（Ｃｈｅｍｉｓｔｒｙ  ａｎｄ  Ｔｅｃｈｎｏｌｏｇｙ  ｏｆ  Ｓｉｌｉｃｏｎｅｓ）」、Ｗ．ノル（Ｗ．  Ｎｏｌｌ）著、アカデミック・プレス（Ａｃａｄｅｍｉｃ  Ｐｒｅｓｓ）、ニューヨーク州ニューヨーク（１９６８年）に記載されている。
【００７５】
幾つかの実施態様では、回転子は、回転子の外面にキャップを含む。幾つかの態様では、キャップは、回転子本体と一体化されており、従って、回転子本体と同じ一体型材料片で構成されている。別の変形形態では、キャップ自体が一体型プラスチックボディであって、本体と作用的に結合可能である。幾つかの実施態様では、キャップ３０は回転子の本体に作用的に接続され、流路の１つの壁がキャップによって定義される。回転子キャップ３０は、各固体支持体チャンバを、流路４０の一部として覆うことが可能である。図３Ｂに示されるように、各支持体チャンバ４６ａ〜４６ｄは、形状、サイズ、寸法、容積、又は個々の支持体チャンバ４６に収容される固体支持体の大きさが様々であってよい。回転子キャップ３０は、回転子の上面全体を覆うように、又は固体支持体チャンバだけを覆うように、しかるべく構成されてよい。
【００７６】
幾つかの変形形態では、例えば、図４に示されるように、キャップ３０は、ポリマー膜（例えば、プラスチック）及び／又は金属膜（例えば、フォイル）等の膜を含む。この膜は、任意選択で、回転子の推進係合開口部へのスプラインのアクセスを可能にする開口部３８を含んでよい。代替として、この膜は、別の道具のスプラインで穴を開けることが可能であってよい。
【００７７】
別の変形形態では、例えば、図５Ｂの差し込み図に示されるように、キャップ３０は一体型プラスチックボディを含む。図５Ｂのキャップは複数の開口部（即ち、切り欠き）３８を含み、これらは、回転子の推進係合開口部への推進要素のアクセスを可能にする。幾つかの実施態様では、キャップ３０は更に、固定子の１つ以上の部分（例えば、回転子がそれを中心として回転できる固定子中心突起）を受ける中心開口部３６を含む。好ましい一実施形態では、キャップの一部分である流路面３４は、流路の壁又はその一部分（例えば、固体支持体チャンバ）を形成する。キャップは不透明な材料で作られてよい。そのような変形形態では、キャップ３０は更に、キャップを流路に作用的に接続する為の複数の流路嵌合要素３２を含んでよい。流路嵌合要素は、流路と係合して、摩擦を頼りにキャップを定位置に保持する構造であってよい。別の好ましい実施形態では、回転子本体とキャップ構造との間の結合を強化する為に、且つ、弁の動作時の流路の漏れを防ぐ為に、流路嵌合要素は回転子本体に溶接されてよく、又は粘着要素を組み込んでよい。幾つかの変形形態では、キャップは、取り外されたり、且つ／又は別のキャップに交換されたりすることが可能なように、本体に取り外し可能に結合可能であるか、且つ／又は接着によって取り付けられる。
【００７８】
固定子
固定子は、本明細書に記載のあらゆる回転弁の不可欠な部分である。本明細書に記載のデバイス及び方法において使用可能な固定子は、第１の面（例えば、固定子面）を含む。固定子面は平坦であるか、平坦な部分を有する。組み立てられた弁では、固定子面は、回転子の回転軸に垂直又はほぼ垂直であり、回転子の弁面に対してほぼ相補的である。固定子面は、回転子と固定子の境界面における流体密封封止を推進する為に、任意選択でガスケット８０を含む。固定子は更なる面を有してよく、例えば、固定子の第２の面を定義するアンカ面を有してよい。
【００７９】
本発明の方法を実施する際に使用される回転弁の固定子の一実施形態を図６に示す。様々な実施形態では、固定子は固定子面５２と複数の通路とを含み、各通路は固定子面５２にポート５３（例えば、流体を通すように構成された開口部）を含む。複数の通路は、２〜８０個、例えば２〜３６個、例えば４〜１８個の範囲であってよい。固定子面の開口部（例えば、円形又は矩形の開口部）のエッジによってポートが定義されてよい。ポートは任意の寸法であってよく、例えば、いずれかの通路（例えば、本明細書に記載のマイクロ流体通路）の断面寸法であってよい。
【００８０】
一実施態様では、固定子ポートは、固定子面の中心の周囲に放射状に分布する。好ましい一実施態様では、回転弁として組み立てられた時点で、２つ以上の固定子ポートが回転子の回転軸から第１の距離に位置し、更なる２つ以上の固定子ポートが回転軸から第２の（異なる）距離に位置する。幾つかの実施態様では、第１の距離と第２の距離に等しい数の固定子ポートが位置する。代替として、回転軸から第１の距離及び第２の距離に、より多いか少ない固定子ポートが位置してよい。図４は、回転弁が組み立てられた状況での固定子の特定のフィーチャを示す。具体的には、この断面図は、２つの固定子ポートが回転軸から異なる距離にある様子を示している。第１のポート５３ａは軸からより離れており、回転子の流路の入口４１と一直線に並んでいる。第２のポート５３ｂは軸のより近くにあり、流路の出口４２と一直線に並んでいる。別の構成では、回転軸から異なる距離にある固定子ポートが、流体ハンドリングフィーチャ（例えば、コネクタや流体セレクタ）と相互作用してよい。当業者であれば容易に理解されるように、回転軸から第３、第４等々の距離に更なる固定子ポートが位置してよい。
【００８１】
固定子の各通路５４は少なくとも２つの終端があり、１つの終端は固定子弁面にあり、第２の終端は別の構造（例えば、試料保持チャンバ、溶解チャンバ、又は環境への出口）のオリフィスにあるか、やはり固定子弁面に現れる。特定の実施態様では、第２の終端は、通路を通る流れに最初は抵抗するが、デバイスの運用時に破裂して通路を通る流れを可能にすることが可能な、壊れやすい封止材を含んでよい。好ましい一実施態様では、通路は、最小寸法が７５０μｍ以下であるマイクロ流体フィーチャを含んでよい。別の実施態様では、最小寸法は、６００μｍ以下、５００μｍ以下、４００μｍ以下、２００μｍ以下、又は１００μｍ以下であってよい。通路の断面形状は任意であってよく、好ましくは矩形であってよい。幾つかの実施態様では、各通路は、終端を除く全体が固定子本体内に埋め込まれている。別の実施態様では、少なくとも１つの通路が固定子本体内をアンカ面まで延び、その後は露出導管として、固定子のアンカ面に沿って延びる。そのような露出通路はアンカ面上に終端があってよく、或いは、構造的フィーチャ（例えば、チャンバ、ウェル、又は配管コネクタ）のオリフィスまで固定子内を通ってよい。
【００８２】
回転子と固定子の境界面
本発明の実施形態では、回転子が固定子と境界面で接触して流体密封封止が形成される。そのような実施形態では、流体密封封止は、デバイス運用時に流体が境界面から漏れ出すことを完全に、又はほぼ阻止する。そのような流体は、本発明の実施形態に従って、回転子及び固定子を含むデバイスコンポーネントを通って流れる試料、緩衝液、又は他の流体であってよい。流体密封封止は、回転子が固定子に対して回転し、固定子に沿って摺動しているときに保持される。
【００８３】
様々な実施形態によれば、弁は、固定子及び回転子を一緒に付勢する保持要素を含む。保持要素は、保持リング及び／又は付勢要素を含んでよい。保持要素は、（１）回転子及び固定子を互いに近接させて保持し、（２）これら２つの要素を一緒に付勢して漏れない境界面を形成する。幾つかの実施態様では、１つの構造で近接を保持し、付勢力を与える。別の実施態様では、第１の構造（例えば、保持リング）が回転子と固定子を一直線に並べ、第２の構造（例えば、付勢要素）が回転子と固定子を互いに押し付け合わせる。
【００８４】
保持要素は、固定子に対して可動であっても固定であってもよい。例えば、推進要素は、回転子を回転させることに加えて、回転子を固定子に押し付けて漏れない境界面を形成することが可能である。好ましい一実施形態では、保持要素の少なくとも一部分が固定子に対して固定である。一実施形態では、保持要素は保持リング及び付勢要素を含み、保持リングは、回転子が保持リングと固定子の間に保持されるように、固定子に固定的に結合される。幾つかの実施態様では、保持リングは、回転子と固定子の間に漏れない封止を形成するのに十分な力を与える。
【００８５】
別の実施態様では、保持要素は、保持リング９１と、離れている付勢要素９６とを含む。保持リングは固定子に結合され、この結合は、例えば、固定子上の１つ以上の結合突起５７と、これに対応する保持リング取付要素９４とにより行われる（例えば、図１Ａを参照）。そのような結合により、保持リングは、回転子が保持リング及び固定子に対して回転している間、定位置で固定されるように構成されてよい。保持リングを固定子に結合することは、当該技術分野において知られている任意の方法で行われてよく、例えば、結合突起を熱かしめ又は超音波溶接することによって、又は標準的なリテーナ（例えば、プッシュナット９８）を使用することによって（例えば、図８を参照）行われてよい。
【００８６】
保持リングは、回転子と固定子とが接触した状態を保持するように付勢力が働くことが可能なように、付勢要素用固定ベースを提供するように構成されている。一実施態様では、保持リングは、付勢要素９６（例えば、ばね）と接触する面（例えば、平坦な、且つ／又は環状のリップ９３）を含む。そのような面は、外面及び／又は弁面及び／又は固定子面の平面と平行な平面内にあってよい。同様に、付勢要素は、典型的には、回転子上の面（例えば、平坦な、且つ／又は環状のリップ２１）に沿って回転子と係合する。平坦なリップは、回転子上の周辺突起、即ち、周辺リップ２２であってよい（例えば、図３Ａ及び図８を参照）。幾つかの実施形態では、平坦面はより中心に形成されてよく、例えば、図８Ａ及び８Ｂに示された内部リップ２３であってよい。
【００８７】
保持リングは更に、スプラインアクセス開口部を含んでよく、これは固定子と反対側にある円形開口であってよい。スプラインアクセス開口部は、回転推進要素の一部分（例えば、スプライン）が回転子を回転させる為に回転子と係合している間、スプラインアクセス開口部を通り抜けるスプラインを受けるように構成されてよい。
【００８８】
付勢要素は、回転子の少なくとも一部分を取り巻いて配置されるリングとして成形されてよい。付勢要素は、ほぼ円形（例えば、リング状）且つ／又は円筒形であってもよく、且つ／又は、中心軸が回転子の回転軸と同心であってもなくてもよい。付勢要素は、回転子を固定子に対して傾けることなく均一に付勢する為に、回転軸に関してほぼ対称な力を加えることが好ましい。
【００８９】
付勢要素は、１つ以上のばねであってよい。付勢要素がばねである一実施形態では、ばねは、金属、プラスチック、又は他のポリマーで作られた圧縮ばね又は引張ばねであってよい。様々な実施形態では、付勢要素はリボンばね（例えば、リング状リボンばね）である。様々な実施形態では、付勢要素は波形ばね（例えば、リング状波形ばね）である。付勢要素は、円筒柱として成形されてもよく、回転子及び／又は固定子及び／又は保持要素の中（例えば、２つの部分の間）に収容されてよい。
【００９０】
付勢要素は、弾性材料のかたまりであってよく、例えば、ブロック状、円筒状、リング状、球状、又は他の形状のゴム又はフォームであってよい。付勢要素は、１つ以上のゴムバンドの形態であってよい。付勢要素は、他のデバイスコンポーネントに十分な力をかけるように成形された、金属、プラスチック、又は他のポリマーの１つ以上のピースの形態であってよい。そのような成形された金属ピースは、（例えば、回転リング内で）弧を描く金属バンドを含んでよい。付勢要素は、互いに反発し合うか引きつけ合うことでデバイスコンポーネントに十分な力をかけるように構成された磁石又は一連の磁石の形態であってよい。付勢要素は、他の弁コンポーネントのいずれか（例えば、ガスケット）と同じ材料から作られてよい。幾つかの実施形態では、付勢機構は、別のコンポーネント（例えば、回転子及び／又は保持リング及び／又は固定子）の一部であってよく、例えば、そのコンポーネントと一体であってよい。本明細書では「一体である」及び「一体化されている」は、一体である１つ以上の材料の単一ピースで構成されるという意味である。
【００９１】
ガスケット
幾つかの態様では、回転弁は、固定子面と回転子弁面との間にガスケットを含む。ガスケットは、物体同士の２つ以上の嵌合面の間の空間を埋める機械的封止材であって、主に、ガスケットが圧縮されている間に、接合されている物体からの漏れ、又はそれらの物体内への漏れを阻止するものである。様々な態様では、ガスケットは（例えば、全体が）弾性材料及び／又は圧縮性材料で構成される。幾つかの変形形態では、回転子がガスケットを含み、幾つかの変形形態では、固定子がガスケットを含む。回転子がガスケットを含む実施形態では、ガスケットは回転子に固定的に（例えば、粘着により）取り付けられて、固定子に沿って摺動する境界面を形成する。又、固定子がガスケットを含む実施形態では、ガスケットは固定子に固定的に（例えば、粘着により）取り付けられて、回転子に沿って摺動する境界面を形成する。
【００９２】
弁デバイスコンポーネントの一実施形態を図７Ａ及び７Ｂに示す。具体的には、図７Ａ及び７Ｂは、固定子に摺動可能に係合するガスケット８０を示す。ガスケット８０は更に、回転子の流路の入口４１と一直線に並ぶ第１のアパーチャ８４と、出口４２と一直線に並ぶ第２のアパーチャ８５とを含む。
【００９３】
様々な態様では、ガスケットはほぼ円筒状且つ／又は円板状であり、回転軸とガスケットの外周との間の距離は、回転軸と固定子上の最も遠いポートとの間の距離より長い。図７Ａ及び７Ｂに示されるような幾つかの実施形態では、ガスケットは環状であって、上述のように外周が最も遠い固定子ポートより外側にあり、回転軸と環の内周との間の距離が、回転軸と最も近位の固定子ポートとの間の距離より短い。ガスケットの断面外径は、例えば、本明細書に記載の回転子直径のいずれかであってよい。ガスケットの断面外径は、例えば、１００ｍｍ以下であってよく、例えば４５ｍｍ以下、例えば５０ｍｍ以下、例えば４０ｍｍ以下、例えば２０ｍｍ以下、例えば１０ｍｍ以下であってよい。ガスケットの内径及び外径は、例えば、１〜１００ｍｍ、３〜５０ｍｍ、３〜２５ｍｍ、又は５〜３５ｍｍの範囲であってよい。ガスケットは更に、厚さが、例えば、本明細書に記載のデバイスコンポーネントのいずれかの厚さであってよく、例えば１０ｍｍ以下、例えば５ｍｍ以下、例えば１ｍｍ以下であってよく、或いは、１ｍｍ以上、５ｍｍ以上、又は１０ｍｍ以上であってよい。
【００９４】
様々な態様では、ガスケットは（例えば、全体が）１つ以上のポリマー材料（例えば、（例えば、プラスチック及び／又はゴム及び／又はフォームを含む）１つ以上のポリマーを有する材料）で構成される。ガスケットは更に、シリコーン材料で構成されてよい。ガスケットは、本明細書に記載の弾性材料のいずれかで構成されてよい。関心対象のガスケット材料として、ポリマー材料（例えば、プラスチック及び／又はゴム）があり、例えば、ポリテトラフルオロエテン又はポリテトラフルオロエチレン（ＰＴＦＥ）（延伸ポリテトラフルオロエチレン（ｅ−ＰＴＦＥ）を含む）、ポリエステル（ダクロン（商標））、ナイロン、ポリプロピレン、ポリエチレン、ポリウレタン等、又はこれらの任意の組み合わせがあり、これらに限定されない。幾つかの実施形態では、ガスケットは、ネオプレン（ポリクロロプレン）、ポリシロキサン、ポリジメチルシロキサン、フルオロポリマーエラストマ（例えば、バイトン（商標））、ポリウレタン、熱可塑性加硫物（ＴＰＶ、例えば、サントプレン（商標））、ブチル、又はスチレンブロックコポリマー（ＴＥＳ／ＳＥＢＳ）を含む。
【００９５】
幾つかの実施形態によれば、ガスケットは、ガスケットの厚さを完全に貫通する１つ以上のアパーチャを含む。ガスケットが固定子に固定されている実施態様では、ガスケットは、各固定子ポートに対応してこれと一直線に並ぶアパーチャを含み、流路がそれらを通ることを可能にする。ガスケットが回転子に固定されている実施態様では、ガスケットは、流路の入口及び出口（あれば）のそれぞれに対応してこれと一直線に並ぶアパーチャを含み、流れが回転子と固定子の境界面をまたぐことを可能にする。
【００９６】
ガスケットのアパーチャを通るように流体に力がかかると、流体を動かす圧力によって、ガスケットの本来弾性である材料がゆがむ可能性がある。回転子と固定子の境界面での漏れにつながりかねない、そのようなゆがみを最小限に抑える為に、固定子の幾つかの変形形態は、１つ以上の弧状レール（例えば、第１及び第２の弧状レール）を含み、これらは、ガスケットに横方向から係合して、ガスケットの１つ以上の流体ハンドリング要素（例えば、溝又はアパーチャ）が加圧された場合にガスケットのゆがみを抑える。横方向に係合する、とは、別の要素に接触して、これに、回転子の回転軸に対してほぼ半径方向外向き及び／又は内向きの方向に、且つ／又は、回転子の回転軸と同心であって回転軸と同じ厚さを有する平面内で力をかけることを意味する。横方向に係合することは、別の要素に接触して、これに、回転子の回転軸にほぼ垂直な方向に力をかけることを意味してもよい。
【００９７】
様々な実施形態では、一方又は両方の弧状レールがリング状であり、回転軸と同心であってよい。様々な実施形態では、弧状レールは円形であり、第１の弧状レールは直径が第２の弧状レールより小さい。一実施形態では、固定子５０は２つの弧状レールを含み、近位レール７１が通路の近位側にあって、ガスケットが回転軸に向かう方向にゆがむのを抑え、遠位レール７２が通路の遠位側にあって、ガスケットが回転軸から遠ざかる方向にゆがむのを抑える。弧状レールが２つある実施態様では、それらのレールは、ガスケットの流体フィーチャをひとまとめにするように配置されることが好ましい。例えば、図６は、弧状レールが２つある固定子を示している。一方のレール（近位レール７１）は、固定子ポートと係合するガスケットアパーチャよりも回転軸の近くに配置されている。他方のレール（遠位レール７２）は、より遠位にある、固定子ポートと係合するガスケットアパーチャよりも回転軸から遠くに配置されている。一代替実施態様では、ガスケットは固定子に固定されており、弧状レールは回転子と一体化されている。
【００９８】
加圧することは、１つ以上のポートの中の圧力を、第１の圧力（例えば、１気圧又はほぼ１気圧）から第１の圧力より大きい第２の圧力に増やすことを含んでよい。第２の圧力は１気圧より大きくてよく、例えば、１．２気圧以上、１．５気圧以上、２気圧以上、又は５気圧以上であってよい。加圧することは、弧状レールの少なくとも１つと、ガスケットの少なくとも１つとを（例えば、接触によって）横方向に係合させて、弧状レールとガスケットの間の流体密封封止を形成することを含んでよい。横方向に係合させることは、ガスケットの少なくとも一部分（例えば、突起リング）を、横方向に係合させる弧状レールに向けて動かすことを含んでよい。流体密封封止が形成されれば、デバイスの運用中は液体が封止を越えて漏れることがなくなるか、ほぼなくなる。又、幾つかの変形形態では、固定子は更に、第１の弧状レールと同心である第２の弧状レールを含む。そのような実施形態では、ポートを加圧することは、第２の弧状レールとガスケットとを横方向に係合させて、それらの間に流体密封封止を形成することを含む。
【００９９】
流体ハンドリング
本明細書に記載の回転弁は、デバイス（特にマイクロ流体デバイス）内の流体の流れを方向付けることに役立つ。従って、回転弁は、少なくとも１つの流体ハンドリングフィーチャを含む。幾つかの実施形態では、流体ハンドリングフィーチャは、回転子弁面内に構成される。回転子がガスケットを含む実施態様では、１つ以上の流体ハンドリングフィーチャがガスケットとともに含まれてよい。
【０１００】
本明細書では、流体ハンドリングフィーチャは、回転子内又はガスケット内にあって、２つの固定子ポートと並んだときに、その２つのポートと、関連付けられた通路とを流体接続して、連続的流体経路を形成する物理的構造である。幾つかの実施形態では、流体ハンドリングフィーチャは流体コネクタ８６である。流体コネクタは、第１の固定子ポートと第２の固定子ポートとを流体接続するように構成されている。図７に示されたような実施態様では、流体コネクタは、回転子内又はガスケット内にあって、回転子の中心から放射状に広がった線に沿って最長寸法を有する細長い溝である。そのような放射状に並んだ流体コネクタは、図６に示されたような、固定子ポートの複数のペアを順次接続することが可能であり、複数のペアのそれぞれは１つの近位ポートと１つの遠位ポートとを有し、全ての近位ポートが回転軸から１つの距離にあり、全ての遠位ポートが回転軸から別のより長い距離にある。幾つかの実施形態では、流体ハンドリングフィーチャは流路であり、この流路の入口が１つの固定子ポートと一直線に並び、この流路の出口が別の固定子ポートと一直線に並ぶと、流路が全開されて、それら２つの固定子ポートが流体接続される。従って、流路は流体コネクタとして働くことが可能である。幾つかの実施形態では、流体ハンドリングフィーチャは、第１及び第２の部分を有する流体セレクタ７７であって、第１の部分は、第１の部分に沿う全ての点が回転軸から等距離にある弧であり、第２の部分は、回転子の中心に向かって、又は回転子の中心から遠ざかるように、放射状に延びる。
【０１０１】
本発明の一態様は、回転子を有する回転弁を提供し、回転子弁面は第１の流体コネクタを含み、第１の回転子位置においては、固定子の第１のポートが第１のコネクタを介して固定子の第２のポートと流体接続される。第２の回転子位置においては、第３のポートが第１の流体コネクタを介して第４のポートと流体接続される。任意選択で、第３の回転子位置においては、第５のポートが第１の流体コネクタを介して第６のポートと流体接続される。一実施態様では、流体コネクタは細長い溝である。別の実施態様では、流体コネクタは回転子内の流路である。
【０１０２】
本発明の一態様は、分析対象物を精製する方法を提供し、本方法は、（１）固定子５０であって、固定子面５２及び複数の通路５４を含み、各通路は固定子面にポート５３を含む、固定子５０と、（ｂ）回転子１０であって、固定子に作用的に接続されて、回転軸１６、回転子弁面１２、及び流路４０を含み、流路４０は回転子弁面に入口４１及び出口４２を有し、流路は多孔質固体支持体４５を含む、回転子１０と、（ｃ）保持要素９０であって、回転子と固定子の境界面において固定子及び回転子を一緒に付勢して流体密封封止を形成する保持要素９０と、を含む回転弁を用意するステップと、（２）分析対象物を含む試料を流路に流し、分析対象物の少なくとも一部を多孔質固体支持体上に保持させて、拘束された分析対象部分と放出される試料部分とを生成するステップと、を含む。幾つかの実施態様では、本方法は更に、回転子を、回転軸を中心に第１の位置まで回転させて、第１のポートと流路と第２のポートとを流体接続するステップを含む。この第１の位置では、試料は第１のポートを通って流路に流入し、放出される試料部分は第２のポートを通って流路から出る。別の実施態様では、固定子は４つのポートを含み、本方法は更に、回転子を第２の位置まで回転させて、第３のポートと流路と更なるポートとを流体接続するステップを含む。この第２の位置では、溶離剤が第３のポートを通って流路に流入して、分析対象物の少なくとも一部を多孔質固体支持体から取り除いて分析対象試料を生成し、これは第４のポートを通って流路から出る。本明細書では「溶離剤」という用語は、溶離によって分析対象物を固体支持体から分離する為に使用される溶剤を意味する。
【０１０３】
幾つかの変形形態では、本開示の弁デバイスは、流体試料ハンドリングデバイス及び／又は試料処理デバイスであり、これは生物学的アッセイデバイス（例えば、生物学的アッセイ試料調製又は処理デバイス）であってよい。本明細書では「生物学的アッセイ」は、生物学的試料に対して、試料の１つ以上の特性を評価する為に実施される試験である。生物学的試料は、大量の有機物質、例えば、被験者から取得可能な１つ以上の有機分子（例えば、１つ以上の核酸（例えば、ＤＮＡ及び／又はＲＮＡ又はその一部））を含有する試料である。生物学的試料は、血液、尿、粘液、又は他の体液のうちの１つ以上を含んでよい。従って、幾つかの実施形態による生物学的アッセイ試料調製デバイスは、生物学的アッセイによる分析の為の生物学的試料を調製するデバイスである。又、幾つかの態様では、生物学的試料は核酸増幅用試料であり、これは、本発明の実施形態に従って増幅可能な１つ以上の核酸又はその一部を含有する試料である。
【０１０４】
製造方法
一態様は回転弁の製造方法を提供し、本方法は、（ａ）固定子面５２を含む固定子５０を固定子本体材料から形成するステップと、（ｂ）固定子内に複数の通路５４を形成するステップであって、各通路は固定子面にポート５３を含む、通路５４を形成するステップと、（ｃ）回転子弁面１２を含む回転子１０を回転子本体材料から形成するステップと、（ｄ）回転子内に流路４０を形成するステップであって、流路４０は回転子弁面に入口４１及び出口４２を含む、流路４０を形成するステップと、（ｅ）多孔質固体支持体４５を流路に挿入するステップと、を含む。幾つかの実施態様では、本方法は更に、回転子が回転軸を中心に回転するように構成されるように、固定子と回転子とを作用的に接続するステップを含む。
【０１０５】
本発明のデバイスのコンポーネントのそれぞれ、又はそれらの各側面、例えば、固定子、回転子、ガスケット、ずらし可能スペーサ、付勢要素、保持リング、キャップ、及び／又はカムは、様々な材料で構成されてよく、例えば、単一材料、又は複数の材料、例えば、２つ、３つ、４つ、５つ、又は１０個以上の材料で構成されてよい。そのようなコンポーネントは、様々な態様では、１つ以上の剛体材料、例えばポリマー材料（例えばプラスチック）を含んでもよい。そのようなコンポーネントは、幾つかの態様では、１つ以上の可撓材料を含んでよく、例えば、１つ以上の剛体材料で構成されるコアをコーディングする可撓材料の層を含んでよい。そのようなコンポーネントは、様々な態様では、１つ以上の弾性材料を含んでよい。弾性材料は、可撓であって、更に、力をかけられると初期形状のままであるように付勢される材料である。例えば、ガスケットは（例えば、全体が）弾性材料で構成されてよい。
【０１０６】
本発明のデバイスのコンポーネントは更に、１つ以上のポリマー材料（例えば、（例えば、プラスチック及び／又はゴム及び／又はフォームを含む）１つ以上のポリマーを有する材料）及び／又は金属材料を含んでよい。そのような材料は、（例えば、使用時にかかる力など、かなりの力に対し、壊れることなく、且つ／又は摩耗に抗して、耐えることが可能な）可撓性及び／又は高強度、及び／又は（例えば、使用量又は環境の如何にかかわらず長期間にわたって物理特性を保持することが可能な）高度の耐疲労性を特性として有してよい。
【０１０７】
本発明の実施形態によれば、本発明のデバイスのコンポーネントは、それぞれが様々な材料で構成されてよく、同じ材料又は異なる複数の材料で構成されてよい。本明細書に記載のデバイスコンポーネントのいずれかを構成してよい材料として、ポリマー材料（例えば、感光性ポリマー材料（例えば、タンゴプラス（商標）及びベロクリア（商標））、及び／又はプラスチック（例えば、ポリテトラフルオロエテン又はポリテトラフルオロエチレン（ＰＴＦＥ）（延伸ポリテトラフルオロエチレン（ｅ−ＰＴＦＥ）を含む）、ポリエステル（ダクロン（商標））、ポリプロピレン、ナイロン、ポリエチレン、高密度ポリエチレン（ＨＤＰＥ）、ポリウレタン等）、金属及び合金（例えば、クロム、チタン、ステンレス等）等があり、これらに限定されない。様々な実施形態では、そのような材料は、１つ以上の熱可塑性材料であってよく、又は１つ以上の熱可塑性材料を含んでよい。そのような材料として、アクリロニトリルブタジエンスチレン（ＡＢＳ）、アクリル（例えば、ポリ（メチルメタクリレート（ＰＭＭＡ）、ポリオキシメチレン（ＰＯＭ）（アセタールとも呼ばれる）、ポリアセタール、及びポリホルムアルデヒド）、脂肪族又は半芳香族ポリアミド（ＰＡ）、ポリエチレン（ＰＥ）、ポリプロピレン（ＰＰ）、ポリエーテルエーテルケトン（ＰＥＥＫ）、環状オレフィンコポリマー（ＣＯＣ）、環状オレフィンポリマー（ＣＯＰ）、ポリカーボネート（ＰＣ）、及びこれらの混合物があってよい。
【０１０８】
デバイスのユーザがデバイス運用中（例えば、混合中又は試料処理中）ずっと試料及び／又は溶液を観察できるように、材料は透明又は半透明であってよい。半透明の材料を利用することにより、デバイスの１つ以上のチャンバの間で流体を輸送する際に流体が見えるので、デバイス運用中に視覚フィードバックが得られる。代替として、デバイスのユーザが背景光の汚染を最小限に抑えて試料を観察できるように、幾つかの材料又は全ての材料が不透明であってよい。
【０１０９】
本発明の実施形態によるデバイスの材料は、実質的に射出成形された材料であってよい。本発明の実施形態に従って使用される材料は、実質的に印刷された材料であってもよく、例えば、３Ｄプリンタを使用して、順序よく溶融及び／又は定量供給することによって印刷された材料であってよい。例えば、全てのパーツが、３Ｄ  ＣＡＤソフトウェア（ＳＯＬＩＤＷＯＲＫＳ）を使用して、本発明の実施形態に従って設計可能であり、Ｏｂｊｅｔ  ２６０マルチマテリアル３Ｄプリンタ（ＳＴＲＡＴＡＳＹＳ、米国ミネソタ州エデンプレーリー）を使用して組立可能である。
【０１１０】
幾つかの実施態様では、固定子を固定子本体材料から形成するステップは、固定子本体材料の射出成形を実施することを含む。幾つかの実施態様では、固定子を固定子本体材料から形成するステップは、固定子本体材料のエンボス加工、反応成形、又は熱成形を実施することを含む。幾つかの実施態様では、固定子を固定子本体材料から形成するステップは、固定子を３次元（３Ｄ）印刷することを含む。複数の通路を形成するステップは、固定子本体材料のエッチング又はコンピュータ数値制御（ＣＮＣ）機械加工を実施することを含んでよい。
【０１１１】
幾つかの実施態様では、回転子を回転子本体材料から形成するステップは、回転子本体材料の射出成形を実施することを含む。幾つかの実施態様では、回転子を回転子本体材料から形成するステップは、固定子本体材料のエンボス加工、反応成形、又は熱成形を実施することを含む。幾つかの実施態様では、回転子を回転子本体材料から形成するステップは、回転子を３次元（３Ｄ）印刷することを含む。流路を形成するステップは、回転子本体材料のエッチング又はコンピュータ数値制御（ＣＮＣ）機械加工を実施することを含んでよい。
【０１１２】
上述のように、本明細書では、本発明のデバイスの（例えば、量産による）組立方法について記載する。幾つかの変形形態では、デバイスの１つ以上のコンポーネントが、１つ以上の材料（例えば、プラスチック）の射出成形のような製造方法で組み立てられる。材料（例えば、プラスチック）は、少なくとも１つの通常プラスチックを含んでよく、そのようなものとして、アクリロニトリルブタジエンスチレン（ＡＢＳ）、アクリル、ポリオキシメチレン（ＰＯＭ）、脂肪族又は半芳香族ポリアミド（ＰＡ）、ポリエチレン（ＰＥ）、ポリプロピレン（ＰＰ）、ポリエーテルエーテルケトン（ＰＥＥＫ）、ポリカーボネート（ＰＣ）、環状オレフィンポリマー、環状オレフィンコポリマー、又は他の、本明細書に記載の材料のいずれかがあってよく、これらに限定されない。
【０１１３】
幾つかの実施形態では、本方法は、デバイスコンポーネント本体、例えば、固定子本体、回転子本体、又はガスケット本体を形成するステップを含む。デバイスコンポーネント本体は、デバイスのうちの、第１の材料（例えば、本体材料）からの、一体型均質材料又は複数の材料の組み合わせ、又はそれらの一部で構成された部分である。コンポーネント本体又はその一部分を形成するステップは、反応成形、射出成形、エンボス加工、エッチング、ブロー成形、回転成形、熱成形、及び／又は機械加工（例えば、コンピュータ数値制御（ＣＮＣ）機械加工）によって実施されてよい。
【０１１４】
本発明の方法は更に、コンポーネント内に１つ以上のフィーチャ（例えば、マイクロ流体フィーチャ）を形成するステップを含んでよい。マイクロ流体フィーチャは、本体の形成に用いられるのと同じ方法のいずれかを用いてコンポーネント本体内に形成されてよい。例えば、マイクロ流体フィーチャの形成は、エンボス加工、射出成形、反応成形、エッチング、ブロー成形、回転成形、熱成形、及び／又は機械加工（例えば、コンピュータ数値制御（ＣＮＣ）機械加工）、又はこれらの任意の組み合わせを実施することによって行われてよい。マイクロ流体フィーチャが射出成形によって形成される場合は、型を備えた容器が１つ以上の相補的なマイクロ流体フィーチャを含み、溶融本体材料がこれを取り巻いて成形される。溶融材料が固まると、フィーチャは、結果として得られる本体において定義されたままになる。
【０１１５】
様々な実施形態では、本方法は、デバイスの運用及び／又は保管及び／又は輸送の為に、弁デバイスコンポーネント（例えば、固定子、回転子、ガスケット、及び／又は多孔質固体支持体）同士を作用的に接続するステップを含む。幾つかの変形形態では、本方法は、回転子が回転軸を中心に回転するように構成されるように、固定子と回転子とを作用的に接続するステップを含む。そのような作用的な接続は、固定子の回転子受けキャビティに回転子を挿入することを含んでよい。幾つかの態様では、本方法は、ガスケットと回転子とを作用的に接続するステップを含み、これは、それらを接着することによって、又はそれらを一緒にプレスフィット又は接触フィットさせることによって行われる。本方法は更に、ガスケットと固定子とを作用的に接続するステップを含み、これは、それらを接着することによって、又はそれらを一緒にプレスフィット又は接触フィットさせることによって行われる。
【０１１６】
輸送可能にする
回転弁の幾つかの変形形態では、弁は、回転子、固定子、及び保持要素に加えて、固定子面と回転子弁面との間のガスケットと、弁を保管構成で保持する構造とを含み、保管構成では、ガスケットが回転子と固定子の境界面で圧縮されないように、回転子と固定子は間隔を開けられる。ガスケットは、典型的には、圧縮可能なエラストマ材料で形成されており、長期間にわたって圧縮されて保管されると、圧縮永久ひずみが発生したり、隣接する面に粘着したりしやすい。従って、本明細書に記載の回転弁の好ましい一実施態様は、ガスケットが回転子及び固定子の少なくとも一方を封止することを妨げるずらし可能なスペーサを含み、このスペーサがずらされると、ガスケットは回転子及び固定子を一緒に流体密封封止する。そのような保管構成では、ガスケットは、これにかかる力によって変形せず、従って、弁の有効性に悪影響を及ぼしうる永続的変形や回転子又は固定子への望ましくない粘着が起こりにくい。
【０１１７】
本発明の一態様は回転弁を提供し、回転弁は、（ａ）回転子弁面１２及び回転軸１６を含む回転子１０と、（ｂ）固定子５０と、（ｃ）固定子と回転子弁面との間に介在するガスケット８０と、（ｄ）ガスケットが回転子及び固定子の少なくとも一方を封止することを妨げるずらし可能なスペーサ６０であって、ガスケットは、このスペーサがずらされると、回転子と固定子の間の境界面の流体密封を促進するように構成されている、スペーサ６０と、を含む。特定の実施態様では、弁は更に、回転子と固定子とを互いに向けて付勢する保持要素９０を含む。
【０１１８】
本発明の実施形態によるずらし可能スペーサは、ガスケットが回転子及び固定子の少なくとも一方を封止することを妨げるように構成された側面である。このスペーサがずらされると（例えば、活性化前の構成から活性化後の構成にずらされると）、ガスケットは回転子及び固定子を一緒に流体密封封止する。本発明の実施形態によれば、ずらし可能スペーサは、固定子又は回転子の一部であってよく、且つ／又は、固定子又は回転子と一体化されてよい。
【０１１９】
一実施態様では、保管構成において、ずらし可能スペーサは複数のタブを含み、これらのタブは、回転子上のリップと接触することで回転子を固定子から遠ざけて保持する。これらの複数のタブのそれぞれは、運用構成においてリップから係合解除されるようにずらし可能である。一実施形態では、ずらし可能スペーサ６０は、第１のタブ構成から第２のタブ構成にずらし可能な複数のタブを含む。図８は、保管ポジションの弁の一実施形態を示す。固定子は複数のタブを含む。この実施形態では、固定子は複数のタブ６１を含む。この実施態様では、複数のタブのうちのサブセットが回転子と固定子の境界面の周辺部を取り巻いて配列されている。即ち、周辺タブ６２である。残りのタブは、回転子の端部の内側と噛み合うように配置されている。即ち、内側タブ６３である。ずらし可能スペーサは、周辺タブ、内側タブ、又は内側タブ及び周辺タブの両方の組み合わせを含んでよい。
【０１２０】
ずらし可能スペーサ（例えば、タブ）は、実質的に３次元ボックス又は矩形形状として成形されてよい。スペーサ（例えば、タブ）のそれぞれは、活性化前の構成において、本明細書に記載の回転子のリップに相補的に接触する平坦面を含んでよい。そのような平坦面は、固定子面及び／又は回転子弁面によって定義される平面に垂直であってよい。そのような平坦面は、回転子の回転軸に平行又はほぼ平行な方向に、回転子のリップに力をかけるように構成されてよい。
【０１２１】
ずらし可能スペーサは、固定子、回転子、又は他の、本明細書に記載のデバイスコンポーネントと同じ材料のいずれかで構成されてよい。例えば、様々な実施形態では、ずらし可能スペーサは、プラスチック等のポリマー材料で構成され、固定子本体と一体化されてよい。従って、場合によっては、固定子は、本体と、本体と作用的に結合された、且つ／又は本体と一体化された１つ以上のずらし可能スペーサとを含んでよい。
【０１２２】
様々な態様では、保管可能な回転弁での使用に適する回転子は、保管構成から運用構成へとずらし可能な複数のタブ６１と相互に作用する少なくとも１つのリップ２１を含み、タブ６１のそれぞれは、少なくとも１つのリップ２１と接触することによって、保管構成においてガスケットが回転子及び固定子を封止することを妨げ、タブが保管構成から運用構成へとずらされると、その少なくとも１つのリップとの係合が解除される。一実施態様では、回転子は、少なくとも１つのリップを含む湾曲外壁を含む。そのような周辺リップ２２は、複数の周辺タブと係合するように構成されている。幾つかの実施態様では、例えば、図８及び９に示されるように、回転子は回転子本体内に位置するリップ（即ち、内側リップ２３）を含んでよく、回転子は更に、複数のタブ６３のそれぞれに対するずらしスロット２８を内側リップに近接して含み、ずらしスロット２８は、運用構成までずらされたタブを収容することが可能な、回転子本体内の凹状空間である。
【０１２３】
様々な実施形態によれば、各タブは、第１のタブ構成においては、その少なくとも１つのリップと接触することで、ガスケットが回転子及び固定子を封止することを妨げ、タブが第１のタブ構成から第２のタブ構成までずらされると、その少なくとも１つのリップとの係合を解除される。第２のタブ構成では、ガスケットは回転子及び／又は固定子を流体密封封止する。
【０１２４】
保管構成から運用構成への移行時にスペーサのずらしを容易にする為に、回転子は、ずらし可能スペーサと相互に作用するリップに近接する１つ以上のカム２４を含んでよい。各カムは、回転が始まるとスペーサをずらすように働くランプであってよい。固定子が複数の周辺タブを含む実施態様では、各カムは、回転子の回転軸から第１の半径方向距離から、第１の半径方向距離より長い第２の半径方向距離までの長さを有し、その長さに沿って徐々に傾斜する。従って、各カムは、回転子又は回転子の一部分の外周に沿って（例えば、回転子の回転軸から）半径方向外側に向かって徐々に傾斜するランプであってよい。そのような実施形態では、１つ以上のカムは、外向き又はほぼ外向きの方向に（例えば、回転子の回転軸から遠ざかる方向に）ずらし可能スペーサに力をかける（例えば、回転子の回転時に複数のタブに力をかける）。典型的には、第２の半径方向距離は、リップの、回転子本体から最も遠いエッジの距離と等しいか、これを超える。回転子の一実施形態が図２Ｂ及び２Ｃに示されており、カムは、リップの外側エッジの内側の距離から更に周辺リップのエッジの距離まで、長さに沿って傾斜する。
【０１２５】
固定子が複数の内側タブを含む実施態様では、各カムは、回転子の回転軸から第１の半径方向距離から、第１の半径方向距離より短い第２の半径方向距離までの長さを有し、その長さに沿って徐々に傾斜する。様々な態様では、１つ以上のカムは、内向き又はほぼ内向きの方向に（例えば、回転子の回転軸に向かう方向に）ずらし可能スペーサに力をかける（例えば、回転子の回転時に複数のタブに力をかけてずらし可能スペーサを作動させる）。
【０１２６】
回転が始まると、タブはカムのランプに沿って摺動し、これによって、複数のスペーサ６０が保管構成から運用構成へとずれて、複数のスペーサ６０が少なくとも１つのリップ２１から係合解除される。一実施態様では、複数のタブ６１は、回転子が回転すると、少なくとも１つのリップ２１から不可逆的に係合解除される。
【０１２７】
上述のように、様々な態様では、本発明の弁は、１つ以上の流体をその中で受ける為に、活性化前の輸送構成又は保管構成から活性化後の運用構成へと活性化可能である。図８Ａ及び８Ｂは、保管構成のデバイスを示す。図９Ａ及び９Ｂは、運用構成での図８Ａ及び８Ｂの弁実施形態を示す。図８Ａ、８Ｂ、９Ａ、及び９Ｂに示された実施形態では、固定子は、複数の周辺タブ６２と複数の内側タブ６３とを含む。回転子の内側リップ２２は内側タブ６２上に載っており、周辺リップ２３は周辺タブ６３上に載っている。従って、保管構成では、回転子は固定子から離れて保持され、それによって、ガスケットは回転子と固定子の境界面で圧縮されていない。
【０１２８】
図９Ａ及び９Ｂは、運用構成の回転弁を示す。上述のように、回転子が回転して、タブとカムが係合された後には、タブは、周辺リップ及び内側リップのエッジの上にそれている。保持要素は、２つの波形ばね９６の形態で付勢力を与える。この付勢力は回転子を固定子に向かって押すことにより、回転子と固定子の境界面での流体密封封止を発生させる。
【０１２９】
様々な実施形態では、１つ以上のずらし可能スペーサ（例えば、複数のタブ、又は他の、回転弁を保管構成で保持する為に設けられた構造）は、回転子が回転すると、少なくとも１つのリップ又は他の対応する構造から不可逆的に係合解除される。そのような実施形態では、ずらし可能スペーサがずらされると、回転子は固定子に向かって、回転軸に沿う方向に作動する。しかしながら、回転子は、逆方向に作動して固定子から遠ざかることを付勢要素によって妨げられる。従って、本明細書に記載のように弁デバイスが活性化されると、弁デバイスは、可逆的に非活性化可能ではなくなり、（例えば、回転子の回転によって（弁デバイスを活性化する際に回転させた逆方向の回転子の回転によって））保管／輸送ポジションに再度保持されなくなる。従って、固定子は、ガスケット及び／又は回転子で流体密封封止されると、デバイス運用中又はその後の使用において封止解除されない。従って、デバイスは使用後に廃棄され、これは、例えば、デバイス内の液体（例えば、試料）等の１つ以上の流体を流すことによって行われ、再保管されたり、輸送ポジションで更に輸送されたりしない。従って、本明細書に開示の弁デバイスの実施形態は使い捨てのデバイスであり、使い捨てとは、途中に実質的な保管（例えば、１日以上、又は２日、５日、１０日、２０日、又は５０日以上、１８０日以上、又は３６５日以上のデバイスの保管、及び／又はデバイスの輸送）がない単一期間の使用を意味する。
【０１３０】
様々な態様では、本発明の弁は、図８Ａ、８Ｂ、９Ａ、及び９Ｂに示されたタブ実施形態以外の構造を利用して、活性化前の輸送構成又は保管構成から活性化後のデバイス運用構成に移行する。そのような実施形態では、回転子は、ピンとトラックの結合によって固定子に作用的に接続されてよい。そのような接続では、回転子は、固定子のトラック内を動く１つ以上のピンを含み、それによって、回転子は、保管ポジションでは固定子から離れて保持され、その後、回転子が回転するとトラックから脱落する。別の実施形態では、固定子は、回転子が回転している間、回転子のトラック内を動く１つ以上のピンを含む。回転子は更に、ねじ山と溝の結合によって固定子に作用的に接続されてよく、その場合、回転子は、固定子上の１つ以上の相補的な溝に嵌合可能に接続する１つ以上のねじ山を含む。代替として、固定子は、回転子上の１つ以上の相補的な溝に嵌合可能に接続する１つ以上のねじ山を含む。そのような実施態様では、付勢要素は、回転子がピンとトラック又はねじ山の構造から係合解除されて、流体密封封止を形成し、弁がその保管構成に再移行するのを妨げることを促進する。
【０１３１】
幾つかの実施形態では、ピンとトラックの構造、又はピンとガイドの構造の使用に加えて、回転弁は、回転子と固定子との間のピンと溝の構造構成を使用して、活性化前の状態又は積み込まれた状態から、ガスケットが係合されて使用準備完了状態に移行する。保管時又は輸送中は、ピンは溝又はガイドの構造内で休止している。そして、弁の使用準備の為に、ガスケットが固定子弁面を封止するように、回転子が固定子との係合へと動く。積み込み状態からのこの動きは、１つ以上のガイド構造によってガイドされてよい。ガイド構造は、１つ以上のドッキング構造又はピン構造と噛み合うガイドを含んでよい。例えば、回転子は、固定子に関連付けられた相補的なガイド、トラック、又はレールと係合するように適合された１つ以上のドッキング構造（例えば、ピン）を含んでよい。
【０１３２】
代替として、固定子は、回転子に関連付けられた１つ以上のドッキング構造と係合するガイドを含んでよい。いずれの構成においても、ドッキング構造とガイドの相互作用により、積み込み／保管状態からガスケットが封止されて使用準備完了状態への移行の間の回転子と固定子の相対運動が方向付けられてよい。結果として、当然のことながら、回転子と固定子の相対運動に関連付けられたガイド構造の形状によって、移行中のガスケットと固定子弁面の係合の様式が制御される。例えば、回転子が回転することで、固定子ガイド構造が回転子を下げて固定子と係合させてよい。この代替構成の様々な実施形態では、回転弁は、１個、２個、３個、４個、５個、６個、７個、８個、９個、又は１０個以上のドッキング構造を含んでよい。ドッキング構造は、ピン、ペグ、ポスト、釘、フック、ロック等であってよく、これらに限定されない。ドッキング構造は、具体的な構成に基づいて回転子上又は固定子上で使用されてよい。更に、回転子と固定子の相対運動もガイドによって制御される。ガイドは、回転子が一方向に動くと（例えば、回転すると）、ガイドが更に、回転子と固定子の相対運動を別の方向に（例えば、下方に、又はガスケットと固定子の間隔を狭める方向に）引き起こすように、相対運動をガイドしてよい。そのようなガイドにより、ガスケットと固定子との間に所望の接触がもたらされる。この構成の回転弁は、１個、２個、３個、４個、５個、６個、７個、８個、９個、又は１０個以上のガイドを含んでよい。ガイドは、レール、トラック、スロット、溝等であってよく、これらに限定されない。回転子と固定子の組み合わせにおけるガイドとドッキング構造は相補的である。
【０１３３】
更に、本明細書に記載の回転弁実施形態の有利な長期保管機能に加えて、当然のことながら、上述のように、相補的なドッキング構造及びガイドを含む回転弁は、長期間にわたって積み込み状態で係合されたままであってよい。
【０１３４】
一態様は回転弁の保管方法を提供し、本方法は、（ａ）本明細書に記載の弁を保管容器内に置くステップと、（ｂ）その弁を一定期間にわたって保管するステップと、を含む。幾つかの実施形態では、弁を保管するステップは、弁を保管ポジションで保持することを含み、保管ポジションでは、ガスケットは回転子及び固定子の少なくとも一方から間隔を置かれる。幾つかの実施態様では、回転子はガスケットを含み、保管構成では、ガスケットは固定子から間隔を置かれる。幾つかの実施態様では、固定子はガスケットを含み、保管構成では、ガスケットは回転子から間隔を置かれる。本方法は、弁を保管場所（例えば、保管容器内、且つ／又はトレイや棚の上）に置き、その後、その弁デバイスを一定期間にわたって保管するステップを含んでよい。保管容器は、例えば、袋、箱（例えば、上部が開いた箱）、プラスチックモールド、又は別の、弁又は弁の一部を受ける凹部を有するコンポーネントであってよい。保管容器は複合一貫輸送容器であってもよく、これは、船舶又は鉄道の貨物輸送容器、又は保管施設の部屋等の部屋である。複数の弁が同じ容器に保管されてよい。
【０１３５】
様々な実施形態では、本方法は、弁デバイスを一定期間にわたって保管する（例えば、保管場所に保管する）ステップを含む。一定期間は、例えば１日から２年、例えば１０日から１年、例えば３０日から３００日の範囲であってよい。一定期間は、１日以上、３０日以上、９０日以上、１８０日以上、１年以上、又は２年以上であってよい。一定期間は、１日以下、３０日以下、９０日以下、１８０日以下、１年以下、又は２年以下であってもよい。一定期間は、例えば１か月から２４か月、例えば１０か月から２０か月、例えば１２か月から１８か月の範囲であってよい。一定期間は、６か月以上、例えば９か月以上、例えば１２か月以上であってよい。一定期間は、６か月以下、９か月以下、１２か月以下、１５か月以下、１８か月以下、又は２４か月以下であってもよい。そのような実施形態では、それらの月数は連続する月数である。
【０１３６】
本明細書に記載の回転弁の幾つかの実施形態は、長期保管又は確実な日持ちを実現する。幾つかの態様では、保管中に回転子と固定子との間の所望の間隔を保持する構造が提供される。その結果、保管中の回転子と固定子と介在する全てのガスケットとが、間隔を置いて、又は非流体密封関係に置かれて保持される。保管から使用準備完了への移行、又は流体密封関係を確立する移行は、回転子と固定子の間の相対運動によって達成される。図８Ａ、８Ｂは、ずらし可能スペーサ６０（例えば、１つ以上のタブ６１）を使用して、回転子と固定子を保管状態で保持する様子を示している。固定子が回転するとタブが係合して、それて、回転子と固定子の間の封止が可能になる。図１０Ａ〜１２Ｂは、保管状態を保持し、回転子と固定子の間の流体封止に移行する為の、ねじ山付き回転子の構成及び使用の詳細を示す。本明細書に記載のように回転弁を保管状態で保持する為に、これらの構成及び方法以外の構成及び方法も用いられてよい。
【０１３７】
回転子と固定子がねじ係合する回転弁
【０１３８】
回転弁の幾つかの実施形態では、保管状態の保持は、回転弁のコンポーネント間のねじ山付きフィーチャを使用して行われる。幾つかの実施形態では、回転子のねじ山部分と回転弁の別のねじ山付きコンポーネントとの間にねじ関係が存在する。図１０Ａ、１０Ｂ、及び１０Ｃは、ねじ山付き回転子を有する回転弁の斜視図、側面図、及び断面図を示す。
【０１３９】
図１１Ａ、１１Ｂ、１２Ａ、及び１２Ｂは、回転子１０の一部分と保持リング９１とがねじ係合する回転弁の一実施形態を示す。図１１Ａ及び１１Ｂは、保管状態のねじ山付き回転弁実施形態の斜視断面図及び断面図をそれぞれ示す。図１２Ａ及び１２Ｂは、ねじ山付きコンポーネント間の相対運動の結果として保管状態から移行した図１１Ａ、１１Ｂのねじ山付き回転弁実施形態の斜視断面図及び断面図をそれぞれ示す。図１１Ａ〜１２Ｂの各図の回転弁は、図４の回転弁と同様である。
【０１４０】
図１１Ａにおいて最もよく分かるように、保持リング９１がねじ山付き部分１９１を含む。図示された実施形態では、ねじ山付き部分１９１はねじ山１９４を含む。回転子１０は、外壁１１にねじ山付き部分１１０がある。図示された実施形態では、ねじ山付き部分１１０は、ねじ山１９４に対応する溝１１４を含む。図１１Ａ及び１１Ｂに示された積み込み構成では、付勢要素９６がねじ山１９４と溝１１４との間の係合を保持することによって、回転子封止面（ガスケット８０）と固定子弁面５２との間の所望のギャップの保持を支援する。図１１Ｂにおいて最もよく分かるように、回転子キャップ３０の上面と保持リング９１の上面とがほぼ面一であり、これによって、回転弁の薄型設計の要因が維持される。保持リング９１に対して回転子が回転すると、回転子は固定子に向かって動き、図１２Ａ及び１２Ｂに示される運用状態になる。保管状態から移行したことは、この図において、回転子キャップが保持リングの上面より下方に引っ込み、ガスケット８０が回転子と固定子の間で流体密封を実現していることから明らかである。図１２Ｂにも見られるように、それは、回転子が保持リング９１のねじ山付き部分１９４から切り離されたことである。ねじ山付き回転子が動いてこのポジションに入ることにより、本明細書に記載のように、回転子は、固定子に対して自由に割り出しされることになる。
【０１４１】
図１１Ａ〜１２Ｂによれば、回転弁に含まれる回転子１０は、回転軸１６と、回転子弁面１２と、回転子弁面の反対側にある外面１３と、を含む。更に、固定子５０の固定子弁面５２が回転子弁面の反対側に位置する。回転弁は更に、回転子と固定子とを互いに向けて付勢する保持要素９０を含み、保持要素９０は保持リング９１及び付勢要素９６を含む。保持リングのねじ山付き部分が回転子のねじ山付き部分と係合している間、回転弁は保管状態で保持される。一構成では、回転子と固定子との間の相対運動によって、回転子弁面と固定子弁面との間に流体密封構成が形成され、或いは、回転子と固定子との間の相対運動は、回転子が回転することによって、回転子が解放されて固定子を封止するまで、回転子が保持リングのねじ山付き部分に沿って動くことである。従って、保管状態での係合に使用されるねじ山付き回転子を有する回転弁は、ねじ山付き回転子の、１回転未満、半回転、４分の１回転、又は８分の１回転の回転で、回転弁内で流体密封封止を実現するように移行するよう構成されてよい。更に又、当然のことながら、回転弁のねじ山付き回転子のねじ山付きコンポーネントが係合している限り、回転子弁面と固定子弁面との間に配置されたガスケットは、固定子弁面との流体密封封止を形成しない。
【０１４２】
図１３〜１６の回転弁の様々な図に関しては、各図は、本明細書に記載の他の回転弁と同様に構成された回転弁である。各図は、回転子１０を有する回転弁に関し、回転子１０は、外面１３と、外面１３の反対側にある回転子弁面１２と、を有する。アパーチャ４１、４２のペアが回転子弁面１２を貫通している。固定子５０は固定子面５２を有し、固定子面５２に複数の固定子ポート５３を有する。複数の固定子ポート５３のそれぞれは、流体通路５４と連通している。更に、幾つかの構成では、固定子面５２と回転子弁面１２との間にガスケット８０も介在する。ガスケット８０内には、開口部８３のペアがアパーチャ４１、４２のペアと一直線に並んでいる。ガスケットは、保管状態の間は固定子面５２から間隔を置かれており、保管状態から解放されると、保持要素９０によって固定子面との流体密封関係に置かれて保持される。
【０１４３】
図１３は、保管状態の回転弁の部分断面図である。この実施形態では、回転子と固定子の間にスペーサ１８０がある。一実施形態では、スペーサ１８０は、ガスケット８０と固定子弁面との間に位置する。スペーサ１８０は、ガスケット８０と一体成形されているか、ガスケット８０に取り付けられている円板又はＯリングとして構成されてよい。更に、スペーサ１８０は、ガスケット封止面に沿って配置されてよく、それによって、（ａ）ガスケット封止面と固定子面との間のギャップを保持し、（ｂ）回転弁を保管状態で保持してよい。一態様では、スペーサ１８０とともに使用されるように適合された回転弁は、スペーサをずらしてガスケット封止面と固定子面との係合を可能にするのに十分な、回転子と固定子との間の相対運動によって、保管状態から解放される。
【０１４４】
図１４Ａ及び１４Ｂは、ノッチ付き回転子を有する回転弁の、保管状態（図１４Ａ）及び封止済み／使用準備完了状態（図１４Ｂ）での斜視図を示す。図１４Ａは、保管状態の回転子を示す。回転子外壁１４の周囲に複数のノッチ１１２と傾斜付きフィーチャ１１４とが配列されている。保持リング９１は、回転子外壁と係合する対応溝１１６を含む。図１４Ａに示されるように、回転弁は、溝１１６と傾斜付きフィーチャ１１４の一部分との係合によって保管状態にとどまる。ノッチ付き回転子が回転すると、回転子は、図１４Ａの保管状態から図１４Ｂに示された封止済み／使用準備完了状態に移行する。この構成に関しては、回転子１０の周囲にあって固定子と結合されている保持リング９１が示されている。保持リング９１は、保持リングのうちの回転子１０に近接する一部分の周囲に複数の溝１１６を有する。更に、回転子は、図１４Ａにおいて最もよく分かるように、保持リングの複数の溝と嵌合対応する複数の相補的な形状を有するように構成されている。この複数の溝と複数の相補的形状の係合の結果として、回転弁は保管状態にとどまる。回転弁は、保持リングの一部分の周囲の複数の溝を、回転子上で嵌合対応する複数の相補的形状から係合解除するのに十分な、回転子と保持リングとの間の相対運動によって、図１４Ａに示された保管状態から解放される。この相対運動の結果として（典型的には回転によって）、回転弁は、図１４Ｂのような封止済み／使用準備完了構成に移行する。
【０１４５】
図１５は回転弁の分解図であり、回転子が保持リングの上方且つ外側に間隔を開けて存在する。図１１Ａ〜１２Ｂのねじ山付きキャップ回転子と同様に、図１５の回転子は、回転子及び保持リングの相補的ねじ山付きセクションと係合して、保管状態と、保管状態からのシンプルな移行とを実現する。回転子１０は、外壁１４に沿って、回転子の上部外周と近接するリッジ１１８及びスペース１１９を含む。リッジとスペースは一緒に、回転子の完全な外周を形成する。この実施形態では、図示されるように、リッジ１１８とスペース１１９の各ペアは互いに向かい合う。同様の構成が保持リング９１上にも存在する。保持リング９１は、回転子上のリッジ及びスペースに対応する相補的なリッジ１９５及びスペースを含む。保管状態では、回転子リッジ１１８は保持リングリッジ１９５と係合して、回転子と固定子の間隔を保持する。回転子が４分の１回転すると、回転子リッジ１１８が保持リング内のギャップに入っていき、回転子が落下して封止済み状態になり、使用準備完了になる。従って、これらの実施形態は、回転子の周囲にあって固定子と結合されている保持リングを有する回転弁に関する。保持リングは、回転子に近接する面に沿って弧形状のペアを有し、回転子は、保持リングの弧形状のペアに対応する相補的な弧形状のペアを有する。この回転弁の保管状態は、回転子及び保持リングの弧形状のペアと相補的な弧形状のペアとが係合している間は保持される。図１５のように構成された回転弁は、回転子に近接する面に沿う弧形状のペアを、回転子上の相補的な弧形状のペアから係合解除するのに十分な、回転子と保持リングとの間の相対運動によって保管状態から解放される。
【０１４６】
図１６は、回転弁を保管状態で保持する為に使用されるクリップの、下から見上げた断面図である。クリップ１９７はプロング１９８、１９９のペアを含み、これらは、回転弁内で固定子と回転子の間の所望のギャップを保持するように配置される。図１６に示されるように、回転弁はクリップ１９７を含み、クリップ１９７は回転弁と係合して、ガスケット封止面と固定子面との間のギャップを保持する。回転弁のうちの、プロング１９８、１９９で支持される部分が、この回転弁実施形態を保管状態で保持する。図１６の回転弁は、クリップ１９７が取り外されると、保管状態から解放される。クリップ１９７を取り外すと、保持要素がガスケットを動かして固定子面との流体密封関係に置くことが可能になる。
【０１４７】
図１７Ａ〜１７Ｅ及び図１８Ａ〜１８Ｃは、固体支持体チャンバ４６内の流路スペーサの様々な代替構成を示している。チャンバ４６内の流体の流れは、幾つかの要因に依存しており、例えば、固体支持体４５のタイプや、チャンバ４６内で実施される機能、又は回転弁の実施形態の全体的な機能性に依存している。流路スペーサは、流体がチャンバ４６を通って流れるように、且つ、チャンバ４６内の固体支持体４５を通って固体支持体４５の周囲を流れるように支援することが可能である。従って、様々な流路スペーサ構成の配列を有利に使用して、回転弁の機能性及び性能を強化することが可能である。
【０１４８】
図３Ｂは流路スペーサ４９の一変形形態を示しており、これは、固体支持体チャンバ４６の底面３９から持ち上げられた構造として構成されている。この実施形態の底面３９は平坦であるが、本明細書に記載の他の構成では傾斜が付いたチャンバ底面が使用されてよい。この実施形態の流路スペーサ４９は、固体支持体チャンバ４６の内壁の全体的な曲率に対応する弧形状を有する。流路スペーサ４９は、チャンバ４６の壁、並びにチャンバ４６の出口４８の両方から隔てられている。流路スペーサの他の形状、向き、及びチャンバ内構成も可能である。流路スペーサの例示的変形形態では、（ａ）流路スペーサは連続的な構造ではなく断片化されていてよく、（ｂ）流路スペーサは、固体支持体チャンバの面（例えば、側壁や底面３９）に沿って２つ以上の構造を含んでよく、（ｃ）流路スペーサは、チャンバ出口４８から間隔を置かれてよく、或いは出口４８のエッジで切れていてよく、（ｄ）流路スペーサは、チャンバ内面（例えば、底面や側壁）から持ち上げられていてよく、チャンバ内面（例えば、底面や側壁）に埋め込まれていてよい。これら及び他の流路スペーサ４９及びチャンバ４６の構成（１つ以上の実施形態の様々な組み合わせを含む）について、図１７Ａ〜１８Ｃで詳述する。
【０１４９】
図１７Ａ〜１７Ｅは、流れチャンバ４６において、複数の流路スペーサ４９が支持体チャンバ出口４８の周囲に配列されている様子を示している。図１７Ａは、図３Ｂに示された固体支持体チャンバ４６を上から見下ろした図であり、ここでは、３つの持ち上げられた流路スペーサ４９が、支持体チャンバ出口４８を中心に放射状に配列されている。流路スペーサ４９のそれぞれは、支持体チャンバ出口４８から始まっており、チャンバ底面３９に沿って延びており、チャンバ４６の側壁に達する前に切れている。図１７Ｂは、図１７Ａの固体支持体チャンバ４６の断面図である。この図が明確に示すこととして、チャンバ底面３９は平坦であり、流路スペーサ４９は、流路出口４８と一直線に並んでいて、チャンバ側壁との間に間隔が空くように切れている。図１７Ｃは、図１７Ｂと同様の、固体支持体チャンバ４６の断面図である。図１７Ｃと同様に、図１７Ｃの流路スペーサ４９の実施形態が示すこととして、チャンバ底面３９は平坦であり、流路スペーサ４９は、流路出口４８と一直線に並んでいて、チャンバ側壁との間に間隔が空くように切れている。図１７Ｃは、傾斜付き又はウェッジ状の流路スペーサ４９を示す。この実施形態では、ウェッジ状又は傾斜付き流路スペーサは、平坦なチャンバ底面３９との組み合わせで使用される。この実施形態では、チャンバ底面３９からの流路スペーサ４９の高さは、チャンバ出口４８に近いほど低く、チャンバ出口４８から遠いほど高い。図１７Ｄの断面図は、流路スペーサ４９が、流路出口４８と一直線に並んでいて、チャンバ側壁との間に間隔が空くように切れている点で図１７Ｂ及び１７Ｃと同様である。図１７Ｄは、傾斜が付いたチャンバ底面３９を示す。傾斜付きチャンバ底面３９は、流路スペーサ４９が全くない場合のように単独で使用されてよく、或いは本明細書に記載のいずれかの流路スペーサ実施形態とともに使用されてよい。図１７Ｄの例示的実施形態では、傾斜付きチャンバ底面３９は、傾斜付き又はウェッジ状流路スペーサ４９との組み合わせで使用される。図１７Ｃの傾斜付き又はウェッジ状流路スペーサとは異なり、図１７Ｄに示された流路スペーサ実施形態の傾斜の高さは、チャンバ出口４８に近いほど高く、側壁に近いほど低くなっている。一態様では、図１７Ｃ及び１７Ｄの断面図から明らかなように、流路スペーサ４９は、断面が矩形（図１７Ｂ）、三角形（図１７Ｄ）、又は台形（図１７Ｃ）であってよい。図１７Ｅは、複数の流路スペーサ４９を有する固体支持体チャンバ４６を上から見下ろした図であり、流路スペーサがチャンバ底面３９に沿っていて、チャンバ出口４８を中心に配列されていて、チャンバ側壁から間隔を置かれている点で図１７Ａと同様である。図１７Ｅの流路スペーサ４９の実施形態は、チャンバ側壁からもチャンバ出口４８からも間隔を置かれている流路スペーサの位置を示す。この構成において図示されている流路スペーサ４９を修正して、図１７Ａ〜１７Ｄに関して上述された他の構成に入れてもよい。
【０１５０】
図１８Ａ〜１８Ｃは、流れチャンバ４６において、複数の流路スペーサ４９が支持体チャンバ出口４８の周囲に配列されている様子を示しており、これは、チャンバ出口４８に直接隣接していて、チャンバ側壁に対して間隔を置いて切れている点で、図１７Ａ〜１７Ｄに関して上述されたものと同様である。図１８Ａ〜１８Ｃの実施形態では、流路スペーサ４９がチャンバ底面３９に埋め込まれている。図１８Ａは、チャンバ出口４８に隣接して埋め込まれた流路スペーサ４９を上から見下ろした図である。図１８Ｂは、図１８Ａの支持体チャンバ４８の断面図である。図１８Ｂを見ると、流路スペーサ４９の平坦な底面が示されている。図１８Ｂの底面に埋め込まれた平坦な流路スペーサの代替として、図１８Ｃは、埋め込まれた流路スペーサが傾斜付き又はウェッジ状である支持体チャンバ４６の断面図である。図示された実施形態では、傾斜付きの埋め込まれた流路スペーサは、チャンバ出口４８に近いほど深くなっており、チャンバ側壁に近づくほど浅くなっている。別の代替実施形態では、埋め込まれた流路スペーサは、図１７Ａ〜１７Ｄに関して記載された傾斜、形状、平坦なチャンバ底面、及び傾斜付きチャンバ底面の様々な実施形態と同様に構成されており、或いは、任意選択で、図１７Ｅと同様にチャンバ出口４８から間隔を置かれてよい。
【０１５１】
上述の開示から理解されるように、回転弁実施形態に流路スペーサを使用することにより、可能な固体支持体４５の多様な実施形態、並びにロバストな回転弁機能性の要望に対応する、様々な種類の支持体チャンバ４６の構成が実現される。従って、固体支持体チャンバ４６は、平坦又は傾斜付きのチャンバ底面３９に流路支持体が全くなくてもよい。流路支持体がない平坦なチャンバ底面３９が図４に示されている。そのような構成では、固体支持体４５は、平坦又は傾斜付きチャンバ底面３９上に載っている。任意選択で、固体支持体チャンバ４６は、図３Ａ、３Ｂ、１７Ａ〜１８Ｃで図示及び説明されたような流路スペーサ４９を１つ以上含んでよい。追加又は任意選択で、様々な流路スペーサ実施形態が、平坦又は傾斜付きチャンバ底面３９から持ち上げられるか、そこに埋め込まれてよい。更に、当然のこととして、これらの多様な支持体チャンバ及び流路スペーサの組み合わせが、回転弁の動作及び機能性を強化する為に更に組み合わされてよい。固体支持体チャンバ４６を２つ、３つ、又は４つ以上有する回転弁では、それらの各支持体チャンバは、上述のチャンバ底面及び流路スペーサの各特性の要素の固有の構成を有してよい。言い換えると、各固体支持体チャンバは、それぞれに対応する流路４０とともに、回転弁の全体的な機能性に基づいて構成されてよい。図１８Ａはそのような組み合わせの１つの例示的実施形態を示しており、ここでは、１つの固体支持体チャンバ４６が持ち上げられた弧状流路スペーサ４９を含み、別のチャンバ４６が埋め込まれた流路スペーサ４９の配列を示している。当然のことながら、本明細書に記載の流路スペーサ、固体支持体チャンバ、及び支持体チャンバ底面の様々な変形形態の全てが、使用される固体支持体４５のタイプ、並びに回転弁の全体的な機能及び性能に基づき、必要に応じて組み合わされたり修正されたりしてよい。
【０１５２】
回転弁の動作例
【０１５３】
図１９の表は、図１Ｂ〜１Ｃの回転弁００を使用する、生物学的アッセイの分析用生物学的試料の調製の為に行われてよい一連の試料処理ステップを示す。図７Ｂ１に示された構成のガスケット８０を有する回転弁００を使用する弁動作シーケンスを図２０Ａ〜３０Ｃに示す。以下の例は、固定子５０上の様々なポート５３との間の流体連通を確立する為に、ガスケット内に形成された各アパーチャ形状によって実施可能な様々な機能を示している。以下の各図のうちの大きなストリップの領域１７１は回転子と固定子の境界面の全体を表しており、ストリップ１７２内に配置されている小さな各矩形は、固定子面５２に沿う、ポート５３を支持することが可能な場所を表している。小さな各矩形の上にある円１７３は、固定子５０に存在する実際のポートの場所を表している。ストリップの上に位置する他の形状は全て、図７Ｂ１に示された各ガスケットフィーチャを、同じ参照符号を当てて表している。これらの各種ガスケットフィーチャは、以下の説明で明らかにされるであろう、固定子５０上の各ポート４３との様々な流体連通を実現する為に使用される。
【０１５４】
【表１】
2021514454.tif 000003
【０１５５】
図２０〜３０では、以下の呼び方を用いる。「Ａ」のラベルが付いた図は、弁動作シーケンスにおいて使用可能な回転子と固定子の境界面を示しており、あたかも回転子と固定子の境界面の外周の巻きが解かれて直線状になったかのように図示している。「Ｂ」のラベルが付いた図は、弁動作シーケンスにおいて使用可能な回転子と固定子の境界面を、回転子外面１３から見ているように示している。「Ｃ」のラベルが付いた図は、どのポートが加圧されていて、どれほどの大きさまで加圧されているかを示している。
【０１５６】
図２０Ａ〜Ｂは保管構成の回転弁を示しており、ガスケット８０は、回転子１０又は固定子５０の少なくとも一方を封止することを妨げられている。図２０Ｃによれば、圧力が全く印加されておらず、全ての空気源Ｐ１〜Ｐ４がベントの為に開いている。
【０１５７】
図２１Ａ〜Ｂは、固定子５０と回転子１０との間に流体密封封止を形成する為に保管構成から運用構成へと最初に割り出しされる際の回転弁を示す。流体密封封止は、図７Ｂ１に示されたガスケットが固定子面５２と回転子弁面１２との間で圧縮された結果である。図２１Ｃに見られるように、このホームポジションでは、本システムに圧力が全く印加されておらず、全ての空気源がブロックされている。
【０１５８】
図２２Ａ〜Ｂは、生物学的試料及び溶解緩衝液をロードするように回転弁が割り出しされた状態を表している。空気源Ｐ１は、第１のコネクタ溝８６ａを通して試料ポートから試料保持チャンバ（ＳＨＣ）ポートに試料を流すように加圧されている。第１のコネクタ溝８６ａは、同じ放射線上で、より長い半径方向距離に位置するポートがより短い半径方向距離に位置する別のポートと流体連通することを可能にしている。第１のコネクタ溝８６ａは、固定子５０をまたぐ試料の再方向付けを可能にしている。同様に、源Ｃｒは、第２のコネクタ溝８６ｂを通してその源（ＬＢ）から溶解緩衝液保持チャンバに溶解緩衝液を流すように加圧されている。第２のコネクタ溝８６ｂは、固定子５０において、同じ放射線上で異なる２つの距離に位置する溶解緩衝液ポートと溶解緩衝液保持チャンバ（ＬＢＨＣ）ポートとを接続している。ガスケットアパーチャとアクティブに連通していないポート（即ち、洗浄緩衝液ポート及び廃棄物ポート）については、ガスケット８０は、現在アクティブに使用されていない全てのポートを封止している。ガスケットアパーチャとアクティブに連通しているポートだけが、固定子５０のポート間で流体を動かすことが可能である。図２２Ｃは、空気源Ｐ１及びＣｒがオンであって５．０ｐｓｉｇに加圧されていることを示している。
【０１５９】
図２３Ａ〜Ｂは、溶解／混合ポジションにある回転弁を示している。空気源Ｐ２は、試料保持チャンバから試料を、溶解緩衝液保持チャンバから溶解緩衝液を、溶解混合チャンバに流すように加圧されている。半径方向コネクタ溝９９ａを使用して、試料保持ポート、溶解緩衝液保持ポート、及び溶解混合チャンバポートが互いに接続されている。半径方向コネクタ溝９９ａは、固定子５０において同じ半径方向距離にあって異なる放射線上にある複数のポートが互いに流体連通することを可能にしている。これにより、試料及び溶解緩衝液が圧力下でそれぞれの保持チャンバから溶解混合チャンバポートを通って混合チャンバ（ＬＢＸＣ）に流入することが可能になっている。図２３Ｃは、空気源Ｐ２がオンであって５．０ｐｓｉｇに加圧されていることを示している。空気源Ｐ１、Ｐ３、及びＰ４は大気にベントされており、空気源Ｃｒはブロックされている。
【０１６０】
図２４Ａ〜Ｂは、溶解された試料をマトリックス上にロードするポジションにある回転子を示す。空気源Ｐ１は、溶解された試料を溶解混合チャンバ（ＬＢＸＣ）から、ガスケット入口８４と一直線に並ぶ溶解混合チャンバポートに押し出すように加圧されている。溶解された試料は、固体支持体チャンバ４６の多孔質固体支持体４５を通り抜ける。ターゲット分析対象物は多孔質固体支持体４５に拘束され、一方、溶解された試料の残り（例えば、細胞残屑）は、流れチャンバ出口から出てガスケット出口８５を通り、固定子５０にある廃棄物ポートによって廃棄物収集要素（「廃棄物」）へと方向付けられる。図２４Ｃは、空気源Ｐ１が２０．０ｐｓｉｇに加圧されていることを示している。空気源Ｐ２及びＣｒはブロックされている。空気源Ｐ３及びＰ４は大気にベントされている。
【０１６１】
図２５Ａ〜Ｂは、マトリックス洗浄ポジションにある回転弁を示している。回転子は洗浄緩衝液（ＷＢ）ポートを廃棄物ポートに接続するように動いており、この接続は、ターゲット分析対象物とともにあらかじめロードされていたマトリックスを保持している流れチャンバを介して行われている。洗浄緩衝液を、ガスケット入口８４と一直線に並ぶ洗浄緩衝液チャンバポートに押し出す為に、空気源はＰ１からＰ２に変更されている。洗浄緩衝液は、多孔質固体支持体４５の上を流れて不要な汚染物質を除去し、一方、ターゲット分析対象物は多孔質固体支持体４５に拘束されて残る。汚染物質を運ぶ洗浄緩衝液は、流れチャンバ出口から出てガスケット出口８５を通り、固定子５０にある廃棄物ポートによって廃棄物収集要素へと方向付けられる。図２５Ｃは、空気源Ｐ２が２０．０ｐｓｉｇに加圧されていることを示している。空気源Ｐ１及びＣｒはブロックされており、空気源Ｐ３及びＰ４は大気にベントされている。
【０１６２】
図２６Ａ〜Ｂは、回転弁１０がマトリックス乾燥ポジションに割り出しされた状態を表している。空気乾燥ステップを多孔質固体支持体４５に適用することにより、固体支持体チャンバ４６から残留洗浄緩衝液が除去される。空気圧源Ｐ２がガスケット入口８４を介して空気ポートに適用される。固体支持体チャンバ４６を通り抜けた空気は、その後、流れチャンバ出口から出てガスケット出口８５を通り、固定子５０にある廃棄物ポートによって廃棄物収集要素へと方向付けられる。図２６Ｃはやはり、空気源Ｐ２が２０．０ｐｓｉｇに加圧されていることを示している。空気源Ｐ１及びＣｒはブロックされており、空気源Ｐ３及びＰ４は大気にベントされている。
【０１６３】
図２７Ａ〜Ｂは、マトリックスを溶離して、多孔質固体支持体４５から分析対象物を溶離するように割り出しされた回転弁を示している。空気源Ｐ３は、水（又は他の溶離液）を水ポートに送り出してガスケット入口８４に入れるように加圧されている。水は固体支持体チャンバ４６の多孔質固体支持体４５内を通って流れて、ターゲット分析対象物を固体支持体から解放する。ターゲット分析対象物を含有する溶離液は、固体支持体チャンバ４６を流れチャンバ出口から出てガスケット出口８５を通り、固定子５０にある陽性試料計量チャネルポートを通って陽性試料計量チャネル（「陽性ＭＣ」）に入る。
【０１６４】
同時に、空気圧源Ｐ３は、水（即ち、陰性対照試料）を陰性計量チャネルポートまで動かすように陰性水ポートを加圧する。この更なる水ポートを使用して、実施されるアッセイの為の陰性対照がロードされる。ガスケットの第３のセレクタ溝８６ｃが、水ポートと陰性対照計量チャネル（「陰性ＭＣ」）ポートが流体連通して陰性計量チャネルが充填されることを可能にする。図２７Ｃは、空気源Ｐ１、Ｐ２、及びＣｒがブロックされていることを示している。空気源Ｐ３は５．０ｐｓｉｇに加圧されており、空気源Ｐ４は大気にベントされている。
【０１６５】
図２８及び２９は両方とも、試薬混合ポジションにある回転弁を示しているが、異なる空気源を活性化又はベントすることにより効果が異なる。図２８Ａ〜Ｂでは、回転弁は、陽性試料及び陰性試料をそれぞれの計量チャネルから別々の陽性混合チャンバ（「陽性ＸＣ」）及び陰性混合チャンバ（「陰性ＸＣ」）に流す。空気源Ｐ４は、陽性試料を第１のセレクタ溝８７ａから陽性混合チャンバに転送するように、陽性計量チャネルポートを加圧している。第１のセレクタ溝８７ａは、回転軸から第１の半径方向距離にある、１つの放射線上のポートが、回転軸から第２の（より短い）半径方向距離にある、別の放射線上のポートと流体連通することを可能にする。同時に、空気源Ｐ４は、陰性試料を第２のセレクタ溝８７ｂから陰性混合チャンバに転送するように、陰性計量チャネルポートを加圧している。図２８Ｃは、空気源Ｐ１、Ｐ２、及びＣｒがブロックされていることを示している。空気源Ｐ３は大気にベントされており、空気源Ｐ４は５．０ｐｓｉｇに加圧されている。
【０１６６】
図２９Ａ〜Ｂでは、回転弁は、同じ試薬混合ポジションにとどまっている。混合が完了した後、空気源Ｐ３は、流体を各計量チャネルのそれぞれに戻すように加圧されている。第１のセレクタ溝８７ａは、陽性混合チャンバポートと陽性計量チャネルポートが流体連通して陽性計量チャネルが充填されることを可能にする。同様に、第２のセレクタ溝８７ｂは、陰性混合チャンバポートと陰性計量チャネルポートが流体連通して陰性計量チャネルが充填されることを可能にする。図２９Ｃは、空気源Ｐ１、Ｐ２、及びＣｒがブロックされていることを示している。空気源Ｐ３は５．０ｐｓｉｇに加圧されており、空気源Ｐ４は大気にベントされている。
【０１６７】
図３０Ａ〜Ｂは、回転弁の最終構成を示しており、陽性試料及び陰性対照が増幅ウェルに渡される。第１のセレクタ溝８７ａは、ここでは、陽性増幅ウェル（「陽性ウェル」）がロードされるように、陽性計量チャネルポートを陽性ウェルポートに接続している。陽性計量チャネルポートと陽性ウェルポートとの間の流体経路は、陽性計量チャネルポートと陽性混合チャンバポートとの間の流体経路より短いが、この場合も第１のセレクタ溝８７ａは、異なる放射線上にあって異なる半径方向距離にある２つのポートを接続している。同時に、第２のセレクタ溝８７ｂは、陰性増幅ウェルがロードされるように、陰性計量チャネルポートを陰性ウェル（「陰性ウェル」）ポートに接続している。図３０Ｃは、空気源Ｐ１、Ｐ２、Ｐ３、及びＣｒがブロックされていて、空気源Ｐ４が５．０ｐｓｉｇに加圧されていることを示している。
【０１６８】
本明細書において、あるフィーチャ又は要素が別のフィーチャ又は要素の「上に（ｏｎ）」あると言及された場合、そのフィーチャ又は要素は、直接その別のフィーチャ又は要素に接していてよく、或いは、介在するフィーチャ及び／又は要素が存在してもよい。これに対し、あるフィーチャ又は要素が別のフィーチャ又は要素の「直接上に（ｄｉｒｅｃｔｌｙ  ｏｎ）」あると言及された場合、介在するフィーチャ及び／又は要素は存在しない。又、当然のことながら、あるフィーチャ又は要素が別のフィーチャ又は要素に「接続されている（ｃｏｎｎｅｃｔｅｄ）」、「取り付けられている（ａｔｔａｃｈｅｄ）」、又は「結合されている（ｃｏｕｐｌｅｄ）」と言及された場合、そのフィーチャ又は要素は、直接その別のフィーチャ又は要素に接続されているか、取り付けられているか、結合されていてよく、或いは、介在するフィーチャ又は要素が存在してもよい。これに対し、あるフィーチャ又は要素が別のフィーチャ又は要素に、「直接接続されている（ｄｉｒｅｃｔｌｙ  ｃｏｎｎｅｃｔｅｄ）」、「直接取り付けられている（ｄｉｒｅｃｔｌｙ  ａｔｔａｃｈｅｄ）」、又は「直接結合されている（ｄｉｒｅｃｔｌｙ  ｃｏｕｐｌｅｄ）」と言及された場合、介在するフィーチャ又は要素は存在しない。そのように記載又は図示されたフィーチャ及び要素は、１つの実施形態に関して記載又は図示されているが、他の実施形態にも当てはまってよい。又、当業者であれば理解されるように、ある構造又はフィーチャが別のフィーチャに「隣接して（ａｄｊａｃｅｎｔ）」配置されていて、その構造又はフィーチャが言及された場合、その言及は、隣接するフィーチャと部分的に重なり合うか、隣接するフィーチャの下層となる部分を有してよい。
【０１６９】
本明細書において使用された術語は、特定の実施形態を説明することのみを目的としており、本開示の限定を意図したものではない。例えば、本明細書において使用される単数形「ａ」、「ａｎ」、及び「ｔｈｅ」は、文脈上明らかに矛盾する場合を除き、複数形も同様に包含するものとする。更に、用語「ｃｏｍｐｒｉｓｅｓ（備える）」及び／又は「ｃｏｍｐｒｉｓｉｎｇ（備える）」は、本明細書で使用された際には、述べられたフィーチャ、手順、操作、要素、及び／又は構成要素の存在を明記するものであり、１つ以上の他のフィーチャ、手順、操作、要素、構成要素、及び／又はこれらの集まりの存在又は追加を排除するものではないことを理解されたい。本明細書では、「及び／又は（ａｎｄ／ｏｒ）」という用語は、関連付けられて列挙されたアイテムのうちの１つ以上のアイテムのあらゆる組み合わせを包含するものであり、「／」と略記されてよい。
【０１７０】
「下に（ｕｎｄｅｒ）」、「下方に（ｂｅｌｏｗ）」、「下方の（ｌｏｗｅｒ）」、「上方の（ｏｖｅｒ）」、「上方の（ｕｐｐｅｒ）」などのような空間的に相対的な語句は、本明細書では、図面に示されるような、１つの要素又はフィーチャと別の要素又はフィーチャとの関係を説明する場合に説明を簡単にする為に使用されてよい。当然のことながら、この空間的に相対的な語句は、使用時又は操作時の器具の、図面で描かれる向きに加えて、それ以外の向きも包含するものとする。例えば、図面内の器具が反転された場合、別の要素又はフィーチャの「下に（ｕｎｄｅｒ）」又は「真下に（ｂｅｎｅａｔｈ）」あると記載された要素は、その別の要素又はフィーチャの「上に（ｏｖｅｒ）」方向づけられることになる。従って、例えば、「下に（ｕｎｄｅｒ）」という語句は、「上に（ｏｖｅｒ）」及び「下に（ｕｎｄｅｒ）」の両方の向きを包含しうる。本装置は、他の方向づけ（９０度回転又は他の方向づけ）が行われてよく、それに応じて、本明細書で使用された空間的に相対的な記述子が解釈されてよい。同様に、「上方に（ｕｐｗａｒｄｌｙ）」、「下方に（ｄｏｗｎｗａｒｄｌｙ）」、「垂直方向の（ｖｅｒｔｉｃａｌ）」、「水平方向の（ｈｏｒｉｚｏｎｔａｌ）」などの用語は、本明細書では、特に断らない限り、説明のみを目的として使用される。
【０１７１】
「第１の」及び「第２の」という語句は、本明細書では様々なフィーチャ／要素（手順を含む）を説明する為に使用されてよいが、これらのフィーチャ／要素は、文脈上矛盾する場合を除き、これらの語句によって限定されるべきではない。これらの語句は、あるフィーチャ／要素を別のフィーチャ／要素と区別する為に使用されてよい。従って、本発明の教示から逸脱しない限り、第１のフィーチャ／要素が後述時に第２のフィーチャ／要素と称されてもよく、同様に、第２のフィーチャ／要素が後述時に第１のフィーチャ／要素と称されてもよい。
【０１７２】
本明細書及び後続の特許請求の範囲の全体を通して、別段に記述しない限りは、「含む（ｃｏｍｐｒｉｓｅ）」という後、及びその変形である「含む（ｃｏｍｐｒｉｓｅｓ）」、「含む（ｃｏｍｐｒｉｓｉｎｇ）」などは、方法及び物品（例えば、装置（ｄｅｖｉｃｅ）及び方法を含む構成及び装置（ａｐｐａｒａｔｕｓ））において様々な構成要素が相互連帯して使用されてよいことを意味する。例えば、「含む（ｃｏｍｐｒｉｓｉｎｇ）」という語は、述べられた全ての要素又はステップの包含を意味するものであって、他のあらゆる要素又はステップの排除を意味するものではないことを理解されたい。
【０１７３】
実施例において使用される場合も含め、本明細書及び特許請求の範囲において使用されているように、且つ、特に断らない限り、あらゆる数値は、「約（ａｂｏｕｔ）」又は「およそ（ａｐｐｒｏｘｉｍａｔｅｌｙ）」という語句が前置されているものとして読まれてよく、たとえ、その語句が明示的に現れていなくても、そのように読まれてよい。「約（ａｂｏｕｔ）」又は「およそ（ａｐｐｒｏｘｉｍａｔｅｌｙ）」という語句は、大きさ及び／又は位置を示す場合に、記載された値及び／又は位置が、妥当な予想範囲の値及び／又は位置に収まっていることを示す為に使用されてよい。例えば、数値は、述べられた値（又は値の範囲）の±０．１％の値であってよく、述べられた値（又は値の範囲）の±１％の値であってよく、述べられた値（又は値の範囲）の±２％の値であってよく、述べられた値（又は値の範囲）の±５％の値であってよく、述べられた値（又は値の範囲）の±１０％の値であってよく、他のそのような値であってよい。本明細書で与えられるいかなる数値も、文脈上矛盾する場合を除き、その値の前後のおおよその値も包含するものと理解されたい。例えば、値「１０」が開示されている場合は、「約１０」も開示されている。本明細書に記載のいかなる数値範囲も、そこに包含される全ての副範囲を包含するものとする。又、当然のことながら、当業者であれば適正に理解されるように、ある値が開示されていれば、その値「以下の」値、その値「以上の」値、及びそれらの値の間の可能な範囲も開示されている。例えば、値「Ｘ」が開示されていれば、「Ｘ以下の」値、及び「Ｘ以上の」値（例えば、Ｘが数値の場合）も開示されている。又、本出願全体を通して、データが幾つかの異なるフォーマットで与えられていること、並びにこのデータが終点及び始点を表していて、これらのデータ点の任意の組み合わせにわたる範囲を有することも理解されたい。例えば、特定のデータ点「１０」及び特定のデータ点「１５」が開示されていれば、１０と１５の間の値だけでなく、１０及び１５より大きい値、１０及び１５以上の値、１０及び１５より小さい値、１０及び１５以下の値、及び１０及び１５に等しい値も開示されていると見なされる。２つの特定の単数の間の各単数も開示されていることも理解されたい。例えば、１０及び１５が開示されていれば、１１、１２、１３、及び１４も開示されている。
【０１７４】
ここまで様々な例示的実施形態について記載してきたが、特許請求の範囲によって示される本発明の範囲から逸脱しない限り、様々な実施形態に対して、幾つかある変更のいずれが行われてもよい。例えば、記載された各種方法ステップが実施される順序は、代替実施形態では変更されてよい場合が多く、代替実施形態によっては、１つ以上の方法ステップがまとめてスキップされてもよい。装置及びシステムの様々な実施形態の任意選択の特徴が、実施形態によっては含まれてよく、実施形態によっては含まれなくてよい。従って、上述の説明は、主に例示を目的としたものであり、特許請求の範囲に明記されている本発明の範囲を限定するように解釈されるべきではない。
【０１７５】
本明細書に含まれる実施例及び具体例は、本発明対象が実施されうる具体的な実施形態を、限定ではなく例示として示す。言及されたように、他の実施形態が利用されたり派生したりしてよく、本開示の範囲から逸脱しない限り、構造的な、或いは論理的な置換又は変更が行われてよい。本発明対象のそのような実施形態は、本明細書においては、個別に参照されてよく、或いは、「本発明」という言い方でまとめて参照されてよく、「本発明」という言い方で参照することは、あくまで便宜上であって、本出願の範囲を、実際には２つ以上が開示されていても、いずれか１つの発明又は発明概念に自発的に限定することを意図するものではない。従って、本明細書では特定の実施形態を図示及び説明してきたが、この、示された特定の実施形態を、同じ目的を達成するように作られた任意の構成で置き換えてよい。本開示は、様々な実施形態のあらゆる翻案又は変形を包含するものである。当業者であれば、上述の説明を精査することにより、上述の複数の実施形態の組み合わせ、及び本明細書に具体的な記載がない他の実施形態が明らかになるであろう。
【０１７６】
＃          構造
００       回転弁
０２       回転子と固定子の境界面
０４       ガスケットと固定子の境界面
１０       回転子
１１       回転子本体
１２       回転子弁面
１３       回転子外面
１４       回転子外壁
１５       回転子中心開口部（軸）
１６       回転子回転軸
１７       推進係合開口部
１８       圧縮制限器
２０       ずらし可能スペーサ境界面
２１       リップ
２２       周辺リップ
２３       内側リップ
２４       カム
２５       内側カム
２６       周辺カム
２８       ずらしスロット
３０       回転子キャップ
３２       回転子嵌合要素
３４       キャップ流路面
３６       キャップ中心開口部
３８       キャップスプラインアクセス
４０       流路
４１       流路入口
４２       流路出口
４３       第１の導管
４４       第２の導管
４５       固体支持体
４６       固体支持体チャンバ
４７       固体支持体チャンバ入口
４８       固体支持体チャンバ出口
４９       流路スペーサ
５０       固定子
５１       固定子本体
５２       固定子面
５３       固定子ポート
５４       通路
５５       通路オリフィス
５６       固定子中心突起（軸）
５７       結合突起（保持要素ポスト）
６０       ずらし可能スペーサ
６１       タブ
６２       周辺タブ
６３       内側タブ
７０       弧状レール
７１       近位レール
７２       遠位レール
８０       ガスケット
８１       ガスケット（封止）面
８２       ガスケット突起／壁
８３       ガスケットアパーチャ
８４       ガスケット入口（ガスケットポートを参照）
８５       ガスケット出口（ガスケットポートを参照）
８６       コネクタ溝
８７       セレクタ溝
９０       保持要素
９１       保持リング
９２       保持リング本体
９３       保持リングリップ
９４       保持リング取付要素
９６       付勢要素
９８       リテーナ（プッシュナット）
９９       半径方向コネクタ溝
１１０   回転子ねじ山付き部分
１１２   ノッチ
１１４   傾斜付きフィーチャ
１１６   溝（保持リング）
１１８   リッジ（回転子）
１７１   回転子と固定子の境界面（巻きが解かれている）
１７２   ポートを支持できる位置
１７３   ポート位置
１８０   スペーサ
１９１   ねじ山付き部分（保持リング）
１９４   ねじ山（保持リング）
１９５   相補的リッジ
１９７   クリップ
１９８   第１のプロング
１９９   第２のプロング
【図１Ａ】
2021514454.tif 000004
【図１Ｂ１】
2021514454.tif 000005
【図１Ｂ２】
2021514454.tif 000006
【図２Ａ】
2021514454.tif 000007
【図２Ｂ】
2021514454.tif 000008
【図２Ｃ】
2021514454.tif 000009
【図３Ａ−３Ｂ】
2021514454.tif 000010
【図４】
2021514454.tif 000011
【図５Ａ−５Ｂ】
2021514454.tif 000012
【図５Ｃ】
2021514454.tif 000013
【図５Ｄ】
2021514454.tif 000014
【図６】
2021514454.tif 000015
【図７Ａ】
2021514454.tif 000016
【図７Ｂ１】
2021514454.tif 000017
【図７Ｂ２】
2021514454.tif 000018
【図８Ａ−８Ｂ】
2021514454.tif 000019
【図９Ａ−９Ｂ】
2021514454.tif 000020
【図１０Ａ】
2021514454.tif 000021
【図１０Ｂ】
2021514454.tif 000022
【図１０Ｃ】
2021514454.tif 000023
【図１１Ａ】
2021514454.tif 000024
【図１１Ｂ】
2021514454.tif 000025
【図１２Ａ】
2021514454.tif 000026
【図１２Ｂ】
2021514454.tif 000027
【図１３】
2021514454.tif 000028
【図１４Ａ】
2021514454.tif 000029
【図１４Ｂ】
2021514454.tif 000030
【図１５】
2021514454.tif 000031
【図１６】
2021514454.tif 000032
【図１７Ａ】
2021514454.tif 000033
【図１７Ｂ】
2021514454.tif 000034
【図１７Ｃ】
2021514454.tif 000035
【図１７Ｄ】
2021514454.tif 000036
【図１７Ｅ】
2021514454.tif 000037
【図１８Ａ】
2021514454.tif 000038
【図１８Ｂ】
2021514454.tif 000039
【図１８Ｃ】
2021514454.tif 000040
【図１９】
2021514454.tif 000041
【図２０】
2021514454.tif 000042
【図２１】
2021514454.tif 000043
【図２２】
2021514454.tif 000044
【図２３】
2021514454.tif 000045
【図２４】
2021514454.tif 000046
【図２５】
2021514454.tif 000047
【図２６】
2021514454.tif 000048
【図２７】
2021514454.tif 000049
【図２８】
2021514454.tif 000050
【図２９】
2021514454.tif 000051
【図３０】
2021514454.tif 000052
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と回転子弁面１２と流路４０とを含み、前記流路は前記回転子弁面に入口４１及び出口４２を有し、前記流路は多孔質固体支持体４５を含む、前記回転子１０と、
ｃ．保持要素９０であって、回転子と固定子の境界面０２において前記固定子及び前記回転子を一緒に付勢して流体密封封止を形成する前記保持要素９０と、
を含む回転弁００。
【請求項２】
前記流路４０の断面が前記回転軸１６と同心ではない、請求項１に記載の回転弁。
【請求項３】
前記多孔質固体支持体はポリマーである、請求項１に記載の回転弁。
【請求項４】
前記多孔質固体支持体は、アルミナ、シリカ、シーライト、セラミック、金属酸化物、多孔質ガラス、制御された細孔ガラス、炭水化物ポリマー、多糖類、アガロース、セファロース（商標）、セファデックス（商標）、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項１に記載の回転弁。
【請求項５】
前記回転子弁面１２は、回転子と固定子の前記境界面０２に介在するガスケット８０を含む、請求項１に記載の回転弁。
【請求項６】
前記ガスケット８０は、前記ガスケット８０を貫通するアパーチャ８３を含み、前記固定子は、前記ガスケットを横方向に拘束する弧状レール７０を含む、請求項５に記載の回転弁。
【請求項７】
前記回転子弁面は流体コネクタ８６を含み、第１の回転子位置においては、前記固定子の第１のポート５３ａが前記流体コネクタ８６を介して前記固定子の第２のポート５３ｂに流体接続されている、請求項１に記載の回転弁。
【請求項８】
前記第１のポートは前記回転軸から第１の半径方向距離に位置し、前記第２のポートは第２の（異なる）半径方向距離に位置する、請求項７に記載の回転弁。
【請求項９】
第２の回転子位置においては、第３のポート５３ｃが前記流体コネクタ８６を介して第４のポート５３ｄに流体接続されている、請求項７に記載の回転弁。
【請求項１０】
前記回転子弁面は流体セレクタ８７を含み、前記流体セレクタ８７は、中心線が前記回転軸から等距離に弧を描く弧状部分と、前記弧状部分から前記回転軸に向かって放射状に延びるか、前記回転軸から遠ざかるように延びる放射状部分と、を有する、請求項１に記載の回転弁。
【請求項１１】
第１の回転子位置においては、前記回転軸１６から第１の半径方向距離にある第１のポート５３ａが、前記流体セレクタ８７を介して、前記回転軸から第２の半径方向距離にある第２のポート５３ｂに流体接続されており、第２の回転子位置においては、前記第１のポートは、前記流体セレクタを介して、前記回転軸から前記第２の半径方向距離にある第３のポート５３ｃに流体接続されており、前記回転子が前記第１の回転子位置と前記第２の回転子位置との間で回転している間、前記第１のポートは前記流体セレクタに流体接続されたままである、請求項１０に記載の回転弁。
【請求項１２】
前記回転子は複数の流路４０を含み、各流路は入口４１と出口４２と多孔質固体支持体４５とを含む、請求項１に記載の回転弁。
【請求項１３】
前記回転子は、本体１１と、前記本体に作用的に接続されたキャップ３０と、を含み、前記流路４０の１つの壁が前記キャップによって定義される、請求項１に記載の回転弁。
【請求項１４】
前記固定子面５２と前記回転子弁面１２との間にガスケット８０を更に含み、前記固定子は、前記ガスケットが前記回転子１０及び前記固定子５０の少なくとも一方を封止することを妨げるずらし可能スペーサ６０を含み、前記スペーサがずらされると、前記ガスケットは前記回転子及び前記固定子を一緒に流体密封封止する、請求項１に記載の回転弁。
【請求項１５】
前記保持要素９０は保持リング９１及び付勢要素９６を含む、請求項１に記載の回転弁。
【請求項１６】
前記保持リング９１は前記固定子５０に固定的に結合されており、前記付勢要素９６は、前記回転子及び前記固定子を一緒に付勢するばねである、請求項１５に記載の回転弁。
【請求項１７】
ａ．回転子１０であって、回転子弁面１２と、前記回転子弁面の反対側にある外面１３と、回転軸１６と、を含む前記回転子１０と、
ｂ．固定子５０と、
ｃ．前記固定子と前記回転子弁面との間に介在するガスケット８０と、
ｄ．前記ガスケットが前記回転子及び前記固定子の少なくとも一方を封止することを妨げるずらし可能スペーサ６０と、
を含み、
前記スペーサがずらされると、前記ガスケットは前記回転子及び前記固定子を一緒に流体密封封止する。
回転弁。
【請求項１８】
前記回転子と前記固定子とを互いに向けて付勢する保持要素９０を更に含む、請求項１７に記載の弁。
【請求項１９】
前記保持要素９０は保持リング９１及び付勢要素９６を含む、請求項１８に記載の弁。
【請求項２０】
前記保持リング９１は前記固定子に固定的に結合されており、前記付勢要素９６はばねである、請求項１９に記載の弁。
【請求項２１】
前記回転子１０は少なくとも１つのリップ２１を含み、前記ずらし可能スペーサ６０は、保管構成から運用構成へとずらし可能な複数のタブ６１を含み、前記タブ６１のそれぞれは、前記少なくとも１つのリップ２１と接触することによって、前記保管構成において前記ガスケットが前記回転子及び前記固定子を封止することを妨げ、前記タブが前記保管構成から前記運用構成へとずらされると、前記少なくとも１つのリップとの係合が解除される、請求項１７に記載の弁。
【請求項２２】
前記少なくとも１つのリップ２１は内側リップ２３であり、前記回転子は更に、前記内側リップに近接するずらしスロット２８を含み、前記ずらしスロットは、前記運用構成までずらされた前記タブ６３を収容する、請求項２１に記載の弁。
【請求項２３】
前記回転子１０は湾曲外壁１４を含み、前記少なくとも１つのリップ２１は、前記外壁上に位置する周辺リップ２２である、請求項２１に記載の弁。
【請求項２４】
前記回転子は１つ以上のカム２４を含み、前記カム２４は、前記回転子が回転すると、前記複数のタブ６０を前記保管構成から前記運用構成へとずらし、これによって前記複数のタブ６１が前記少なくとも１つのリップ２１から係合解除される、請求項２１に記載の弁。
【請求項２５】
前記ガスケット８０は、前記ガスケット８０を貫通するアパーチャ８３を含み、前記固定子は、前記ガスケットを横方向に拘束する弧状レール７０を含む、請求項１７に記載の弁。
【請求項２６】
前記回転子は更に、流路４０を含み、前記流路４０は前記回転子弁面に入口４１及び出口４２を有し、前記流路は多孔質固体支持体４５を含む、請求項１７に記載の弁。
【請求項２７】
前記外面１３は、スプラインと係合する開口部を含む、請求項１７に記載の弁。
【請求項２８】
回転弁の保管方法であって、
ａ．請求項１７に記載の弁を保管容器に入れるステップと、
ｂ．前記弁を一定期間にわたって保管するステップと、
を含む方法。
【請求項２９】
前記弁を保管する前記ステップは、前記弁を保管ポジションで保持することを含み、前記保管ポジションでは、前記ガスケットは前記回転子及び前記固定子の少なくとも一方から間隔を置かれる、請求項２８に記載の方法。
【請求項３０】
ａ．回転子１０であって、回転軸１６と、外面１３及び前記外面１３の反対側にある回転子弁面１２と、前記回転子弁面１２を貫通するアパーチャ４１、４２のペアと、を有し、前記回転子弁面１２を貫通する前記アパーチャ４１、４２のペアは、多孔質固体支持体４５を含む流路４０のそれぞれ入口及び出口である、前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、内側ガスケット封止面８１ｉと、外側ガスケット封止面８１ｏと、アパーチャ４２、４３の前記ペアと一直線に並ぶガスケット開口部８３のペアと、を有する前記ガスケット８０と、
ｄ．保持要素９０であって、前記回転子と前記固定子が互いに向かって付勢されるようにして、前記内側ガスケット封止面８１ｉ及び前記外側ガスケット封止面８１ｏを前記固定子面５２の前記複数の固定子ポート５３との流体密封構成に置く前記保持要素９０と、
を含む回転弁。
【請求項３１】
前記複数の固定子ポート５３は、前記回転軸１６から第１の半径方向間隔にある複数の固定子ポート、並びに前記回転軸１６から第２の半径方向間隔にある複数の固定子ポートとして構成されており、前記第１の半径方向間隔にある前記複数の固定子ポートのうちの１つの固定子ポートと、前記第２の半径方向間隔にある前記複数の固定子ポートのうちの１つの固定子ポートと、の間の流体連通が、前記内側ガスケット封止面８１ｉと前記外側ガスケット封止面８１ｏとの間を延びる流体コネクタ８６によって実現される、請求項３０に記載の回転弁。
【請求項３２】
前記複数の固定子ポート５３は、前記回転軸１６から第１の半径方向間隔にあって前記回転軸１６を中心とする円周方向に位置する複数の固定子ポート、並びに前記回転軸１６から第２の半径方向間隔にあって前記回転軸１６を中心とする円周方向に位置する複数の固定子ポートとして構成されており、前記第１の半径方向間隔にある前記複数の固定子ポートのうちの１つの固定子ポートと、前記第２の半径方向間隔にある前記複数の固定子ポートのうちの１つ以上の固定子ポートと、の間の流体連通が、前記内側ガスケット封止面８１ｉと前記外側ガスケット封止面８１ｏとの間を前記外側ガスケット封止面８１ｏの一部分に沿って延びる流体セレクタ８７によって実現される、請求項３０に記載の回転弁。
【請求項３３】
前記複数の固定子ポート５３は、前記回転軸１６から第１の半径方向間隔にあって前記回転軸１６を中心とする円周方向に位置する複数の固定子ポートとして構成されており、前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含み、前記第１の半径方向間隔にある前記複数の固定子ポートのうちの１つの固定子ポートと、前記回転軸１６から第２の（異なる）半径方向間隔にあって、前記第１の半径方向間隔にある前記複数の固定子ポートのうちの前記１つの固定子ポートと異なる円周方向位置にある複数の固定子ポートのうちの１つ以上の固定子ポートと、の間の流体連通が、前記流体セレクタ８７によって実現される、請求項３０に記載の回転弁。
【請求項３４】
前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含む、請求項３０に記載の回転弁。
【請求項３５】
前記ガスケット８０は更に、前記内側ガスケット封止面８１ｉと前記外側ガスケット封止面８１ｏとの間を延びる流体コネクタ８６を含む、請求項３０に記載の回転弁。
【請求項３６】
前記ガスケットは更に、流体セレクタ８７及び流体コネクタ８６を含み、使用時には各固定子ポート５３は、前記流体セレクタ８７、前記流体コネクタ８６、前記内側ガスケット封止面８１ｉ、前記外側ガスケット封止面８１ｏ、又はガスケット開口部８３のいずれかと連通する、請求項３０に記載の回転弁。
【請求項３７】
前記ガスケットは更に、流体コネクタ８６を含み、使用時には、各固定子ポート５３は、前記流体コネクタ８６、前記内側ガスケット封止面８１ｉ、前記外側ガスケット封止面８１ｏ、又はガスケット開口部８３のいずれかと連通する、請求項３０に記載の回転弁。
【請求項３８】
前記回転子弁面１２を貫通するアパーチャ４１、４２の前記ペアは、第１の固体支持体チャンバ４６を有する第１の流路４０と連通するアパーチャの第１のペアであり、前記回転子弁面１２を貫通するアパーチャ４１、４２の第２のセットは、第２の固体支持体チャンバ４６を有する第２の流路４０と連通しており、前記第１及び前記第２の固体支持体チャンバ４６は多孔質固体支持体４５を含む、請求項３０に記載の回転弁。
【請求項３９】
前記多孔質固体支持体４５はポリマーである、請求項３８に記載の回転弁。
【請求項４０】
前記多孔質固体支持体４５は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項３８に記載の回転弁。
【請求項４１】
ａ．回転子１０であって、外面１３及び前記外面１３の反対側にある回転子弁面１２と、前記回転子弁面１２を貫通するアパーチャ４１、４２のペアと、を含む前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、前記ガスケット内の開口部８３のペアがアパーチャ４１、４２の前記ペアと一直線に並び、前記ガスケットは、保管状態の間は前記固定子面５２から間隔を置かれており、前記保管状態から解放されると、保持要素９０によって前記固定子面との流体密封関係に置かれて保持される、前記ガスケット８０と、
を含む回転弁。
【請求項４２】
前記回転子は更に、前記回転子の周囲にあって前記固定子と結合されている保持リングを含み、前記保持リングは、前記回転子に近接する面に沿って弧形状のペアを有し、前記回転子は、前記保持リングの弧形状の前記ペアに対応する相補的な弧形状のペアを有し、弧形状の前記ペアが相補的な弧形状の前記ペアと係合することによって、前記回転弁が前記保管状態で保持される、請求項４１に記載の回転弁。
【請求項４３】
前記回転弁は、前記回転子に近接する前記面に沿う弧形状の前記ペアを、前記回転子上の相補的な弧形状の前記ペアから係合解除するのに十分な、前記回転子と前記保持リングとの間の相対運動によって前記保管状態から解放される、請求項４２に記載の回転弁。
【請求項４４】
前記回転子は更に、前記回転子の周囲にあって前記固定子と結合されている保持リングを含み、前記保持リングは、前記保持リングの、前記回転子に近接する一部分の周囲に複数の溝を有し、前記回転子は、前記保持リングの前記複数の溝と嵌合対応する複数の相補的形状を有し、前記複数の溝が前記回転子の前記複数の相補的形状と係合することによって、前記回転弁が前記保管状態で保持される、請求項４１に記載の回転弁。
【請求項４５】
前記回転弁は、前記保持リングの一部分の周囲の前記複数の溝を、前記回転子上で嵌合対応する前記複数の相補的形状から係合解除するのに十分な、前記回転子と前記保持リングとの間の相対運動によって、前記保管状態から解放される、請求項４４に記載の回転弁。
【請求項４６】
ガスケット封止面に沿って配置されたスペーサを更に含み、前記スペーサは、前記ガスケット封止面と前記固定子面との間のギャップを保持し、前記回転弁を前記保管状態で保持する、請求項４１に記載の回転弁。
【請求項４７】
前記回転弁は、前記スペーサをずらして前記ガスケット封止面と前記固定子面との係合を可能にするのに十分な、前記回転子と前記固定子との間の相対運動によって、前記保管状態から解放される、請求項４６に記載の回転弁。
【請求項４８】
前記回転弁と係合して、前記ガスケット封止面と前記固定子面との間のギャップを保持し、前記回転弁を前記保管状態で保持するクリップを更に含む、請求項４１に記載の回転弁。
【請求項４９】
前記クリップが取り外されて、前記保持要素が前記ガスケットを動かして前記固定子面との流体密封関係に置くことが可能になると、前記回転弁が前記保管状態から解放される、請求項４８に記載の回転弁。
【請求項５０】
回転子１０であって、回転軸１６と、回転子弁面１２と、前記回転子弁面の反対側にある外面１３と、を含む前記回転子１０と、
固定子５０であって、前記回転子弁面の反対側に位置する固定子弁面を有する前記固定子５０と、
前記回転子と前記固定子とを互いに向けて付勢する保持要素９０であって、保持リング９１及び付勢要素９６を含み、前記保持リングのねじ山付き部分が前記回転子のねじ山付き部分と係合している間、前記回転弁は保管状態で保持される、前記保持要素９０と、
を含む回転弁。
【請求項５１】
前記回転子と前記固定子との間の相対運動によって、前記回転子弁面と前記固定子弁面との間に流体密封構成が形成される、請求項５０に記載の回転弁。
【請求項５２】
前記回転子と前記固定子との間の前記相対運動は、前記回転子が回転することによって、前記回転子が前記保持リングの前記ねじ山付き部分に沿って動くことである、請求項５１に記載の回転弁。
【請求項５３】
前記回転弁を前記保管状態から係合解除する為の前記回転子の回転は１回転未満、半回転、４分の１回転、又は８分の１回転である、請求項５０に記載の回転弁。
【請求項５４】
前記回転子弁面と前記固定子弁面との間に配置されたガスケットを更に含み、前記回転弁が前記保管状態である間は、前記ガスケットは前記固定子弁面との流体密封封止を形成しない、請求項５０に記載の回転弁。
【請求項５５】
前記回転子と前記固定子との間の相対運動によって、前記ガスケットと前記回転子弁面と前記固定子弁面との間に流体密封構成が形成される、請求項５４に記載の回転弁。
【請求項５６】
前記回転子と前記固定子との間の前記相対運動は、前記回転子が回転することによって、前記回転子が前記保持リングの前記ねじ山付き部分に沿って動くことである、請求項５４に記載の回転弁。
【請求項５７】
前記回転弁を前記保管状態から移行させる為の前記回転子の回転は１回転未満、半回転、４分の１回転、又は８分の１回転である、請求項５４に記載の回転弁。
【請求項５８】
前記回転子が前記保管状態から移行して、前記回転子と前記固定子との間に封止済み関係が形成されると、前記回転子の前記ねじ山付き部分は、前記回転弁の他のどのねじ山付き部分からも自由である、請求項５０〜５７のいずれか一項に記載の回転弁。
【請求項５９】
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と、回転子弁面１２と、前記回転子弁面に入口４１及び出口４２を有する流路４０と、前記入口４１及び前記出口４２と連通する固体支持体チャンバと、前記固体支持体チャンバ４５内にある多孔質固体支持体４５と、を含む前記回転子１０と、
ｃ．保持要素９０であって、回転子と固定子の境界面０２において前記固定子及び前記回転子を一緒に付勢して流体密封封止を形成する前記保持要素９０と、
を含む回転弁。
【請求項６０】
前記固体支持体チャンバは、底面と、側壁と、前記底面に沿う少なくとも１つの流路スペーサと、を有する、請求項５９に記載の回転弁。
【請求項６１】
前記少なくとも１つの流路スペーサは、前記チャンバの前記底面から持ち上げられている、請求項６０に記載の回転弁。
【請求項６２】
前記少なくとも１つの流路スペーサは、前記チャンバの前記底面に埋め込まれている、請求項６０に記載の回転弁。
【請求項６３】
前記少なくとも１つの流路スペーサは、前記出口４２及び前記チャンバ側壁から間隔を置かれている、請求項６０に記載の回転弁。
【請求項６４】
前記少なくとも１つの流路スペーサは、前記出口４２に直接隣接している、請求項６０に記載の回転弁。
【請求項６５】
前記少なくとも１つの流路スペーサは、前記チャンバ側壁の曲率に対応する弧形状を有する、請求項６０に記載の回転弁。
【請求項６６】
前記少なくとも１つの流路スペーサは、前記出口４２から前記側壁に向かって延びる、請求項６０に記載の回転弁。
【請求項６７】
前記チャンバ底面は平坦である、請求項５９〜６６のいずれか一項に記載の回転弁。
【請求項６８】
前記チャンバ底面は、前記チャンバ側壁から前記出口４２に向かって傾斜している、請求項５９〜６６のいずれか一項に記載の回転弁。
【請求項６９】
前記多孔質固体支持体はポリマーである、請求項５９〜６６のいずれか一項に記載の回転弁。
【請求項７０】
前記多孔質固体支持体は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、請求項５９〜６６のいずれか一項に記載の回転弁。
【請求項７１】
前記回転弁は、前記保持要素が前記回転子及び前記固定子を付勢して流体密封封止構成にするまでは、前記回転子と前記固定子との間に流体密封封止がない初期の積み込まれた状態にとどまるように構成されている、請求項５９〜６６のいずれか一項に記載の回転弁。
【請求項７２】
前記回転子１０の各支持体チャンバ４６を覆う回転子カバー３０を有する、請求項１〜２７又は３０〜６６のいずれか一項に記載の回転弁。
【請求項７３】
前記回転子外面１３全体を覆うが、１つ以上の開口部１７に対応する部分は覆わない回転子カバー３０を含む、請求項１〜２７又は３０〜６６のいずれか一項に記載の回転弁。
【請求項７４】
前記流路４０の一部分を完成させるのに十分なように各固体支持体チャンバ４６を封止するように底面３４が配置された回転子カバー３０を含む、請求項１〜２７又は３０〜６６のいずれか一項に記載の回転弁。
【請求項７５】
回転弁を使用する流体処理方法であって、
回転軸１６を中心に前記回転弁を回転させて、ガスケット８０のガスケット入口８４及びガスケット出口８５を、それぞれ、回転子１０内に多孔質固体支持体４５を有する流路４０の入口４１及び出口４２と一直線に並べ、前記ガスケット入口８４及び前記ガスケット出口８５を、固定子弁面５２の固定子ポート５３の第１のペアと一直線に並べるステップと、
前記固定子弁面５２の固定子ポート５３の第２のペアを前記ガスケット８０の一部分で封止するステップと、
を含む方法。
【請求項７６】
前記回転軸１６を中心に前記回転弁を回転させて、前記固定子弁面５２の固定子ポート５３の前記第１のペアを、前記ガスケット８０内に形成された流路８６と一直線に並べるか、前記固定子弁面５２の固定子ポート５３の前記第２のペアを、前記ガスケット８０内に形成された前記流路８６と一直線に並べるステップ
を更に含む、請求項７５に記載の流体処理方法。
【請求項７７】
前記回転軸１６を中心に前記回転弁を回転させて、前記固定子弁面５２の固定子ポート５３の前記第１のペアの少なくとも一方の固定子ポート、又は固定子ポートの前記第２のペアの少なくとも一方の固定子ポート５３を、前記ガスケット８０内に形成された流路８７と一直線に並べるステップ
を更に含む、請求項７５に記載の流体処理方法。
【請求項７８】
前記回転軸１６を中心に前記回転弁を回転させて、前記固定子弁面５２の固定子ポート５３の前記第１のペアの少なくとも一方の固定子ポート、又は固定子ポートの第３のペアの少なくとも一方の固定子ポート５３を、前記ガスケット８０内に形成された流路８７と一直線に並べるステップ
を更に含む、請求項７５に記載の流体処理方法。
【請求項７９】
前記回転軸１６を中心に前記回転弁を回転させて、流体を、前記流路４０に流す前に、固定子ポート５３の前記第１のペア、又は固定子ポート５３の前記第２のペアに流すステップ
を更に含む、請求項７５に記載の流体処理方法。
【請求項８０】
前記回転軸１６を中心に前記回転弁を回転させて、流体を、前記流路４０に流す前に、前記ガスケット８０に形成された前記流路８６、又は前記ガスケット８０に形成された前記流路８７に流すステップ
を更に含む、請求項７５に記載の流体処理方法。
【請求項８１】
前記回転軸１６を中心に前記回転弁を回転させて、流体を、前記流路４０に流してから、固定子ポート５３の前記第１のペア、又は固定子ポート５３の前記第２のペアに流すステップ
を更に含む、請求項７５に記載の流体処理方法。
【請求項８２】
前記回転軸１６を中心に前記回転弁を回転させて、流体を、前記流路４０に流してから、前記ガスケット８０に形成された前記流路８６、又は前記ガスケット８０に形成された前記流路８７に流すステップ
を更に含む、請求項７５に記載の流体処理方法。
【請求項８３】
流体を、前記流路４０に流してから、第１の流体通路５４又は第２の流体通路５４に流すステップ
を更に含む、請求項７５に記載の流体処理方法。
【請求項８４】
流体を、前記流路４０に流す前に、第１の流体通路５４又は第２の流体通路５４に流すステップ
を更に含む、請求項７５に記載の流体処理方法。
【請求項８５】
流体を前記流路４０に流すように前記回転弁をポジショニングしてから、流体を、前記ガスケット８０に形成された前記流路８６に通して流体通路５４に流すか、前記ガスケット８０に形成された前記流路８７に通して、流体通路５４に流すように前記回転弁をポジショニングするステップ
を更に含む、請求項７５に記載の流体処理方法。
【請求項８６】
流体を、前記ガスケット８０に形成された前記流路８６に通すか、前記ガスケット８０に形成された前記流路８７に通して、流体通路５４に流すように前記回転弁をポジショニングするステップと、
前記流体の一部を、前記流体通路５４と連通している保管チャンバに保管するステップと、
を更に含む、請求項７５に記載の流体処理方法。
【請求項８７】
流体を、前記ガスケット８０に形成された前記流路８６に通すか、前記ガスケット８０に形成された前記流路８７に通して、流体通路５４に流すように前記回転弁をポジショニングするステップと、
前記流体の一部を、溶解緩衝液と混合するステップと、
を更に含む、請求項７５に記載の流体処理方法。
【請求項８８】
前記混合ステップからの前記流体を、前記ガスケット８０に形成された前記流路８６に通すか、前記ガスケット８０に形成された前記流路８７に通して、前記流路４０に流すように前記回転弁をポジショニングするステップ
を更に含む、請求項８７に記載の流体処理方法。
【請求項８９】
前記混合ステップからの前記流体を、前記多孔質固体支持体４５に通して流すように前記回転弁をポジショニングするステップ
を更に含む、請求項８７に記載の流体処理方法。
【請求項９０】
流体を、前記ガスケット８０に形成された前記流路８６に通すか、前記ガスケット８０に形成された前記流路８７に通して、廃棄物チャンバに流すように前記回転弁をポジショニングするステップ
を更に含む、請求項７５に記載の流体処理方法。
【請求項９１】
空気源を、前記ガスケット８０に形成された前記流路８６、又は前記ガスケット８０に形成された前記流路８７と一直線に並べるように前記回転弁をポジショニングするステップ
を更に含む、請求項７５に記載の流体処理方法。
【請求項９２】
空気源を前記流路４０と一直線に並べるように前記回転弁をポジショニングするステップ
を更に含む、請求項７５に記載の流体処理方法。
【請求項９３】
前記流路４０に水を流すように前記回転弁をポジショニングするステップ
を更に含む、請求項７５に記載の流体処理方法。
【請求項９４】
前記ガスケット８０に形成された前記流路８６、又は前記ガスケット８０に形成された前記流路８７に水を流すように前記回転弁をポジショニングするステップ
を更に含む、請求項７５に記載の流体処理方法。
【請求項９５】
陽性試料を陽性計量チャネルに流すように、且つ、陰性試料を陰性計量チャネルに流すように前記回転弁をポジショニングするステップ
を更に含む、請求項７５に記載の流体処理方法。
【請求項９６】
前記固定子弁面５２の固定子ポート５３の前記第１のペアを介して第１の流体通路５４にアクセスするか、固定子ポート５３の前記第２のペアを介して第２の流体通路５４にアクセスするステップを更に含む、請求項７５に記載の流体処理方法。
【請求項９７】
前記固定子弁面５２の固定子ポート５３の前記第３のペアを介して第３の流体通路にアクセスするステップを更に含む、請求項７６に記載の流体処理方法。
【請求項９８】
前記固定子弁面５２のうちの固定子ポート５３がない一部分に対して前記ガスケット入口８４及び前記ガスケット出口８５を位置決めするステップを更に含む、請求項７５〜９７のいずれか一項に記載の流体処理方法。
【請求項９９】
前記回転弁を、回転させるステップの前に、保管状態から使用準備完了状態まで動かすステップ
を更に含む、請求項７５に記載の流体処理方法。
【請求項１００】
前記回転弁を保管状態から使用準備完了状態まで動かす前記ステップは更に、
前記ガスケット８０を動かして前記固定子弁面５２と接触させること
を含む、
請求項９９に記載の流体処理方法。
【請求項１０１】
前記回転弁を保管状態から使用準備完了状態まで動かす前記ステップは更に、
前記回転子と前記固定子の間のギャップを保持するずらし可能スペーサ６０をそらすことと、
前記ガスケット８０を動かして前記固定子弁面５２との流体密封関係に置くことと、
を含む、
請求項９９に記載の流体処理方法。
【請求項１０２】
前記回転弁を保管状態から使用準備完了状態まで動かす前記ステップは更に、
前記回転子をねじ山付き保持リングに対して回転させることと、
前記ガスケット８０を動かして前記固定子弁面５２と接触させることと、
を含む、
請求項９９に記載の流体処理方法。
【請求項１０３】
前記回転弁を保管状態から使用準備完了状態まで動かす前記ステップは更に、
前記回転弁を動かして前記ガスケット８０の犠牲エッジ１８０をずらすことと、
前記ガスケット８０を動かして前記固定子弁面５２と接触させることと、
を含む、
請求項９９に記載の流体処理方法。
【手続補正２】
【補正対象書類名】明細書
【補正対象項目名】００２９
【補正方法】変更
【補正の内容】
【００２９】
この実施形態及び他の実施形態は、以下の特徴のうちの１つ以上を含んでよい。複数の固定子ポート５３は、回転軸１６から第１の半径方向間隔にある複数の固定子ポート、並びに回転軸１６から第２の半径方向間隔にある複数の固定子ポートとして構成されてよく、第１の半径方向間隔にある複数の固定子ポートのうちの１つの固定子ポートと、第２の半径方向間隔にある複数の固定子ポートのうちの１つの固定子ポートと、の間の流体連通が、内側ガスケット封止面８１ｉと外側ガスケット封止面８１ｏとの間を延びる流体コネクタ８６によって実現される。複数の固定子ポート５３は、回転軸１６から第１の半径方向間隔にあって回転軸１６を中心とする円周方向に位置する複数の固定子ポート、並びに回転軸１６から第２の半径方向間隔にあって回転軸１６を中心とする円周方向に位置する複数の固定子ポートとして構成されてよく、第１の半径方向間隔にある複数の固定子ポートのうちの１つの固定子ポートと、第２の半径方向間隔にある複数の固定子ポートのうちの１つ以上の固定子ポートと、の間の流体連通が、内側ガスケット封止面８１ｉと外側ガスケット封止面８１ｏとの間を外側ガスケット封止面８１ｏの一部分に沿って延びる流体セレクタ８７によって実現される。複数の固定子ポート５３は、回転軸１６から第１の半径方向間隔にあって回転軸１６を中心とする円周方向に位置する複数の固定子ポートとして構成されてよく、ガスケット８０は更に、内側ガスケット封止面８１ｉと外側ガスケット封止面８１ｏとの間を外側ガスケット封止面８１ｏの一部分に沿って延びる流体セレクタ８７を含み、第１の半径方向間隔にある複数の固定子ポートのうちの１つの固定子ポートと、回転軸１６から第２の（異なる）半径方向間隔にあって、第１の半径方向間隔にある複数の固定子ポートのうちのその１つの固定子ポートと異なる円周方向位置にある複数の固定子ポートのうちの１つ以上の固定子ポートと、の間の流体連通が、流体セレクタ８７によって実現される。回転弁のガスケット８０は更に、内側ガスケット封止面８１ｉと外側ガスケット封止面８１ｏとの間を外側ガスケット封止面８１ｏの一部分に沿って延びる流体セレクタ８７を含んでよい。回転弁のガスケット８０は更に、内側ガスケット封止面８１ｉと外側ガスケット封止面８１ｏとの間を延びる流体セレクタ８６を含んでよい。回転弁のガスケット８０は更に、流体セレクタ８７及び流体コネクタ８６を含んでよく、使用時には各固定子ポート５３は、流体セレクタ８７、流体コネクタ８６、内側ガスケット封止面８１ｉ、外側ガスケット封止面８１ｏ、又はガスケット開口部８３のいずれかと連通する。回転弁のガスケット８０は更に、流体コネクタ８６を含んでよく、使用時には、各固定子ポート５３は、流体コネクタ８６、内側ガスケット封止面８１ｉ、外側ガスケット封止面８１ｏ、又はガスケット開口部８３のいずれかと連通する。回転子弁面１２を貫通するアパーチャ４１、４２のペアは、多孔質固体支持体４５を含む流路４０のそれぞれ入口及び出口であってよい。回転子弁面１２を貫通するアパーチャ４１、４２のペアは、第１の固体支持体チャンバ４６を有する第１の流路４０と連通するアパーチャの第１のペアであり、回転子弁面１２を貫通するアパーチャ４１、４２の第２のセットは、第２の固体支持体チャンバ４６を有する第２の流路４０と連通しており、第１及び第２の固体支持体チャンバ４６は多孔質固体支持体４５を含む。多孔質固体支持体４５はポリマーであってよい。多孔質固体支持体４５は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択されてよい。
【手続補正３】
【補正対象書類名】明細書
【補正対象項目名】００３４
【補正方法】変更
【補正の内容】
【００３４】
概して、回転弁００は、固定子５０であって、固定子面５２及び複数の通路５４を含み、各通路は固定子面にポート５３を含む、固定子５０と、回転子１０であって、固定子に作用的に接続されて、回転軸１６と、回転子弁面１２と、回転子弁面に入口４１及び出口４２を有する流路４０と、入口４１及び出口４２と連通する固体支持体チャンバと、固体支持体チャンバ４６内にある多孔質固体支持体４５と、を含む回転子１０と、保持要素９０であって、回転子と固定子の境界面０２において固定子及び回転子を一緒に付勢して流体密封封止を形成する保持要素９０と、を含む。
【手続補正４】
【補正対象書類名】明細書
【補正対象項目名】０１４９
【補正方法】変更
【補正の内容】
【０１４９】
図１７Ａ〜１７Ｅは、流れチャンバ４６において、複数の流路スペーサ４９が支持体チャンバ出口４８の周囲に配列されている様子を示している。図１７Ａは、図３Ｂに示された固体支持体チャンバ４６を上から見下ろした図であり、ここでは、３つの持ち上げられた流路スペーサ４９が、支持体チャンバ出口４８を中心に放射状に配列されている。流路スペーサ４９のそれぞれは、支持体チャンバ出口４８から始まっており、チャンバ底面３９に沿って延びており、チャンバ４６の側壁に達する前に切れている。図１７Ｂは、図１７Ａの固体支持体チャンバ４６の断面図である。この図が明確に示すこととして、チャンバ底面３９は平坦であり、流路スペーサ４９は、流路出口４８と一直線に並んでいて、チャンバ側壁との間に間隔が空くように切れている。図１７Ｃは、図１７Ｂと同様の、固体支持体チャンバ４６の断面図である。図１７Ｂと同様に、図１７Ｃの流路スペーサ４９の実施形態が示すこととして、チャンバ底面３９は平坦であり、流路スペーサ４９は、流路出口４８と一直線に並んでいて、チャンバ側壁との間に間隔が空くように切れている。図１７Ｃは、傾斜付き又はウェッジ状の流路スペーサ４９を示す。この実施形態では、ウェッジ状又は傾斜付き流路スペーサは、平坦なチャンバ底面３９との組み合わせで使用される。この実施形態では、チャンバ底面３９からの流路スペーサ４９の高さは、チャンバ出口４８に近いほど低く、チャンバ出口４８から遠いほど高い。図１７Ｄの断面図は、流路スペーサ４９が、流路出口４８と一直線に並んでいて、チャンバ側壁との間に間隔が空くように切れている点で図１７Ｂ及び１７Ｃと同様である。図１７Ｄは、傾斜が付いたチャンバ底面３９を示す。傾斜付きチャンバ底面３９は、流路スペーサ４９が全くない場合のように単独で使用されてよく、或いは本明細書に記載のいずれかの流路スペーサ実施形態とともに使用されてよい。図１７Ｄの例示的実施形態では、傾斜付きチャンバ底面３９は、傾斜付き又はウェッジ状流路スペーサ４９との組み合わせで使用される。図１７Ｃの傾斜付き又はウェッジ状流路スペーサとは異なり、図１７Ｄに示された流路スペーサ実施形態の傾斜の高さは、チャンバ出口４８に近いほど高く、側壁に近いほど低くなっている。一態様では、図１７Ｃ及び１７Ｄの断面図から明らかなように、流路スペーサ４９は、断面が矩形（図１７Ｂ）、三角形（図１７Ｄ）、又は台形（図１７Ｃ）であってよい。図１７Ｅは、複数の流路スペーサ４９を有する固体支持体チャンバ４６を上から見下ろした図であり、流路スペーサがチャンバ底面３９に沿っていて、チャンバ出口４８を中心に配列されていて、チャンバ側壁から間隔を置かれている点で図１７Ａと同様である。図１７Ｅの流路スペーサ４９の実施形態は、チャンバ側壁からもチャンバ出口４８からも間隔を置かれている流路スペーサの位置を示す。この構成において図示されている流路スペーサ４９を修正して、図１７Ａ〜１７Ｄに関して上述された他の構成に入れてもよい。
【手続補正５】
【補正対象書類名】明細書
【補正対象項目名】０１７５
【補正方法】変更
【補正の内容】
【０１７５】
本明細書に含まれる実施例及び具体例は、本発明対象が実施されうる具体的な実施形態を、限定ではなく例示として示す。言及されたように、他の実施形態が利用されたり派生したりしてよく、本開示の範囲から逸脱しない限り、構造的な、或いは論理的な置換又は変更が行われてよい。本発明対象のそのような実施形態は、本明細書においては、個別に参照されてよく、或いは、「本発明」という言い方でまとめて参照されてよく、「本発明」という言い方で参照することは、あくまで便宜上であって、本出願の範囲を、実際には２つ以上が開示されていても、いずれか１つの発明又は発明概念に自発的に限定することを意図するものではない。従って、本明細書では特定の実施形態を図示及び説明してきたが、この、示された特定の実施形態を、同じ目的を達成するように作られた任意の構成で置き換えてよい。本開示は、様々な実施形態のあらゆる翻案又は変形を包含するものである。当業者であれば、上述の説明を精査することにより、上述の複数の実施形態の組み合わせ、及び本明細書に具体的な記載がない他の実施形態が明らかになるであろう。
〔付記１〕
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と回転子弁面１２と流路４０とを含み、前記流路は前記回転子弁面に入口４１及び出口４２を有し、前記流路は多孔質固体支持体４５を含む、前記回転子１０と、
ｃ．保持要素９０であって、回転子と固定子の境界面０２において前記固定子及び前記回転子を一緒に付勢して流体密封封止を形成する前記保持要素９０と、
を含む回転弁００。
〔付記２〕
前記流路４０の断面が前記回転軸１６と同心ではない、付記１に記載の回転弁。
〔付記３〕
前記多孔質固体支持体はポリマーである、付記１に記載の回転弁。
〔付記４〕
前記多孔質固体支持体は、アルミナ、シリカ、シーライト、セラミック、金属酸化物、多孔質ガラス、制御された細孔ガラス、炭水化物ポリマー、多糖類、アガロース、セファロース（商標）、セファデックス（商標）、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、付記１に記載の回転弁。
〔付記５〕
前記回転子弁面１２は、回転子と固定子の前記境界面０２に介在するガスケット８０を含む、付記１に記載の回転弁。
〔付記６〕
前記ガスケット８０は、前記ガスケット８０を貫通するアパーチャ８３を含み、前記固定子は、前記ガスケットを横方向に拘束する弧状レール７０を含む、付記５に記載の回転弁。
〔付記７〕
前記回転子弁面は流体コネクタ８６を含み、第１の回転子位置においては、前記固定子の第１のポート５３ａが前記流体コネクタ８６を介して前記固定子の第２のポート５３ｂに流体接続されている、付記１に記載の回転弁。
〔付記８〕
前記第１のポートは前記回転軸から第１の半径方向距離に位置し、前記第２のポートは第２の（異なる）半径方向距離に位置する、付記７に記載の回転弁。
〔付記９〕
第２の回転子位置においては、第３のポート５３ｃが前記流体コネクタ８６を介して第４のポート５３ｄに流体接続されている、付記７に記載の回転弁。
〔付記１０〕
前記回転子弁面は流体セレクタ８７を含み、前記流体セレクタ８７は、中心線が前記回転軸から等距離に弧を描く弧状部分と、前記弧状部分から前記回転軸に向かって放射状に延びるか、前記回転軸から遠ざかるように延びる放射状部分と、を有する、付記１に記載の回転弁。
〔付記１１〕
第１の回転子位置においては、前記回転軸１６から第１の半径方向距離にある第１のポート５３ａが、前記流体セレクタ８７を介して、前記回転軸から第２の半径方向距離にある第２のポート５３ｂに流体接続されており、第２の回転子位置においては、前記第１のポートは、前記流体セレクタを介して、前記回転軸から前記第２の半径方向距離にある第３のポート５３ｃに流体接続されており、前記回転子が前記第１の回転子位置と前記第２の回転子位置との間で回転している間、前記第１のポートは前記流体セレクタに流体接続されたままである、付記１０に記載の回転弁。
〔付記１２〕
前記回転子は複数の流路４０を含み、各流路は入口４１と出口４２と多孔質固体支持体４５とを含む、付記１に記載の回転弁。
〔付記１３〕
前記回転子は、本体１１と、前記本体に作用的に接続されたキャップ３０と、を含み、前記流路４０の１つの壁が前記キャップによって定義される、付記１に記載の回転弁。
〔付記１４〕
前記固定子面５２と前記回転子弁面１２との間にガスケット８０を更に含み、前記固定子は、前記ガスケットが前記回転子１０及び前記固定子５０の少なくとも一方を封止することを妨げるずらし可能スペーサ６０を含み、前記スペーサがずらされると、前記ガスケットは前記回転子及び前記固定子を一緒に流体密封封止する、付記１に記載の回転弁。
〔付記１５〕
前記保持要素９０は保持リング９１及び付勢要素９６を含む、付記１に記載の回転弁。
〔付記１６〕
前記保持リング９１は前記固定子５０に固定的に結合されており、前記付勢要素９６は、前記回転子及び前記固定子を一緒に付勢するばねである、付記１５に記載の回転弁。
〔付記１７〕
ａ．回転子１０であって、回転子弁面１２と、前記回転子弁面の反対側にある外面１３と、回転軸１６と、を含む前記回転子１０と、
ｂ．固定子５０と、
ｃ．前記固定子と前記回転子弁面との間に介在するガスケット８０と、
ｄ．前記ガスケットが前記回転子及び前記固定子の少なくとも一方を封止することを妨げるずらし可能スペーサ６０と、
を含み、
前記スペーサがずらされると、前記ガスケットは前記回転子及び前記固定子を一緒に流体密封封止する。
回転弁。
〔付記１８〕
前記回転子と前記固定子とを互いに向けて付勢する保持要素９０を更に含む、付記１７に記載の弁。
〔付記１９〕
前記保持要素９０は保持リング９１及び付勢要素９６を含む、付記１８に記載の弁。
〔付記２０〕
前記保持リング９１は前記固定子に固定的に結合されており、前記付勢要素９６はばねである、付記１９に記載の弁。
〔付記２１〕
前記回転子１０は少なくとも１つのリップ２１を含み、前記ずらし可能スペーサ６０は、保管構成から運用構成へとずらし可能な複数のタブ６１を含み、前記タブ６１のそれぞれは、前記少なくとも１つのリップ２１と接触することによって、前記保管構成において前記ガスケットが前記回転子及び前記固定子を封止することを妨げ、前記タブが前記保管構成から前記運用構成へとずらされると、前記少なくとも１つのリップとの係合が解除される、付記１７に記載の弁。
〔付記２２〕
前記少なくとも１つのリップ２１は内側リップ２３であり、前記回転子は更に、前記内側リップに近接するずらしスロット２８を含み、前記ずらしスロットは、前記運用構成までずらされた前記タブ６３を収容する、付記２１に記載の弁。
〔付記２３〕
前記回転子１０は湾曲外壁１４を含み、前記少なくとも１つのリップ２１は、前記外壁上に位置する周辺リップ２２である、付記２１に記載の弁。
〔付記２４〕
前記回転子は１つ以上のカム２４を含み、前記カム２４は、前記回転子が回転すると、前記複数のタブ６０を前記保管構成から前記運用構成へとずらし、これによって前記複数のタブ６１が前記少なくとも１つのリップ２１から係合解除される、付記２１に記載の弁。
〔付記２５〕
前記ガスケット８０は、前記ガスケット８０を貫通するアパーチャ８３を含み、前記固定子は、前記ガスケットを横方向に拘束する弧状レール７０を含む、付記１７に記載の弁。
〔付記２６〕
前記回転子は更に、流路４０を含み、前記流路４０は前記回転子弁面に入口４１及び出口４２を有し、前記流路は多孔質固体支持体４５を含む、付記１７に記載の弁。
〔付記２７〕
前記外面１３は、スプラインと係合する開口部を含む、付記１７に記載の弁。
〔付記２８〕
回転弁の保管方法であって、
ａ．付記１７に記載の弁を保管容器に入れるステップと、
ｂ．前記弁を一定期間にわたって保管するステップと、
を含む方法。
〔付記２９〕
前記弁を保管する前記ステップは、前記弁を保管ポジションで保持することを含み、前記保管ポジションでは、前記ガスケットは前記回転子及び前記固定子の少なくとも一方から間隔を置かれる、付記２８に記載の方法。
〔付記３０〕
ａ．回転子１０であって、回転軸１６と、外面１３及び前記外面１３の反対側にある回転子弁面１２と、前記回転子弁面１２を貫通するアパーチャ４１、４２のペアと、を有する前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、内側ガスケット封止面８１ｉと、外側ガスケット封止面８１ｏと、アパーチャ４２、４３の前記ペアと一直線に並ぶガスケット開口部８３のペアと、を有する前記ガスケット８０と、
ｄ．保持要素９０であって、前記回転子と前記固定子が互いに向かって付勢されるようにして、前記内側ガスケット封止面８１ｉ及び前記外側ガスケット封止面８１ｏを前記固定子面５２の前記複数の固定子ポート５３との流体密封構成に置く前記保持要素９０と、
を含む回転弁。
〔付記３１〕
前記複数の固定子ポート５３は、前記回転軸１６から第１の半径方向間隔にある複数の固定子ポート、並びに前記回転軸１６から第２の半径方向間隔にある複数の固定子ポートとして構成されており、前記第１の半径方向間隔にある前記複数の固定子ポートのうちの１つの固定子ポートと、前記第２の半径方向間隔にある前記複数の固定子ポートのうちの１つの固定子ポートと、の間の流体連通が、前記内側ガスケット封止面８１ｉと前記外側ガスケット封止面８１ｏとの間を延びる流体コネクタ８６によって実現される、付記３０に記載の回転弁。
〔付記３２〕
前記複数の固定子ポート５３は、前記回転軸１６から第１の半径方向間隔にあって前記回転軸１６を中心とする円周方向に位置する複数の固定子ポート、並びに前記回転軸１６から第２の半径方向間隔にあって前記回転軸１６を中心とする円周方向に位置する複数の固定子ポートとして構成されており、前記第１の半径方向間隔にある前記複数の固定子ポートのうちの１つの固定子ポートと、前記第２の半径方向間隔にある前記複数の固定子ポートのうちの１つ以上の固定子ポートと、の間の流体連通が、前記内側ガスケット封止面８１ｉと前記外側ガスケット封止面８１ｏとの間を前記外側ガスケット封止面８１ｏの一部分に沿って延びる流体セレクタ８７によって実現される、付記３０に記載の回転弁。
〔付記３３〕
前記複数の固定子ポート５３は、前記回転軸１６から第１の半径方向間隔にあって前記回転軸１６を中心とする円周方向に位置する複数の固定子ポートとして構成されており、前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含み、前記第１の半径方向間隔にある前記複数の固定子ポートのうちの１つの固定子ポートと、前記回転軸１６から第２の（異なる）半径方向間隔にあって、前記第１の半径方向間隔にある前記複数の固定子ポートのうちの前記１つの固定子ポートと異なる円周方向位置にある複数の固定子ポートのうちの１つ以上の固定子ポートと、の間の流体連通が、前記流体セレクタ８７によって実現される、付記３０に記載の回転弁。
〔付記３４〕
前記ガスケット８０は更に、前記内側ガスケット封止面８１ｉと前記外側ガスケット封止面８１ｏとの間を前記外側ガスケット封止面８１ｏの一部分に沿って延びる流体セレクタ８７を含む、付記３０に記載の回転弁。
〔付記３５〕
前記ガスケット８０は更に、前記内側ガスケット封止面８１ｉと前記外側ガスケット封止面８１ｏとの間を延びる流体コネクタ８６を含む、付記３０に記載の回転弁。
〔付記３６〕
前記ガスケットは更に、流体セレクタ８７及び流体コネクタ８６を含み、使用時には各固定子ポート５３は、前記流体セレクタ８７、前記流体コネクタ８７、前記内側ガスケット封止面８１ｉ、前記外側ガスケット封止面８１ｏ、又はガスケット開口部８３のいずれかと連通する、付記３０に記載の回転弁。
〔付記３７〕
前記ガスケットは更に、流体コネクタ８６を含み、使用時には、各固定子ポート５３は、前記流体コネクタ８７、前記内側ガスケット封止面８１ｉ、前記外側ガスケット封止面８１ｏ、又はガスケット開口部８３のいずれかと連通する、付記３０に記載の回転弁。
〔付記３８〕
前記回転子弁面１２を貫通するアパーチャ４１、４２の前記ペアは、多孔質固体支持体４５を含む流路４０のそれぞれ入口及び出口である、付記３０に記載の回転弁。
〔付記３９〕
前記回転子弁面１２を貫通するアパーチャ４１、４２の前記ペアは、第１の固体支持体チャンバ４６を有する第１の流路４０と連通するアパーチャの第１のペアであり、前記回転子弁面１２を貫通するアパーチャ４１、４２の第２のセットは、第２の固体支持体チャンバ４６を有する第２の流路４０と連通しており、前記第１及び前記第２の固体支持体チャンバ４６は多孔質固体支持体４５を含む、付記３０に記載の回転弁。
〔付記４０〕
前記多孔質固体支持体４５はポリマーである、付記３８又は３９に記載の回転弁。
〔付記４１〕
前記多孔質固体支持体４５は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、付記３８又は３９に記載の回転弁。
〔付記４２〕
ａ．回転子１０であって、外面１３及び前記外面１３の反対側にある回転子弁面１２と、前記回転子弁面１２を貫通するアパーチャ４１、４２のペアと、を含む前記回転子１０と、
ｂ．固定子面５２を有する固定子５０であって、前記固定子面に複数の固定子ポート５３を有し、前記複数の固定子ポート５３のそれぞれは流体通路５４と連通している、前記固定子５０と、
ｃ．前記固定子面５２と前記回転子弁面１２との間に介在するガスケット８０であって、前記ガスケット内の開口部８３のペアがアパーチャ４１、４２の前記ペアと一直線に並び、前記ガスケットは、保管状態の間は前記固定子面５２から間隔を置かれており、前記保管状態から解放されると、保持要素９０によって前記固定子面との流体密封関係に置かれて保持される、前記ガスケット８０と、
を含む回転弁。
〔付記４３〕
前記回転子は更に、前記回転子の周囲にあって前記固定子と結合されている保持リングを含み、前記保持リングは、前記回転子に近接する面に沿って弧形状のペアを有し、前記回転子は、前記保持リングの弧形状の前記ペアに対応する相補的な弧形状のペアを有し、弧形状の前記ペアが相補的な弧形状の前記ペアと係合することによって、前記回転弁が前記保管状態で保持される、付記４２に記載の回転弁。
〔付記４４〕
前記回転弁は、前記回転子に近接する前記面に沿う弧形状の前記ペアを、前記回転子上の相補的な弧形状の前記ペアから係合解除するのに十分な、前記回転子と前記保持リングとの間の相対運動によって前記保管状態から解放される、付記４３に記載の回転弁。
〔付記４５〕
前記回転子は更に、前記回転子の周囲にあって前記固定子と結合されている保持リングを含み、前記保持リングは、前記保持リングの、前記回転子に近接する一部分の周囲に複数の溝を有し、前記回転子は、前記保持リングの前記複数の溝と嵌合対応する複数の相補的形状を有し、前記複数の溝が前記回転子の前記複数の相補的形状と係合することによって、前記回転弁が前記保管状態で保持される、付記４２に記載の回転弁。
〔付記４６〕
前記回転弁は、前記保持リングの一部分の周囲の前記複数の溝を、前記回転子上で嵌合対応する前記複数の相補的形状から係合解除するのに十分な、前記回転子と前記保持リングとの間の相対運動によって、前記保管状態から解放される、付記４５に記載の回転弁。
〔付記４７〕
ガスケット封止面に沿って配置されたスペーサを更に含み、前記スペーサは、前記ガスケット封止面と前記固定子面との間のギャップを保持し、前記回転弁を前記保管状態で保持する、付記４２に記載の回転弁。
〔付記４８〕
前記回転弁は、前記スペーサをずらして前記ガスケット封止面と前記固定子面との係合を可能にするのに十分な、前記回転子と前記固定子との間の相対運動によって、前記保管状態から解放される、付記４７に記載の回転弁。
〔付記４９〕
前記回転弁と係合して、前記ガスケット封止面と前記固定子面との間のギャップを保持し、前記回転弁を前記保管状態で保持するクリップを更に含む、付記４２に記載の回転弁。
〔付記５０〕
前記クリップが取り外されて、前記保持要素が前記ガスケットを動かして前記固定子面との流体密封関係に置くことが可能になると、前記回転弁が前記保管状態から解放される、付記４９に記載の回転弁。
〔付記５１〕
回転子１０であって、回転軸１６と、回転子弁面１２と、前記回転子弁面の反対側にある外面１３と、を含む前記回転子１０と、
固定子５０であって、前記回転子弁面の反対側に位置する固定子弁面を有する前記固定子５０と、
前記回転子と前記固定子とを互いに向けて付勢する保持要素９０であって、保持リング９１及び付勢要素９６を含み、前記保持リングのねじ山付き部分が前記回転子のねじ山付き部分と係合している間、前記回転弁は保管状態で保持される、前記保持要素９０と、
を含む回転弁。
〔付記５２〕
前記回転子と前記固定子との間の相対運動によって、前記回転子弁面と前記固定子弁面との間に流体密封構成が形成される、付記５１に記載の回転弁。
〔付記５３〕
前記回転子と前記固定子との間の前記相対運動は、前記回転子が回転することによって、前記回転子が前記保持リングの前記ねじ山付き部分に沿って動くことである、付記５２に記載の回転弁。
〔付記５４〕
前記回転弁を前記保管状態から係合解除する為の前記回転子の回転は１回転未満、半回転、４分の１回転、又は８分の１回転である、付記５１に記載の回転弁。
〔付記５５〕
前記回転子弁面と前記固定子弁面との間に配置されたガスケットを更に含み、前記回転弁が前記保管状態である間は、前記ガスケットは前記固定子弁面との流体密封封止を形成しない、付記５１に記載の回転弁。
〔付記５６〕
前記回転子と前記固定子との間の相対運動によって、前記ガスケットと前記回転子弁面と前記固定子弁面との間に流体密封構成が形成される、付記５５に記載の回転弁。
〔付記５７〕
前記回転子と前記固定子との間の前記相対運動は、前記回転子が回転することによって、前記回転子が前記保持リングの前記ねじ山付き部分に沿って動くことである、付記５５に記載の回転弁。
〔付記５８〕
前記回転弁を前記保管状態から移行させる為の前記回転子の回転は１回転未満、半回転、４分の１回転、又は８分の１回転である、付記５５に記載の回転弁。
〔付記５９〕
前記回転子が前記保管状態から移行して、前記回転子と前記固定子との間に封止済み関係が形成されると、前記回転子の前記ねじ山付き部分は、前記回転弁の他のどのねじ山付き部分からも自由である、付記５１〜５８のいずれか一項に記載の回転弁。
〔付記６０〕
ａ．固定子５０であって、固定子面５２及び複数の通路５４を含み、各通路は前記固定子面にポート５３を含む、前記固定子５０と、
ｂ．回転子１０であって、前記固定子に作用的に接続されて、回転軸１６と、回転子弁面１２と、前記回転子弁面に入口４１及び出口４２を有する流路４０と、前記入口４１及び前記出口４２と連通する固体支持体チャンバと、前記固体支持体チャンバ４５内にある多孔質固体支持体４５と、を含む前記回転子１０と、
ｃ．保持要素９０であって、回転子と固定子の境界面０２において前記固定子及び前記回転子を一緒に付勢して流体密封封止を形成する前記保持要素９０と、
を含む回転弁００。
〔付記６１〕
前記固体支持体チャンバは、底面と、側壁と、前記底面に沿う少なくとも１つの流路スペーサと、を有する、付記６０に記載の回転弁。
〔付記６２〕
前記少なくとも１つの流路スペーサは、前記チャンバの前記底面から持ち上げられている、付記６１に記載の回転弁。
〔付記６３〕
前記少なくとも１つの流路スペーサは、前記チャンバの前記底面に埋め込まれている、付記６１に記載の回転弁。
〔付記６４〕
前記少なくとも１つの流路スペーサは、前記出口４２及び前記チャンバ側壁から間隔を置かれている、付記６１に記載の回転弁。
〔付記６５〕
前記少なくとも１つの流路スペーサは、前記出口４２に直接隣接している、付記６１に記載の回転弁。
〔付記６６〕
前記少なくとも１つの流路スペーサは、前記チャンバ側壁の曲率に対応する弧形状を有する、付記６１に記載の回転弁。
〔付記６７〕
前記少なくとも１つの流路スペーサは、前記出口４２から前記側壁に向かって延びる、付記６１に記載の回転弁。
〔付記６８〕
前記チャンバ底面は平坦である、付記６０〜６７のいずれか一項に記載の回転弁。
〔付記６９〕
前記チャンバ底面は、前記チャンバ側壁から前記出口４２に向かって傾斜している、付記６０〜６７のいずれか一項に記載の回転弁。
〔付記７０〕
前記多孔質固体支持体はポリマーである、付記６０〜６９のいずれか一項に記載の回転弁。
〔付記７１〕
前記多孔質固体支持体は、アルミナ、シリカ、シーライト、セラミック、金属酸化物、多孔質ガラス、制御された細孔ガラス、炭水化物ポリマー、多糖類、アガロース、セファロース、セファデックス、デキストラン、セルロース、スターチ、キチン、ゼオライト、合成ポリマー、ポリビニルエーテル、ポリエチレン、ポリプロピレン、ポリスチレン、ナイロン、ポリアクリラート、ポリメタクリル酸、ポリアクリルアミド、ポリ無水マレイン酸、メンブレン、中空ファイバ、及びファイバ、並びにこれらの任意の組み合わせから成る群から選択される、付記６０〜７０のいずれか一項に記載の回転弁。
〔付記７２〕
前記回転弁は、前記保持要素が前記回転子及び前記固定子を付勢して流体密封封止構成にするまでは、前記回転子と前記固定子との間に流体密封封止がない初期の積み込まれた状態にとどまるように構成されている、付記６０〜７１のいずれか一項に記載の回転弁。
〔付記７３〕
前記回転子１０の各支持体チャンバ４６を覆う回転子カバー３０を有する、付記１〜２７又は３０〜７２のいずれか一項に記載の回転弁。
〔付記７４〕
前記回転子外面１３全体を覆うが、１つ以上の開口部１７に対応する部分は覆わない回転子カバー３０を含む、付記１〜２７又は３０〜７２のいずれか一項に記載の回転弁。
〔付記７５〕
前記流路４０の一部分を完成させるのに十分なように各固体支持体チャンバ４６を封止するように底面３４が配置された回転子カバー３０を含む、付記１〜２７又は３０〜７２のいずれか一項に記載の回転弁。
〔付記７６〕
回転弁を使用する流体処理方法であって、
回転軸１６を中心に前記回転弁を回転させて、ガスケット８０のガスケット入口８４及びガスケット出口８５を、それぞれ、回転子１０内に多孔質固体支持体４５を有する流路４０の入口４１及び出口４２と一直線に並べ、前記ガスケット入口８４及び前記ガスケット出口８５を、固定子弁面５２の固定子ポート５３の第１のペアと一直線に並べるステップと、
前記固定子弁面５２の固定子ポート５３の第２のペアを前記ガスケット８０の一部分で封止するステップと、
を含む方法。
〔付記７７〕
前記回転軸１６を中心に前記回転弁を回転させて、前記固定子弁面５２の固定子ポート５３の前記第１のペアを、前記ガスケット８０内に形成された流路８６と一直線に並べるか、前記固定子弁面５２の固定子ポート５３の前記第２のペアを、前記ガスケット８０内に形成された前記流路８６と一直線に並べるステップ
を更に含む、付記７６に記載の流体処理方法。
〔付記７８〕
前記回転軸１６を中心に前記回転弁を回転させて、前記固定子弁面５２の固定子ポート５３の前記第１のペアの少なくとも一方の固定子ポート、又は固定子ポートの前記第２のペアの少なくとも一方の固定子ポート５３を、前記ガスケット８０内に形成された流路８７と一直線に並べるステップ
を更に含む、付記７６に記載の流体処理方法。
〔付記７９〕
前記回転軸１６を中心に前記回転弁を回転させて、前記固定子弁面５２の固定子ポート５３の前記第１のペアの少なくとも一方の固定子ポート、又は固定子ポートの第３のペアの少なくとも一方の固定子ポート５３を、前記ガスケット８０内に形成された流路８７と一直線に並べるステップ
を更に含む、付記７６に記載の流体処理方法。
〔付記８０〕
前記回転軸１６を中心に前記回転弁を回転させて、流体を、前記流路４０に流す前に、固定子ポート５３の前記第１のペア、又は固定子ポート５３の前記第２のペアに流すステップ
を更に含む、付記７６に記載の流体処理方法。
〔付記８１〕
前記回転軸１６を中心に前記回転弁を回転させて、流体を、前記流路４０に流す前に、前記ガスケット８０に形成された前記流路８６、又は前記ガスケット８０に形成された前記流路８７に流すステップ
を更に含む、付記７６に記載の流体処理方法。
〔付記８２〕
前記回転軸１６を中心に前記回転弁を回転させて、流体を、前記流路４０に流してから、固定子ポート５３の前記第１のペア、又は固定子ポート５３の前記第２のペアに流すステップ
を更に含む、付記７６に記載の流体処理方法。
〔付記８３〕
前記回転軸１６を中心に前記回転弁を回転させて、流体を、前記流路４０に流してから、前記ガスケット８０に形成された前記流路８６、又は前記ガスケット８０に形成された前記流路８７に流すステップ
を更に含む、付記７６に記載の流体処理方法。
〔付記８４〕
流体を、前記流路４０に流してから、第１の流体通路５４又は第２の流体通路５４に流すステップ
を更に含む、付記７６に記載の流体処理方法。
〔付記８５〕
流体を、前記流路４０に流す前に、第１の流体通路５４又は第２の流体通路５４に流すステップ
を更に含む、付記７６に記載の流体処理方法。
〔付記８６〕
流体を前記流路４０に流すように前記回転弁をポジショニングしてから、流体を、前記ガスケット８０に形成された前記流路８６に通して流体通路５４に流すか、前記ガスケット８０に形成された前記流路８７に通して、流体通路５４に流すように前記回転弁をポジショニングするステップ
を更に含む、付記７６に記載の流体処理方法。
〔付記８７〕
流体を、前記ガスケット８０に形成された前記流路８６に通すか、前記ガスケット８０に形成された前記流路８７に通して、流体通路５４に流すように前記回転弁をポジショニングするステップと、
前記流体の一部を、前記流体通路５４と連通している保管チャンバに保管するステップと、
を更に含む、付記７６に記載の流体処理方法。
〔付記８８〕
流体を、前記ガスケット８０に形成された前記流路８６に通すか、前記ガスケット８０に形成された前記流路８７に通して、流体通路５４に流すように前記回転弁をポジショニングするステップと、
前記流体の一部を、溶解緩衝液と混合するステップと、
を更に含む、付記７６に記載の流体処理方法。
〔付記８９〕
前記混合ステップからの前記流体を、前記ガスケット８０に形成された前記流路８６に通すか、前記ガスケット８０に形成された前記流路８７に通して、前記流路４０に流すように前記回転弁をポジショニングするステップ
を更に含む、付記８８に記載の流体処理方法。
〔付記９０〕
前記混合ステップからの前記流体を、前記多孔質固体支持体４５に通して流すように前記回転弁をポジショニングするステップ
を更に含む、付記８８に記載の流体処理方法。
〔付記９１〕
流体を、前記ガスケット８０に形成された前記流路８６に通すか、前記ガスケット８０に形成された前記流路８７に通して、廃棄物チャンバに流すように前記回転弁をポジショニングするステップ
を更に含む、付記７６に記載の流体処理方法。
〔付記９２〕
空気源を、前記ガスケット８０に形成された前記流路８６、又は前記ガスケット８０に形成された前記流路８７と一直線に並べるように前記回転弁をポジショニングするステップ
を更に含む、付記７６に記載の流体処理方法。
〔付記９３〕
空気源を前記流路４０と一直線に並べるように前記回転弁をポジショニングするステップ
を更に含む、付記７６に記載の流体処理方法。
〔付記９４〕
前記流路４０に水を流すように前記回転弁をポジショニングするステップ
を更に含む、付記７６に記載の流体処理方法。
〔付記９５〕
前記ガスケット８０に形成された前記流路８６、又は前記ガスケット８０に形成された前記流路８７に水を流すように前記回転弁をポジショニングするステップ
を更に含む、付記７６に記載の流体処理方法。
〔付記９６〕
陽性試料を陽性計量チャネルに流すように、且つ、陰性試料を陰性計量チャネルに流すように前記回転弁をポジショニングするステップ
を更に含む、付記７６に記載の流体処理方法。
〔付記９７〕
前記固定子弁面５２の固定子ポート５３の前記第１のペアを介して第１の流体通路５４にアクセスするか、固定子ポート５３の前記第２のペアを介して第２の流体通路５４にアクセスするステップを更に含む、付記７６に記載の流体処理方法。
〔付記９８〕
前記固定子弁面５２の固定子ポート５３の前記第３のペアを介して第３の流体通路にアクセスするステップを更に含む、付記７７に記載の流体処理方法。
〔付記９９〕
前記固定子弁面５２のうちの固定子ポート５３がない一部分に対して前記ガスケット入口８４及び前記ガスケット出口８５を位置決めするステップを更に含む、付記７６〜９８のいずれか一項に記載の流体処理方法。
〔付記１００〕
前記回転弁を、回転させるステップの前に、保管状態から使用準備完了状態まで動かすステップ
を更に含む、付記７６に記載の流体処理方法。
〔付記１０１〕
前記回転弁を保管状態から使用準備完了状態まで動かす前記ステップは更に、
前記ガスケット８０を動かして前記固定子弁面５２と接触させること
を含む、
付記１００に記載の流体処理方法。
〔付記１０２〕
前記回転弁を保管状態から使用準備完了状態まで動かす前記ステップは更に、
前記回転子と前記固定子の間のギャップを保持するずらし可能スペーサ６０をそらすことと、
前記ガスケット８０を動かして前記固定子弁面５２との流体密封関係に置くことと、
を含む、
付記１００に記載の流体処理方法。
〔付記１０３〕
前記回転弁を保管状態から使用準備完了状態まで動かす前記ステップは更に、
前記回転子をねじ山付き保持リングに対して回転させることと、
前記ガスケット８０を動かして前記固定子弁面５２と接触させることと、
を含む、
付記１００に記載の流体処理方法。
〔付記１０４〕
前記回転弁を保管状態から使用準備完了状態まで動かす前記ステップは更に、
前記回転弁を動かして前記ガスケット８０の犠牲エッジ１８０をずらすことと、
前記ガスケット８０を動かして前記固定子弁面５２と接触させることと、
を含む、
付記１００に記載の流体処理方法。
【国際調査報告】
2021514454.tif 000053
2021514454.tif 000054